(57)【要約】光電コネクタはプラグ及びレセプタクルから構成され、プラグは、プラグ筐体２００、第１ガイドピン２２０、第１信号送受部材２３０、第１電極部２６０及びプラグ筐体・付勢手段２５０を備え、レセプタクルは、レセプタクル筐体３００、第２信号送受部材３３０、第２電極部３６０及び第２信号送受部材・付勢手段３２１を備え、プラグとレセプタクルとが嵌合した状態において、第１電極部２６０と第２電極部３６０とは接触して導通状態となり、第１信号送受部材２３０の対向面と第２信号送受部材３３０の対向面とは移動不可の状態で接触し、第１及び第２信号送受部材２３０，３３０は第２信号送受部材・付勢手段２３１によってプラグ後方に向かって付勢され、プラグ筐体２００はプラグ筐体・付勢手段２５０及び第２電極部３６０によってプラグの軸線に直交する方向に付勢される。
2016203806.tif 000002
【特許請求の範囲】
【請求項１】
第１信号線及び第１電気配線に取り付けられるプラグ、並びに、
第２信号線及び第２電気配線に取り付けられ、プラグと嵌合し、光学的及び電気的にプラグと接続されるレセプタクル、
から構成されており、
プラグは、
プラグ筐体、
プラグ筐体内に配置され、プラグ筐体に後部が固定され、プラグの軸線と平行に延びる第１ガイドピン、
プラグ筐体内に配置され、第１信号線に接続され、第１ガイドピンが侵入する第１ガイドピン穴を有し、第１ガイドピンに取り付けられた第１信号送受部材、
プラグ筐体に固定され、第１電気配線が取り付けられる第１電極部、並びに、
プラグ筐体に配設されたプラグ筐体・付勢手段、
を備えており、
レセプタクルは、
レセプタクル筐体、
レセプタクル筐体内に配置され、第２信号線に接続され、レセプタクル筐体に対して移動自在な第２信号送受部材、
レセプタクル筐体に固定され、第２電気配線が取り付けられる第２電極部、並びに、
第２信号送受部材をレセプタクル前方に向かって付勢する第２信号送受部材・付勢手段、
を備えており、
プラグとレセプタクルとが嵌合した状態において、
第１電極部と第２電極部とは接触して、導通状態となり、
第２信号送受部材と対向する第１信号送受部材の対向面と、第１信号送受部材と対向する第２信号送受部材の対向面とは、相対的に移動不可の状態で接触し、
第１信号送受部材及び第２信号送受部材は、第２信号送受部材・付勢手段によってプラグ後方に向かって付勢され、
プラグ筐体は、プラグ筐体・付勢手段及び第２電極部によって、プラグの軸線に直交する方向に付勢される光電コネクタ。
【請求項２】
第１信号送受部材の対向面及び第２信号送受部材の対向面のいずれか一方には突起部が設けられており、他方には凹部が設けられており、
プラグとレセプタクルとが嵌合するとき、突起部と凹部とが嵌合する請求項１に記載の光電コネクタ。
【請求項３】
レセプタクルは、更に、レセプタクル筐体内に配置され、レセプタクル筐体に後部が固定され、レセプタクルの軸線と平行に延びる第２ガイドピンを備えており、
第２信号送受部材は、第２ガイドピンが侵入する第２ガイドピン穴を有しており、
プラグとレセプタクルとが嵌合するとき、第１ガイドピン穴を貫通した第１ガイドピンは第２ガイドピン穴に侵入する請求項１に記載の光電コネクタ。
【請求項４】
レセプタクルは、更に、レセプタクル筐体内に配置され、第２信号送受部材の後部に取り付けられたスプリング・ブッシュを備えており、
第２信号送受部材・付勢手段は、後端部がレセプタクル筐体に取り付けられ、先端部がスプリング・ブッシュに取り付けられたスプリングから成る請求項２又は請求項３に記載の光電コネクタ。
【請求項５】
第２信号送受部材・付勢手段は、第２ガイドピンと第２信号送受部材との間に位置し、第２ガイドピンの外周を取り囲むバネから成る請求項２に記載の光電コネクタ。
【請求項６】
プラグは、更に、プラグカバーを備えており、
プラグ筐体は、プラグカバー内を移動自在に配置されている請求項１に記載の光電コネクタ。
【請求項７】
プラグカバーは、プラグの軸線と平行に延びる第１側面及び第２側面、プラグの軸線と平行に延びる第１側面の一方の辺と第２側面の一方の辺とを結ぶ第１面、並びに、プラグの軸線と平行に延びる第１側面の他方の辺と第２側面の他方の辺とを結ぶ第２面の４面を有しており、
プラグ筐体は、プラグの軸線と平行に延びる第１側面及び第２側面、プラグの軸線と平行に延びる第１側面の一方の辺と第２側面の一方の辺とを結ぶ第１面、並びに、プラグの軸線と平行に延びる第１側面の他方の辺と第２側面の他方の辺とを結ぶ第２面の４面を有しており、
レセプタクル筐体は、レセプタクルの軸線と平行に延びる第１側面及び第２側面、レセプタクルの軸線と平行に延びる第１側面の一方の辺と第２側面の一方の辺とを結ぶ第１面、並びに、レセプタクルの軸線と平行に延びる第１側面の他方の辺と第２側面の他方の辺とを結ぶ第２面の４面を有し、
プラグ筐体は、レセプタクル筐体の内部を移動可能である請求項６に記載の光電コネクタ。
【請求項８】
第１電極部は、接点部を有しており、
第２電極部は、第１電極部の接点部と接触する接触片を有しており、
プラグとレセプタクルとが嵌合した状態において、第１電極部の接点部と接触した第２電極部の接触片によって、プラグ筐体はプラグの軸線に直交する方向に付勢される請求項７に記載の光電コネクタ。
【請求項９】
プラグは、１つの第１電極部を備えており、
レセプタクルは、２つの第２電極部を備えており、
第１電極部は、プラグ筐体の第１面に取り付けられており、
２つの第２電極部のそれぞれは、レセプタクル筐体の第１面及び第２面に取り付けられている請求項８に記載の光電コネクタ。
【請求項１０】
第２電極部は、第１の部分、及び、第１の部分と離間して対向した第２の部分を備えており、
プラグとレセプタクルとが嵌合するとき、第２の部分はプラグ筐体の外面と接触し、以て、第２の部分が第１の部分に向かって付勢され、第１の部分と第２の部分とが接触して導通状態となる請求項９に記載の光電コネクタ。
【請求項１１】
プラグは、２つの第１電極部を備えており、
レセプタクルは、２つの第２電極部を備えており、
２つの第１電極部のそれぞれは、プラグ筐体の第１側面及び第２側面に沿って、プラグ筐体の第２面に固定されており、
２つの第２電極部のそれぞれは、レセプタクル筐体の第１側面及び第２側面に沿って固定されている請求項８に記載の光電コネクタ。
【請求項１２】
プラグ筐体の第２面の外面にはプラグ筐体・付勢手段が配されている請求項７に記載の光電コネクタ。
【請求項１３】
レセプタクル筐体の第１側面及び第２側面には、プラグカバー・係止部材が設けられており、
プラグカバーの第１側面及び第２側面には、プラグカバー・係止部材を係止するプラグカバー・係止部材用凹部が設けられており、
プラグカバーがレセプタクル筐体に最も接近したとき、プラグカバー・係止部材がプラグカバー・係止部材用凹部に係止される請求項７に記載の光電コネクタ。
【請求項１４】
プラグカバーの前部には、第１シャッターが配設されており、
第１シャッターは、プラグとレセプタクルとが嵌合するとき開状態となり、プラグとレセプタクルとの嵌合が解かれるとき閉状態となる請求項７に記載の光電コネクタ。
【請求項１５】
レセプタクル筐体の先端部分には、レセプタクル筐体の第２面に向かって、且つ、レセプタクル筐体後方に向かって開く第２シャッターが配設されている請求項７に記載の光電コネクタ。
【請求項１６】
第１信号送受部材及び第２信号送受部材はフェルールから成り、
第１信号送受部材は、第１信号送受部材のプラグ後端側に設けられ、光ファイバ集合体から成る第１信号線が挿入される第１信号送受部材・挿入孔、及び、第１信号送受部材のプラグ前端側に設けられ、光ファイバからの光又は光ファイバへの光を平行光にする第１信号送受部材用レンズを備えており、
第２信号送受部材は、第２信号送受部材のレセプタクル後端側に設けられ、光ファイバ集合体から成る第２信号線が挿入される第２信号送受部材・挿入孔、及び、第２信号送受部材のレセプタクル前端側に設けられ、光ファイバからの光又は光ファイバへの光を平行光にする第２信号送受部材用レンズを備えている請求項１に記載の光電コネクタ。
【請求項１７】
第１信号線を構成する光ファイバ集合体は、第１テープ心線、第２テープ心線、第３テープ心線及び第４テープ心線の第１テープ心線から構成されており、
第１信号送受部材・挿入孔は、第１信号送受部材・右側挿入孔、及び、第１信号送受部材・右側挿入孔と離間して設けられた第１信号送受部材・左側挿入孔から構成されており、
第１信号線を構成する第１テープ心線、第２テープ心線、第３テープ心線及び第４テープ心線は、それぞれ、第１信号送受部材・右側挿入孔底面、第１信号送受部材・左側挿入孔底面、第１信号送受部材・右側挿入孔頂面及び第１信号送受部材・左側挿入孔頂面に取り付けられており、第１テープ心線と第３テープ心線との間には隙間が存在し、第２テープ心線と第４テープ心線との間には隙間が存在し、
第２信号線を構成する光ファイバ集合体は、第１テープ心線、第２テープ心線、第３テープ心線及び第４テープ心線の第２テープ心線から構成されており、
第２信号送受部材・挿入孔は、第２信号送受部材・右側挿入孔、及び、第２信号送受部材・右側挿入孔と離間して設けられた第２信号送受部材・左側挿入孔から構成されており、
第２信号線を構成する第１テープ心線、第２テープ心線、第３テープ心線及び第４テープ心線は、それぞれ、第２信号送受部材・右側挿入孔底面、第２信号送受部材・左側挿入孔底面、第２信号送受部材・右側挿入孔頂面及び第２信号送受部材・左側挿入孔頂面に取り付けられており、第１テープ心線と第３テープ心線との間には隙間が存在し、第２テープ心線と第４テープ心線との間には隙間が存在する請求項１６に記載の光電コネクタ。
【請求項１８】
テープ心線は、
ベース樹脂シート、
ベース樹脂シート上に並置された複数のコア材、並びに、
ベース樹脂シート及び複数のコア材を覆う被覆材、
から構成されている請求項１７に記載の光電コネクタ。
【請求項１９】
第１信号送受部材には発光素子及び受光素子を備えられており、第２信号送受部材には発光素子及び受光素子が備えられている請求項１に記載の光電コネクタ。
【請求項２０】
プラグ筐体、又は、レセプタクル筐体、又は、プラグ筐体及びレセプタクル筐体には、電子能動部品が内蔵されている請求項１に記載の光電コネクタ。
【発明の詳細な説明】
【技術分野】
【０００１】
本開示は、光電コネクタに関する。
【背景技術】
【０００２】
光信号の送受及び給電の両方を同時に行い得る光電コネクタが、例えば、特開２０１４−０６３１７７号公報から周知である。この特許公開公報に開示された装置は、
物理接続インタフェースを、係合するコネクタに提供するコネクタ筐体、
コネクタ筐体に物理的に組み込まれて、電気入出力（Ｉ／Ｏ）インタフェースを提供する電気コンタクトアセンブリ、及び、
コネクタ筐体に物理的に組み込まれて、光Ｉ／Ｏインタフェースを提供する光アセンブリ、
を備え、
光アセンブリは、光信号を能動的に生成して、受信して、処理する光エンジンを有し、
接続インタフェースにより、電気Ｉ／Ｏ又は光Ｉ／Ｏ又は両方が、コネクタ筐体を通過する装置である。
【先行技術文献】
【特許文献】
【０００３】
【特許文献１】特開２０１４−０６３１７７号公報
【発明の概要】
【発明が解決しようとする課題】
【０００４】
ところで、近年の光電コネクタには数十ギガｂｐｓオーダー乃至数百ギガｂｐｓオーダーの大容量光信号伝送が求められる。そして、プラグ及びレセプタクルから構成されたこのような光電コネクタにおいて、高い耐振動性を有する光電コネクタに対する強い要望がある。しかしながら、本発明者が調べた限りでは、簡素な構造でこのような要望を満足する光電コネクタは知られていない。【０００５】
従って、本開示の目的は、簡素な構造で高い耐振動性を有する光電コネクタを提供することにある。
【課題を解決するための手段】
【０００６】
上記の目的を達成するための本開示の光電コネクタは、
第１信号線及び第１電気配線に取り付けられるプラグ、並びに、
第２信号線及び第２電気配線に取り付けられ、プラグと嵌合し、光学的及び電気的にプラグと接続されるレセプタクル、
から構成されており、
プラグは、
（Ａ−１）プラグ筐体、
（Ａ−２）プラグ筐体内に配置され、プラグ筐体に後部が固定され、プラグの軸線と平行に延びる第１ガイドピン、
（Ａ−３）プラグ筐体内に配置され、第１信号線に接続され、第１ガイドピンが侵入する第１ガイドピン穴を有し、第１ガイドピンに取り付けられた第１信号送受部材、
（Ａ−４）プラグ筐体に固定され、第１電気配線が取り付けられる第１電極部、並びに、
（Ａ−５）プラグ筐体に配設されたプラグ筐体・付勢手段、
を備えており、
レセプタクルは、
（Ｂ−１）レセプタクル筐体、
（Ｂ−２）レセプタクル筐体内に配置され、第２信号線に接続され、レセプタクル筐体に対して移動自在な第２信号送受部材、
（Ｂ−３）レセプタクル筐体に固定され、第２電気配線が取り付けられる第２電極部、並びに、
（Ｂ−４）第２信号送受部材をレセプタクル前方に向かって付勢する第２信号送受部材・付勢手段、
を備えており、
プラグとレセプタクルとが嵌合した状態において、
（ａ）第１電極部と第２電極部とは接触して、導通状態となり、
（ｂ）第２信号送受部材と対向する第１信号送受部材の対向面と、第１信号送受部材と対向する第２信号送受部材の対向面とは、相対的に移動不可の状態で接触し、
（ｃ）第１信号送受部材及び第２信号送受部材は、第２信号送受部材・付勢手段によってプラグ後方に向かって付勢され、
（ｄ）プラグ筐体は、プラグ筐体・付勢手段及び第２電極部によって、プラグの軸線に直交する方向に付勢される。
【発明の効果】
【０００７】
本開示の光電コネクタにあっては、プラグとレセプタクルとが嵌合した状態において、第２信号送受部材と対向する第１信号送受部材の対向面と第１信号送受部材と対向する第２信号送受部材の対向面とは相対的に移動不可の状態で接触し、第１信号送受部材及び第２信号送受部材は第２信号送受部材・付勢手段によってプラグ後方に向かって付勢され、プラグ筐体はプラグ筐体・付勢手段及び第２電極部によってプラグの軸線に直交する方向に付勢される。それ故、簡素な構造であるにも拘わらず、プラグ及びレセプタクルに振動が加わった場合でもプラグとレセプタクルとの嵌合状態に変化が生じることが無く、例えば数十ギガｂｐｓオーダー乃至数百ギガｂｐｓオーダーの大容量光信号伝送を確実に安定して行うことができる。また、プラグとレセプタクルとが嵌合した状態において第１電極部と第２電極部とは接触して導通状態となるので、光電コネクタに給電機能を付与することができる。尚、本明細書に記載された効果はあくまで例示であって限定されるものでは無く、また、付加的な効果があってもよい。
【図面の簡単な説明】
【０００８】
【図１】図１は、実施例１の光電コネクタを構成するプラグ及びレセプタクルの斜視図である。
【図２】図２は、実施例１の光電コネクタを構成するプラグ（プラグカバー及びプラグ筐体）の分解斜視図である。
【図３】図３は、実施例１の光電コネクタを構成するプラグ（プラグカバー及びプラグ筐体）の一部分の分解斜視図である。
【図４】図４は、実施例１の光電コネクタを構成するプラグ（プラグカバー及びプラグ筐体）を仮想水平面で切断したときの模式的な断面図（但し、プラグ筐体を上方から眺めた断面図）である。
【図５】図５は、実施例１の光電コネクタを構成するプラグ筐体を仮想水平面で切断したときの模式的な断面図（但し、プラグ筐体を上方から眺めた断面図）である。
【図６】図６は、実施例１の光電コネクタを構成するプラグ筐体を仮想水平面で切断したときの模式的な断面図（但し、プラグ筐体を下方から眺めた断面図）である。
【図７】図７は、実施例１の光電コネクタを構成するプラグカバーを仮想水平面で切断したときの模式的な断面図（但し、プラグカバーを下方から眺めた断面図）である。
【図８】図８Ａ、図８Ｂ及び図８Ｃは、第１ガイドピン固定部及び第１ガイドピンを拡大して示す斜視図である。
【図９】図９は、実施例１の光電コネクタを構成するレセプタクルの分解斜視図である。
【図１０】図１０は、実施例１の光電コネクタを構成するレセプタクルを斜め上から眺めた斜視図である。
【図１１】図１１は、実施例１の光電コネクタを構成するレセプタクルを斜め下から眺めた斜視図である。
【図１２】図１２は、実施例１の光電コネクタを構成するレセプタクルを仮想水平面で切断したときの模式的な断面図（但し、レセプタクルを上方から眺めた断面図）である。
【図１３】図１３Ａ、図１３Ｂ及び図１３Ｃは、それぞれ、プラグ筐体・付勢手段の模式的な平面図、模式的な断面図及び模式的な斜視図であり、図１３Ｄ及び図１３Ｅは、プラグ筐体・付勢手段の変形例の模式的な斜視図である。
【図１４】図１４Ａは、第１信号送受部材、第２信号送受部材を対向面側から眺めた模式図であり、図１４Ｂは、第１信号送受部材、第２信号送受部材を対向面とは反対側から眺めた模式図（但し、信号線を除いた状態）であり、図１４Ｃは、第１信号送受部材、第２信号送受部材を対向面とは反対側から眺めた模式図（但し、信号線を取り付けた状態）である。
【図１５】図１５Ａは、図１４Ａの矢印Ａ−Ａに沿った模式的な断面図であり、図１５Ｂは、図１４Ａの矢印Ｂ−Ｂに沿った模式的な断面図であり、図１５Ｃは、第１信号送受部材の斜視図である。
【図１６】図１６Ａ及び図１６Ｂは、信号線及び電気配線を纏めたケーブルの模式的な断面図である。
【図１７】図１７Ａ及び図１７Ｂは、第２シャッターの動きを説明するための、実施例１の光電コネクタを構成するレセプタクル筐体を仮想水平面で切断したときの模式的な断面図（但し、レセプタクル筐体を上方から眺めた断面図）、及び、レセプタクル筐体の模式的な側面図である。
【図１８】図１８Ａ及び図１８Ｂは、図１７Ａ及び図１７Ｂに引き続き、第２シャッターの動きを説明するための、実施例１の光電コネクタを構成するレセプタクル筐体を仮想水平面で切断したときの模式的な断面図（但し、レセプタクル筐体を上方から眺めた断面図）、及び、レセプタクル筐体の模式的な側面図である。
【図１９】図１９は、プラグとレセプタクルとの嵌合を説明するための図であり、実施例１の光電コネクタを構成するプラグ及びレセプタクルを仮想水平面で切断したときの模式的な断面図である。
【図２０】図２０は、図１９に引き続き、プラグとレセプタクルとの嵌合を説明するための図であり、実施例１の光電コネクタを構成するプラグ及びレセプタクルを仮想水平面で切断したときの模式的な断面図である。
【図２１】図２１は、図２０に引き続き、プラグとレセプタクルとの嵌合を説明するための図であり、実施例１の光電コネクタを構成するプラグ及びレセプタクルを仮想水平面で切断したときの模式的な断面図である。
【図２２】図２２は、図２１に引き続き、プラグとレセプタクルとの嵌合を説明するための図であり、実施例１の光電コネクタを構成するプラグ及びレセプタクルを仮想水平面で切断したときの模式的な断面図である。
【図２３】図２３Ａ及び図２３Ｂは、図２２に示したプラグとレセプタクルとの嵌合途中の状態において、仮想垂直面でプラグ筐体を切断したときの模式的な断面図、及び、仮想垂直面でプラグカバーとプラグ筐体とを切断したときの模式的な断面図である。
【図２４】図２４は、図２２に引き続き、プラグとレセプタクルとの嵌合を説明するための図であり、実施例１の光電コネクタを構成するプラグ及びレセプタクルを仮想水平面で切断したときの模式的な断面図である。
【図２５】図２５は、図２４に引き続き、プラグとレセプタクルとの嵌合を説明するための図であり、実施例１の光電コネクタを構成するプラグ及びレセプタクルを仮想水平面で切断したときの模式的な断面図である。
【図２６】図２６は、図２５に示したプラグとレセプタクルとの嵌合途中の状態において、プラグ筐体の裏面の模式的な平面図である。
【図２７】図２７は、図２５に引き続き、プラグとレセプタクルとが嵌合した状態を説明するための図であり、実施例１の光電コネクタを構成するプラグ及びレセプタクルを仮想水平面で切断したときの模式的な断面図である。
【図２８】図２８は、図２７に示したプラグとレセプタクルとが嵌合した状態において、プラグを仮想水平面で切断したときの模式的な断面図である。
【図２９】図２９Ａは、図２７に示す実施例１の光電コネクタを構成するプラグ及びレセプタクルとが嵌合した状態における、プラグ及びレセプタクルの模式的な側面図であり、図２９Ｂは、レセプタクルの模式的な側面図であり、図２９Ｃは、第２信号送受部材や第２信号送受部材・付勢手段等の模式的な側面図である。
【図３０】図３０Ａ、図３０Ｂ及び図３０Ｃは、それぞれ、図２０に示したプラグとレセプタクルとの嵌合途中の状態において、仮想垂直面でプラグカバー及びプラグ筐体を切断したときの模式的な断面図、図２２に示したプラグとレセプタクルとの嵌合途中の状態において、仮想垂直面でプラグカバー及びプラグ筐体を切断したときの模式的な断面図、並びに、図２７に示したプラグとレセプタクルとが嵌合した状態において、仮想垂直面でプラグカバー及びプラグ筐体を切断したときの模式的な断面図である。
【図３１】図３１Ａ及び図３１Ｂは、第１シャッターの動きを説明するための、図１９に示したプラグとレセプタクルとの嵌合途中の状態における、第１シャッター及びプラグ筐体の模式的な側面図、並びに、図２７に示したプラグとレセプタクルとが嵌合した状態における、第１シャッター及びプラグ筐体の模式的な側面図である。
【図３２】図３２Ａは、実施例２における導波路ユニット構造の信号線を格納した第１信号送受部材、第２信号送受部材を対向面とは反対側から眺めた模式図であり、図３２Ｂは、導波路ユニット構造の１つの模式的な断面図（但し、ＹＺ平面で切断したときの断面図）であり、図３２Ｃは、導波路ユニット構造の１つの模式的な断面図（但し、ＸＺ平面で切断したときの断面図）である。
【図３３】図３３は、実施例３の光電コネクタを構成するレセプタクル筐体を仮想水平面で切断したときの模式的な断面図（但し、プラグ筐体を上方から眺めた断面図）である。
【図３４】図３４Ａは、実施例４の光電コネクタにおいて、第１信号送受部材、第２信号送受部材を対向面側から眺めた模式図であり、図３４Ｂは、図３４Ａの矢印Ｂ−Ｂに沿って第１信号送受部材を切断したときの模式的な断面図（但し、ＹＺ平面で切断したときの断面図）であり、図３４Ｃは、図３４Ａの矢印Ｂ−Ｂに沿って第２信号送受部材を切断したときの模式的な断面図（但し、ＹＺ平面で切断したときの断面図）である。
【図３５】図３５は、実施例５の光電コネクタを構成するプラグ及びレセプタクルの斜視図（但し、プラグとレセプタクルとは嵌合状態にある場合）である。
【図３６】図３６は、図３５とは異なる角度から眺めた、実施例５の光電コネクタを構成するプラグ及びレセプタクルの斜視図である。
【図３７】図３７は、実施例５の光電コネクタを構成するプラグ（プラグカバー及びプラグ筐体）の分解斜視図、プラグ筐体・付勢手段の斜視図、及び、プラグ筐体を構成する第１面及び第１電極部の斜視図である。
【図３８】図３８Ａ及び図３８Ｂは、実施例５の光電コネクタを構成するプラグの斜視図、及び、平面図である。
【図３９】図３９は、実施例５の光電コネクタを構成するレセプタクルの分解斜視図である。
【図４０】図４０は、実施例５の光電コネクタを構成するレセプタクルを斜め上から眺めた斜視図である。
【図４１】図４１は、実施例５の光電コネクタを構成するレセプタクル筐体を斜め上から眺めた斜視図である。
【図４２】図４２は、実施例５の光電コネクタを構成するレセプタクル筐体と第２シャッターの配置関係を示す図である。
【図４３】図４３Ａ及び図４３Ｂは、実施例５の光電コネクタを構成する第２シャッターの斜視図及び側面図である。
【図４４】図４４Ａは、実施例５の光電コネクタを構成するレセプタクル筐体の図（但し、レセプタクル筐体を上方から眺めた図）であり、図４４Ｂは、プラグとレセプタクルとが嵌合する前のプラグ及びレセプタクルの平面図であり、図４４Ｃは、プラグとレセプタクルとが嵌合したときのプラグの先端部分の側面図である。
【図４５】図４５Ａは、実施例５の光電コネクタを構成するプラグとレセプタクルとが嵌合した状態におけるプラグ筐体及びレセプタクル筐体の図（但し、レセプタクル筐体を上方から眺めた図）であり、図４５Ｂは、プラグ及びレセプタクルの平面図である。
【図４６】図４６Ａは、実施例５の光電コネクタを構成するプラグとレセプタクルとが嵌合した状態におけるプラグ筐体及びレセプタクル筐体の一部分の図（但し、レセプタクル筐体及びプラグ筐体を上方から眺めた図）であり、図４６Ｂは、プラグとレセプタクルとが嵌合した状態におけるレセプタクル筐体及びプラグ筐体を側面から眺めた断面図である。
【図４７】図４７Ａは、実施例５の光電コネクタを構成するプラグとレセプタクルとが嵌合した状態におけるプラグ筐体及びレセプタクル筐体の一部分の図（但し、レセプタクル筐体及びプラグ筐体を上方から眺めた図）であり、図４７Ｂは、プラグとレセプタクルとが嵌合する前におけるレセプタクル筐体及びプラグ筐体を側面から眺めた断面図である。
【図４８】図４８Ａ及び図４８Ｂは、プラグとレセプタクルとの嵌合を説明するための図であり、実施例５の光電コネクタを構成するプラグ及びレセプタクルを側方及び上方から眺めた図である。
【図４９】図４９Ａ及び図４９Ｂは、図４８Ａ及び図４８Ｂに引き続き、プラグとレセプタクルとの嵌合を説明するための図であり、実施例５の光電コネクタを構成するプラグ及びレセプタクルを側方及び上方から眺めた図である。
【図５０】図５０Ａ及び図５０Ｂは、図４９Ａ及び図４９Ｂに引き続き、プラグとレセプタクルとの嵌合を説明するための図であり、実施例５の光電コネクタを構成するプラグ及びレセプタクルを側方及び上方から眺めた図である。
【図５１】図５１Ａ及び図５１Ｂは、図５０Ａ及び図５０Ｂに引き続き、プラグとレセプタクルとの嵌合を説明するための図であり、実施例５の光電コネクタを構成するプラグ及びレセプタクルを側方及び上方から眺めた図である。
【図５２】図５２は、実施例６の光電コネクタを構成するレセプタクル筐体の斜視図である。
【図５３】図５３は、実施例６の光電コネクタを構成するレセプタクル筐体の分解斜視図である。
【図５４】図５４は、プラグとレセプタクルとの嵌合を説明するための図であり、実施例６の光電コネクタを構成するプラグ及びレセプタクルを仮想水平面で切断したときの模式的な断面図である。
【図５５】図５５は、図５４に引き続き、プラグとレセプタクルとの嵌合を説明するための図であり、実施例６の光電コネクタを構成するプラグ及びレセプタクルを仮想水平面で切断したときの模式的な断面図である。
【図５６】図５６Ａ及び図５６Ｂは、図５４に示したプラグとレセプタクルとの嵌合前の状態において、仮想垂直面で光電コネクタを切断したときの模式的な断面図、及び、図５５に示したプラグとレセプタクルとの嵌合前の状態において、仮想垂直面で光電コネクタを切断したときの模式的な断面図である。
【図５７】図５７は、図５５に引き続き、プラグとレセプタクルとの嵌合を説明するための図であり、実施例６の光電コネクタを構成するプラグ及びレセプタクルを仮想水平面で切断したときの模式的な断面図である。
【図５８】図５８は、図５７に引き続き、プラグとレセプタクルとの嵌合を説明するための図であり、実施例６の光電コネクタを構成するプラグ及びレセプタクルを仮想水平面で切断したときの模式的な断面図である。
【図５９】図５９は、図５８に引き続き、プラグとレセプタクルとが嵌合した状態を説明するための図であり、実施例６の光電コネクタを構成するプラグ及びレセプタクルを仮想水平面で切断したときの模式的な断面図である。
【図６０】図６０Ａ及び図６０Ｂは、図５７に示したプラグとレセプタクルとの嵌合途中の状態において、仮想垂直面で光電コネクタを切断したときの模式的な断面図、及び、図５９に示したプラグとレセプタクルとの嵌合した状態において、仮想垂直面で光電コネクタを切断したときの模式的な断面図である。
【図６１】図６１Ａ及び図６１Ｂは、図５９に示す実施例６の光電コネクタを構成するプラグ及びレセプタクルとが嵌合した状態における、プラグ（プラグカバー及びプラグ筐体）の模式的な側面図、及び、プラグ筐体の模式的な側面図である。
【図６２】図６２は、図５９に示す実施例６の光電コネクタを構成するプラグ筐体の一部分の模式的な側面図である。
【図６３】図６３Ａ及び図６３Ｂは、図５７に示したプラグとレセプタクルとの嵌合途中の状態において、仮想垂直面で光電コネクタを切断したときの実施例７の光電コネクタの模式的な断面図、及び、図５９に示したプラグとレセプタクルとの嵌合した状態において、仮想垂直面で光電コネクタを切断したときの実施例７の光電コネクタの模式的な断面図である。
【図６４】図６４Ａ及び図６４Ｂは、実施例９の光電コネクタにおける第１信号送受部材の概念図及び第２信号送受部材の概念図である。
【図６５】図６５Ａ及び図６５Ｂは、実施例９の光電コネクタの変形例における第１信号送受部材の概念図及び第２信号送受部材の概念図である。
【図６６】図６６は、実施例９の光電コネクタにおける第１信号送受部材の変形例の概念図である。
【図６７】図６７Ａ及び図６７Ｂは、実施例１０の光電コネクタにおける第１信号送受部材の概念図及び第２信号送受部材の概念図である。
【図６８】図６８Ａ及び図６８Ｂは、実施例１０の光電コネクタの変形例における第１信号送受部材の概念図及び第２信号送受部材の概念図である。
【発明を実施するための形態】
【０００９】
以下、図面を参照して、実施例に基づき本開示を説明するが、本開示は実施例に限定されるものではなく、実施例における種々の数値や材料は例示である。尚、説明は、以下の順序で行う。
１．本開示の光電コネクタ、全般に関する説明
２．実施例１（本開示の光電コネクタ。第２構造の信号送受部材、第１の構成に係る光電コネクタ、第１’の構成に係る光電コネクタ、第２の構成に係る光電コネクタ、第４の構成に係る光電コネクタ、第５の構成に係る光電コネクタ、第６の構成に係る光電コネクタ、第８の構成に係る光電コネクタ、第９の構成に係る光電コネクタ、側面電極構造、第２構造の第２信号送受部材・付勢手段を有する光電コネクタ）
３．実施例２（実施例１の変形。導波路ユニット構造を有する光電コネクタ）
４．実施例３（実施例１〜実施例２の変形。第１構造の第２信号送受部材・付勢手段を有する光電コネクタ）
５．実施例４（実施例１〜実施例３の変形。第１構造の信号送受部材を有する光電コネクタ。）
６．実施例５（実施例１〜実施例４の変形。上下電極構造を有する光電コネクタ）
７．実施例６（実施例５の変形。プッシュ・イン／プッシュ・アウト方式の嵌合方式）
８．実施例７（実施例５〜実施例６の変形）
９．実施例８（実施例１〜実施例７の変形。第７の構成に係る光電コネクタ）
１０．実施例９（実施例１〜実施例８の変形。第１０の構成に係る光電コネクタ、第１１の構成に係る光電コネクタ）
１１．実施例１０（実施例１〜実施例９の変形。第１０’の構成に係る光電コネクタ、第１１の構成に係る光電コネクタ）
１２．その他
【００１０】
〈本開示の光電コネクタ、全般に関する説明〉
〈第１構造の信号送受部材〉
本開示の光電コネクタにおいて、
第１信号送受部材の対向面及び第２信号送受部材の対向面のいずれか一方には突起部が設けられており、他方には凹部が設けられており、
プラグとレセプタクルとが嵌合するとき、突起部と凹部とが嵌合する形態とすることができる。尚、このような形態の光電コネクタを、便宜上、『第１構造の信号送受部材』と呼ぶ。このような形態を採用することで、第１信号送受部材及び第２信号送受部材の相互の位置決めを容易に行うことができ、位置決めのための部品が不要であり、より小型化と低コスト化が可能となる。
【００１１】
〈第２構造の信号送受部材〉
あるいは又、本開示の光電コネクタにおいて、レセプタクルは、更に、レセプタクル筐体内に配置され、レセプタクル筐体に後部が固定され、レセプタクルの軸線と平行に延びる第２ガイドピンを備えており、
第２信号送受部材は、第２ガイドピンが侵入する第２ガイドピン穴を有しており、
プラグとレセプタクルとが嵌合するとき、第１ガイドピン穴を貫通した第１ガイドピンは第２ガイドピン穴に侵入する形態とすることができる。尚、このような形態の光電コネクタを、便宜上、『第２構造の信号送受部材』と呼ぶ。このような形態を採用することでも、第１信号送受部材及び第２信号送受部材の相互の位置決めを容易に行うことができ、位置決めのための部品が不要であり、より小型化と低コスト化が可能となる。第１ガイドピンの先端部分は、若干、細くなっていることが、第２ガイドピン穴への容易な侵入を助けるといった観点から好ましい。
【００１２】
〈第１構造の第２信号送受部材・付勢手段〉
本開示の光電コネクタにおける第１構造の信号送受部材あるいは第２構造の信号送受部材において、
レセプタクルは、更に、レセプタクル筐体内に配置され、第２信号送受部材の後部に取り付けられたスプリング・ブッシュを備えており、
第２信号送受部材・付勢手段は、後端部がレセプタクル筐体に取り付けられ、先端部がスプリング・ブッシュに取り付けられたスプリング（圧縮スプリング）から成る形態とすることができる。尚、このような形態の光電コネクタを、便宜上、『第１構造の第２信号送受部材・付勢手段』と呼ぶ。このような形態を採用することで、簡素な構造であるにも拘わらず、プラグとレセプタクルとが嵌合した状態において、第１信号送受部材と第２信号送受部材とを、確実に、プラグの後方に向かって付勢することができる。
【００１３】
〈第２構造の第２信号送受部材・付勢手段〉
また、本開示の光電コネクタにおける第２構造の信号送受部材において、第２信号送受部材・付勢手段は、第２ガイドピンと第２信号送受部材との間に位置し、第２ガイドピンの外周を取り囲むバネ（押しバネ、圧縮バネ）から成る形態とすることができる。尚、このような形態の光電コネクタを、便宜上、『第２構造の第２信号送受部材・付勢手段』と呼ぶ。このような形態を採用することでも、簡素な構造であるにも拘わらず、プラグとレセプタクルとが嵌合した状態において、第１信号送受部材及び第２信号送受部材を、確実に、プラグの後方に向かって付勢することができる。
【００１４】
以上に説明した各種の好ましい形態を含む本開示の光電コネクタにおいて、
プラグは、更に、プラグカバーを備えており、
プラグ筐体は、プラグカバー内を移動自在に配置されている形態とすることができる。
【００１５】
〈第１の構成に係る光電コネクタ〉
更には、以上に説明した各種の好ましい形態を含む本開示の光電コネクタにおいて、
プラグカバーは、プラグの軸線と平行に延びる第１側面及び第２側面、プラグの軸線と平行に延びる第１側面の一方の辺と第２側面の一方の辺とを結ぶ第１面、並びに、プラグの軸線と平行に延びる第１側面の他方の辺と第２側面の他方の辺とを結ぶ第２面の４面を有しており、
プラグ筐体は、プラグの軸線と平行に延びる第１側面及び第２側面、プラグの軸線と平行に延びる第１側面の一方の辺と第２側面の一方の辺とを結ぶ第１面、並びに、プラグの軸線と平行に延びる第１側面の他方の辺と第２側面の他方の辺とを結ぶ第２面の４面を有しており、
レセプタクル筐体は、レセプタクルの軸線と平行に延びる第１側面及び第２側面、レセプタクルの軸線と平行に延びる第１側面の一方の辺と第２側面の一方の辺とを結ぶ第１面、並びに、レセプタクルの軸線と平行に延びる第１側面の他方の辺と第２側面の他方の辺とを結ぶ第２面の４面を有し、
プラグ筐体は、レセプタクル筐体の内部を移動可能である構成とすることができる。尚、このような構成を有する本開示の光電コネクタを、便宜上、『第１の構成に係る光電コネクタ』と呼ぶ。
【００１６】
ここで、プラグの軸線、レセプタクルの軸線の延びる方向をＸ方向と呼び、プラグカバーの第１側面及び第２側面、プラグ筐体の第１側面及び第２側面、レセプタクル筐体の第１側面及び第２側面を結ぶ方向をＹ方向と呼び、プラグカバーの第１面及び第２面、プラグ筐体の第１面及び第２面、レセプタクル筐体の第１面及び第２面を結ぶ方向をＺ方向と呼ぶ。
【００１７】
第１の構成に係る光電コネクタにおいて、
レセプタクルと対向するプラグカバーの前端、及び、プラグカバーの前端と対向するプラグカバーの後端は、開口しており、
レセプタクル筐体と対向するプラグ筐体の前端、及び、プラグ筐体の前端と対向するプラグ筐体の後端は、開口しており、
プラグ筐体と対向するレセプタクル筐体の前端、及び、レセプタクル筐体の前端と対向するレセプタクル筐体の後端は、開口している構成とすることができる。
【００１８】
〈第１’の構成に係る光電コネクタ〉
上記の好ましい構成を含む第１の構成に係る光電コネクタにおいて、
第１電極部は、接点部を有しており、
第２電極部は、第１電極部の接点部と接触する接触片を有しており、
プラグとレセプタクルとが嵌合した状態において、第１電極部の接点部と接触した第２電極部の接触片によって、プラグ筐体はプラグの軸線に直交する方向に付勢される構成とすることができる。尚、このような構成を有する本開示の光電コネクタを、便宜上、『第１’の構成に係る光電コネクタ』と呼ぶ。
【００１９】
〈上下電極構造を有する光電コネクタ〉
そして、第１’の構成に係る光電コネクタにおいて、
プラグは、１つの第１電極部を備えており、
レセプタクルは、２つの第２電極部を備えており、
第１電極部は、プラグ筐体の第１面に取り付けられており、
２つの第２電極部のそれぞれは、レセプタクル筐体の第１面及び第２面に取り付けられている構成とすることができる。尚、このような構成を有する本開示の光電コネクタを、便宜上、『上下電極構造を有する光電コネクタ』と呼ぶ。このような構成を採用することでもリバーシブル対応の電極部を達成することができる。即ち、レセプタクル筐体の第１面とプラグ筐体の第１面とが対応するようにレセプタクルとプラグとを嵌合させることもできるし、レセプタクル筐体の第１面とプラグ筐体の第２面とが対応するようにレセプタクルとプラグとを嵌合させることもできる。第１電極部は、プラグ筐体の第１面にネジやビス、スナップフィット、接着剤等を用いて取り付けることができるし、あるいは又、プラグ筐体の第１面にインサート成形法に基づき、直接、取り付けることもできる。また、第２電極部は、レセプタクル筐体の第１面及び第２面にネジやビス、スナップフィット、接着剤等を用いて取り付けることができるし、あるいは又、レセプタクル筐体の第１面及び第２面にインサート成形法に基づき、直接、取り付けることもできる。
【００２０】
上下電極構造を有する光電コネクタにあっては、プラグとレセプタクルとが嵌合した状態において、第２電極部の接触片によってプラグ筐体の第１面及び第２面が付勢される構成（Ｚ方向に付勢される構成）とすることができる。更には、このような構成を含む上下電極構造を有する光電コネクタにおいて、プラグカバーの第１面及び第２面のそれぞれには、第２電極部の接触片が侵入するプラグカバー・開口部が設けられている構成とすることができ、これらの場合、更には、
プラグとレセプタクルとが嵌合した状態において、
一方の第２電極部の接触片は、プラグカバーの第１面に設けられたプラグカバー・開口部を介して、第１電極部の接点部と接触し、プラグ筐体をプラグカバーの第２面に向かって付勢し、
他方の第２電極部の接触片は、プラグカバーの第２面に設けられたプラグカバー・開口部を介して、プラグ筐体の第２面と接触し、プラグ筐体をプラグカバーの第１面に向かって付勢する構成（Ｚ方向に付勢する構成）とすることができる。そして、これらの構成にあっては、一方の第２電極部の接触片がプラグ筐体をプラグカバーの第２面に向かって付勢する力と、他方の第２電極部の接触片がプラグ筐体をプラグカバーの第１面に向かって付勢する力とは、異なる構成とすることができる。
【００２１】
更には、これらの構成を含む上下電極構造を有する光電コネクタにおいて、
第１電極部は、３つの接点部を有しており、
第１電極部の３つの接点部は、電源用接点部、接地用接点部及び電源用接点部の順に配置されており、
第２電極部は、３つの接触片を有しており、
第２電極部の３つの接触片は、電源用接触片、接地用接触片及び電源用接触片の順に配置されている構成とすることができる。あるいは又、
第１電極部は、４つの接点部を有しており、
第１電極部の４つの接点部は、電源用接点部、接地用接点部、接地用接点部及び電源用接点部の順に配置されており、あるいは又、接地用接点部、電源用接点部、電源用接点部及び接地用接点部の順に配置されており、
第２電極部は、４つの接触片を有しており、
第２電極部の４つの接触片は、電源用接触片、接地用接触片、接地用接触片及び電源用接触片の順に配置されており、あるいは又、接地用接触片、電源用接触片、電源用接触片及び接地用接触片の順に配置されている構成とすることができる。
【００２２】
更には、これらの構成を含む上下電極構造を有する光電コネクタにおいて、
第２電極部は、第１の部分、及び、第１の部分と離間して対向した第２の部分を備えており、
プラグとレセプタクルとが嵌合するとき、第２の部分はプラグ筐体の外面（外側）と接触し、以て、第２の部分が第１の部分に向かって付勢され、第１の部分と第２の部分とが接触して導通状態となる構成とすることができる。このような構成を採用することでも、電源用接触片の導通／非導通を確実に制御することができ、短絡発生を防止することができる。そして、このような構成にあっては、第２の部分はプラグ筐体の側面と接触する構成とすることができ、更には、プラグ筐体の側面の先端には切欠部が設けられている構成とすることができる。このような構成を採用することで、電源用接触片の導通／非導通を一層確実に制御することができ、短絡発生を一層確実に防止することができる。あるいは又、このような構成にあっては、第２の部分は、レセプタクル筐体の内部に向かって突出した突起部を有し、プラグとレセプタクルとが嵌合するとき、第２の部分の突起部はプラグ筐体の第１面と接触し、以て、第２の部分が第１の部分に向かって付勢され、第１の部分と第２の部分とが接触して導通状態となる構成とすることができる。
【００２３】
〈プッシュ・イン／プッシュ・アウト方式の嵌合方式〉
更には、これらの構成を含む上下電極構造を有する光電コネクタにおいて、
プラグカバーの第１側面及び第２側面のそれぞれには、「Ｔ」字形状の孔部が設けられており、
プラグ筐体の第１側面の先端部分の外面及び第２側面の先端部分の外面のそれぞれには、ガイド溝部が設けられており、
レセプタクル筐体の第１側面の外面及び第２側面の外面のそれぞれには、プラグカバーの第１側面及び第２側面のそれぞれに設けられた「Ｔ」字形状の孔部を介してガイド溝部と係合する係合バーが設けられている構成とすることができる。このような構成を採用することで、プッシュ・イン／プッシュ・アウト方式の嵌合方式を達成することができる。後述する第３の構成に係る光電コネクタにおけるプラグカバー・係止部材、プラグカバー・係止部材用凹部のそれぞれは、係合バー、ガイド溝部に相当する。そして、このような構成にあっては、ガイド溝部には複数の凹部が設けられており、凹部の側壁には段差あるいは傾斜が設けられており、係合バーの先端は、最初の凹部から最後の凹部に向かってのみ移動することができる構成とすることができる。
【００２４】
〈側面電極構造を有する光電コネクタ〉
あるいは又、第１’の構成に係る光電コネクタにおいて、
プラグは、２つの第１電極部を備えており、
レセプタクルは、２つの第２電極部を備えており、
２つの第１電極部のそれぞれは、プラグ筐体の第１側面及び第２側面に沿って、プラグ筐体の第２面に固定されており、
２つの第２電極部のそれぞれは、レセプタクル筐体の第１側面及び第２側面に沿って固定されている構成とすることができる。尚、このような構成を有する本開示の光電コネクタを、便宜上、『側面電極構造を有する光電コネクタ』と呼ぶ。第１電極部のプラグ筐体の第２面への固定、第２電極部のレセプタクル筐体への固定は、例えば、ネジやビス、スナップフィット（弾性ロック爪機構）、接着剤等を用いて行うことができる。
【００２５】
側面電極構造を有する光電コネクタにあっては、プラグとレセプタクルとが嵌合した状態において、第２電極部の接触片によってプラグ筐体の側面が付勢される構成（Ｙ方向に付勢される構成）とすることができる。更には、このような構成を含む側面電極構造を有する光電コネクタにあっては、プラグカバーの第１側面及び第２側面のそれぞれには、第２電極部の接触片が侵入するプラグカバー・開口部が設けられている構成とすることができる。
【００２６】
更には、これらの構成を含む側面電極構造を有する光電コネクタにおいて、
第２電極部の接触片は、支持点を中心に、レセプタクル筐体の側面に近づく方向、及び、レセプタクル筐体の側面から離れる方向に回動可能であり、
第２電極部の接触片をレセプタクル筐体の側面から遠ざかる方向に付勢する接触片・付勢手段が、第２電極部の接触片とレセプタクル筐体の側面との間に配設されており、
支持点を挟んで、接触片とは反対側の第２電極部の部分には、第２電極部・係止部材が配設されており、
プラグ筐体の第１側面及び第２側面のそれぞれの先端部分には、第２電極部・係止用凹部が設けられており、
プラグとレセプタクルとが嵌合するとき、第２電極部・係止部材と第２電極部・係止用凹部とが係合し、支持点を中心として、第２電極部の接触片が第１電極部の接触部に向かって回動し、第２電極部の接触片と第１電極部の接触部とが接触する構成とすることができる。このような構成を採用することで、接触片と接触片との間で短絡が生じることを確実に防止することができる。
【００２７】
更には、これらの構成を含む側面電極構造を有する光電コネクタにおいて、
第１電極部は、２つの接点部を有しており、
第１電極部の２つの接点部は、電源用接点部及び接地用接点部から成り、
第２電極部は、２つの接触片を有しており、
第２電極部の２つの接触片は、電源用接触片及び接地用接触片から成る構成とすることができる。このような構成を採用することでリバーシブル対応の電極部を達成することができる。即ち、レセプタクル筐体の第１面とプラグ筐体の第１面とが対応するようにレセプタクルとプラグとを嵌合させることもできるし、レセプタクル筐体の第１面とプラグ筐体の第２面とが対応するようにレセプタクルとプラグとを嵌合させることもできる。
【００２８】
〈第２の構成に係る光電コネクタ〉
以上に説明した各種の好ましい構成、第１’の構成に係る光電コネクタを含む第１の構成に係る光電コネクタ（以下の説明において、第１の構成に係る光電コネクタには、第１’の構成に係る光電コネクタが含まれる）において、プラグ筐体の第２面の外面にはプラグ筐体・付勢手段が配されている構成とすることができる。尚、このような構成を有する本開示の光電コネクタを、便宜上、『第２の構成に係る光電コネクタ』と呼ぶ。プラグ筐体・付勢手段は、別部品としてプラグ筐体の第２面の外面に配されていてもよいし、プラグ筐体の第２面と一体的に、即ち、プラグ筐体の第２面から延在するように配されていてもよい。
【００２９】
そして、このような第２の構成に係る光電コネクタにおいて、プラグ筐体の第２面には、プラグ筐体・付勢手段の付勢部と係合するプラグ筐体・凹部が形成されており、プラグ筐体・凹部内にプラグ筐体・付勢手段が収納されている構成とすることができる。このような構成の第２の構成に係る光電コネクタにおいて、
プラグ筐体・付勢手段は、プラグの軸線方向に沿って、プラグの前方側から順に、第１の部分、第２の部分及び第３の部分から構成されており、
第２の部分は、プラグ筐体・凹部と接触しており（あるいは又、プラグ筐体の第２面の外面と接触しており、あるいは又、第２の部分は、プラグ筐体の第２面から延在しており）、
第１の部分及び第３の部分は、プラグ筐体・凹部と接触しておらず（あるいは又、プラグ筐体の第２面の外面と接触しておらず、あるいは又、第２の部分は、プラグ筐体の第２面とは離れて設けられており）、付勢部を構成する構成とすることができる。また、このような構成を含む第２の構成に係る光電コネクタにおいて、プラグカバーの第２面には、プラグ筐体・付勢手段の付勢部と係合するプラグカバー・凹部が設けられており、プラグカバー・凹部には、プラグ筐体・付勢手段と対向する開口部が設けられている構成とすることができ、この場合、プラグカバー・凹部とプラグ筐体・付勢手段の付勢部とが係合状態にあるとき、プラグ筐体はプラグカバーに対して固定された状態にある構成とすることができる。
【００３０】
更には、これらの各種の好ましい構成を含む第２の構成に係る光電コネクタにおいて、
レセプタクル筐体の第１面及び第２面にはロック解除爪が設けられており、
プラグカバーがレセプタクル筐体に最も接近したとき、ロック解除爪は、プラグカバー・凹部に設けられた開口部に侵入し、プラグ筐体・付勢手段の付勢部を構成する第１の部分をプラグ筐体の第１面に向かって付勢し、プラグカバー・凹部とプラグ筐体・付勢手段の付勢部との係合が解除される構成とすることができる。そして、この場合、プラグカバー・凹部とプラグ筐体・付勢手段の付勢部との係合が解除されることで、プラグ筐体はプラグカバーに対して移動自在となる構成とすることができる。
【００３１】
上下電極構造を有する光電コネクタにおいて、第２電極部はロック解除爪を兼用していてもよいし、ロック解除爪を第２電極部と独立して設けてもよい。このように、レセプタクル筐体の第１面及び第２面にロック解除爪を設けないことで、レセプタクル筐体の強度低下を防ぐことができるし、開口面積を減少させることができるので、レセプタクル筐体の防塵性を高めることができる。
【００３２】
更には、これらの各種の好ましい構成を含む第２の構成に係る光電コネクタにあっては、プラグとレセプタクルとが嵌合した状態において、プラグ筐体・付勢手段の付勢部はプラグカバーの第２面と接し、プラグ筐体をプラグカバーの第１面に向かって付勢する構成（Ｚ方向に付勢する構成）とすることができる。
【００３３】
〈第３の構成に係る光電コネクタ〉
以上に説明した各種の好ましい構成を含む第１の構成に係る光電コネクタ〜第２の構成に係る光電コネクタにおいて、
レセプタクル筐体の第１側面及び第２側面には、プラグカバー・係止部材が設けられており、
プラグカバーの第１側面及び第２側面には、プラグカバー・係止部材を係止するプラグカバー・係止部材用凹部が設けられており、
プラグカバーがレセプタクル筐体に最も接近したとき、プラグカバー・係止部材がプラグカバー・係止部材用凹部に係止される構成とすることができる。尚、このような構成を有する本開示の光電コネクタを、便宜上、『第３の構成に係る光電コネクタ』と呼ぶ。
【００３４】
〈第４の構成に係る光電コネクタ〉
以上に説明した各種の好ましい構成を含む第１の構成に係る光電コネクタ〜第３の構成に係る光電コネクタにおいて、
プラグカバーの前部には、第１シャッターが配設されており、
第１シャッターは、プラグとレセプタクルとが嵌合するとき開状態となり、プラグとレセプタクルとの嵌合が解かれるとき閉状態となる構成とすることができる。尚、このような構成を有する本開示の光電コネクタを、便宜上、『第４の構成に係る光電コネクタ』と呼ぶ。
【００３５】
ここで、第４の構成に係る光電コネクタにおいて、
プラグ筐体の第１側面及び第２側面のそれぞれの先端の形状は略半円状であり、
第１シャッターの側端部は、プラグ筐体の第１側面及び第２側面のそれぞれの先端と係合する構成とすることができる。そして、この場合、第１シャッターは、プラグカバーの第１面からレセプタクル側に延びる第１シャッター・上側部品、及び、プラグカバーの第２面からレセプタクル側に延びる第１シャッター・下側部品から構成されている構成とすることができ、更には、この場合、第１シャッター・上側部品の先端部は丸みを帯びており、第１シャッター・下側部品の先端部は、第１シャッター・上側部品の先端部と、プラグカバー側で係合するように丸みを帯びている構成とすることができる。また、これらの場合、第１シャッター・上側部品の先端部は、補強のために、外側に向かって折り曲げられており、あるいは、折り返されている構成とすることができる。また、以上に説明した各種の好ましい構成を含む第４の構成に係る光電コネクタにおいて、第１シャッター・上側部品と第１シャッター・下側部品とが、容易に、且つ、確実に重なり合うように、第１シャッター・下側部品の先端部の端部は切り欠かれている構成とすることができる。更には、以上に説明した各種の好ましい構成を含む第４の構成に係る光電コネクタにおいて、第１シャッター・上側部品の後端部及び第１シャッター・下側部品の後端部は、それぞれ、プラグカバーの後端部に一体に取り付けられている構成とすることができ、この場合、第１シャッター・上側部品の後端部及び第１シャッター・下側部品の後端部は、それぞれプラグカバーの後端部にインサート成形技術に基づき一体に取り付けられている構成とすることができる。
【００３６】
〈第５の構成に係る光電コネクタ〉
以上に説明した各種の好ましい構成を含む第１の構成に係る光電コネクタ〜第４の構成に係る光電コネクタにおいて、レセプタクル筐体の先端部分には、レセプタクル筐体の第２面に向かって、且つ、レセプタクル筐体後方に向かって開く第２シャッターが配設されている構成とすることができる。そして、この場合、第２シャッターは、プラグとレセプタクルとが嵌合するとき開状態となり、プラグとレセプタクルとの嵌合が解かれるとき閉状態となる構成とすることができる。更には、これらの場合、
レセプタクル筐体の第１側面の外面及び第２側面の外面のそれぞれには、第２シャッター・抑え部材が取り付けられており、
第２シャッターが閉状態にあるとき、第２シャッターの先端部は、第２シャッター・抑え部材によって、レセプタクル筐体の第２面に向かって移動しないように押さえられており、
プラグとレセプタクルとが嵌合するとき、第２シャッター・抑え部材による第２シャッターの先端部の押さえ状態が、プラグ筐体の第１側面及び第２側面のそれぞれの先端によって解除され、第２シャッターは、レセプタクル筐体の第２面に向かって、且つ、レセプタクル筐体後方に向かって開く構成とすることができる。尚、このような構成を有する本開示の光電コネクタを、便宜上、『第５の構成に係る光電コネクタ』と呼ぶ。
【００３７】
〈第６の構成に係る光電コネクタ〉
以上に説明した各種の好ましい構成を含む第１の構成に係る光電コネクタ〜第５の構成に係る光電コネクタにおいて、プラグ筐体の後端は、プラグ保護部材又はブーツで閉塞されており、レセプタクル筐体の後端は、レセプタクル保護部材又はブーツで閉塞されている構成とすることができる。尚、このような構成を有する本開示の光電コネクタを、便宜上、『第６の構成に係る光電コネクタ』と呼ぶ。そして、この場合、更には、プラグカバーはブーツで覆われていてもよく、これによって、プラグとレセプタクルとの嵌合を行う際、また、プラグとレセプタクルとの嵌合を解く際、使用者がプラグカバーを直接掴むことができなくなり、プラグとレセプタクルとの嵌合を安全に行うことができる。ブーツは、硬質樹脂、ゴム等から作製される。
【００３８】
〈第７の構成に係る光電コネクタ〉
あるいは又、以上に説明した各種の好ましい構成を含む第１の構成に係る光電コネクタ〜第５の構成に係る光電コネクタにおいて、プラグ筐体の後端にはコネクタが取り付けられている構成とすることができる。尚、このような構成を有する本開示の光電コネクタを、便宜上、『第７の構成に係る光電コネクタ』と呼ぶ。あるいは又、以上に説明した各種の好ましい構成を含む第１の構成に係る光電コネクタ〜第５の構成に係る光電コネクタにおいて、レセプタクル筐体の後端にはコネクタが取り付けられている構成とすることができ、この場合、プラグ筐体やレセプタクル筐体の後端にはコネクタが取り付けられている構成とすることができる。このように、プラグ筐体やレセプタクル筐体の後端にコネクタが取り付けられている構成とすれば、異なるコネクタを有するプラグやレセプタクルに交換することで、複数の異種の機能を選択することが可能となる。
【００３９】
〈第８の構成に係る光電コネクタ〉
更には、以上に説明した各種の好ましい構成を含む第１の構成に係る光電コネクタ〜第７の構成に係る光電コネクタにおいて、レセプタクル筐体は、更に、レセプタクル筐体の第１側面及び第２側面の内側に取り付けられた第２信号送受部材・ガイド部材を備えており、
レセプタクル筐体の第１側面と対向する第２信号送受部材・ガイド部材の第１側面、及び、レセプタクル筐体の第２側面と対向する第２信号送受部材・ガイド部材の第２側面のそれぞれには、レセプタクル後部側から、レセプタクル前部側に向かって、レセプタクルの軸線と平行に、途中まで延びる切欠部が設けられており、
第２信号送受部材の側面には、切欠部と嵌合する第２信号送受部材・突起部が設けられている構成とすることができる。このような構成を採用することで、第２信号送受部材を、安定して高い精度で移動させることができる。尚、このような構成を有する本開示の光電コネクタを、便宜上、『第８の構成に係る光電コネクタ』と呼ぶ。
【００４０】
〈第９の構成に係る光電コネクタ〉
以上に説明した各種の好ましい構成を含む第１の構成に係る光電コネクタ〜第８の構成に係る光電コネクタにおいて、
第１信号送受部材及び第２信号送受部材はフェルールから成り、
第１信号送受部材は、第１信号送受部材のプラグ後端側に設けられ、光ファイバ集合体から成る第１信号線が挿入される第１信号送受部材・挿入孔、及び、第１信号送受部材のプラグ前端側に設けられ、光ファイバからの光又は光ファイバへの光を平行光にする第１信号送受部材用レンズを備えており、
第２信号送受部材は、第２信号送受部材のレセプタクル後端側に設けられ、光ファイバ集合体から成る第２信号線が挿入される第２信号送受部材・挿入孔、及び、第２信号送受部材のレセプタクル前端側に設けられ、光ファイバからの光又は光ファイバへの光を平行光にする第２信号送受部材用レンズを備えている形態とすることができる。尚、このような形態の光電コネクタを、便宜上、『第９の構成に係る光電コネクタ』と呼ぶ。尚、第１信号送受部材及び第２信号送受部材の一方のみをフェルールから構成してもよい。
【００４１】
ここで、第９の構成に係る光電コネクタにあっては、
第１信号送受部材は第１レンズ保護部材を備えており、
第２信号送受部材は第２レンズ保護部材を備えており、
第１信号送受部材の対向面には、金属製（合金製を含む）の第１レンズ保護部材が取り付けられており、第２信号送受部材の対向面には、金属製（合金製を含む）の第２レンズ保護部材が取り付けられている構成とすることができる。第１レンズ保護部材及び第２レンズ保護部材を設けることで、第１信号送受部材及び第２信号送受部材の耐久性、耐摩耗性の向上を図ることができる。
【００４２】
以上に説明した各種の好ましい構成を含む第９の構成に係る光電コネクタにおいて、
第１信号線を構成する光ファイバ集合体は、第１テープ心線、第２テープ心線、第３テープ心線及び第４テープ心線の４つのテープ心線から構成されており、
第１信号送受部材・挿入孔は、第１信号送受部材・右側挿入孔、及び、第１信号送受部材・右側挿入孔と離間して設けられた第１信号送受部材・左側挿入孔から構成されており、
第１信号線を構成する第１テープ心線、第２テープ心線、第３テープ心線及び第４テープ心線は、それぞれ、第１信号送受部材・右側挿入孔底面、第１信号送受部材・左側挿入孔底面、第１信号送受部材・右側挿入孔頂面及び第１信号送受部材・左側挿入孔頂面に取り付けられており、第１テープ心線と第３テープ心線との間には隙間が存在し、第２テープ心線と第４テープ心線との間には隙間が存在し、
第２信号線を構成する光ファイバ集合体は、第１テープ心線、第２テープ心線、第３テープ心線及び第４テープ心線の４つのテープ心線から構成されており、
第２信号送受部材・挿入孔は、第２信号送受部材・右側挿入孔、及び、第２信号送受部材・右側挿入孔と離間して設けられた第２信号送受部材・左側挿入孔から構成されており、
第２信号線を構成する第１テープ心線、第２テープ心線、第３テープ心線及び第４テープ心線は、それぞれ、第２信号送受部材・右側挿入孔底面、第２信号送受部材・左側挿入孔底面、第２信号送受部材・右側挿入孔頂面及び第２信号送受部材・左側挿入孔頂面に取り付けられており、第１テープ心線と第３テープ心線との間には隙間が存在し、第２テープ心線と第４テープ心線との間には隙間が存在する構成とすることができる。尚、代表的な例としてテープ心線の例を挙げたが、無論、全てがばらばらになった状態の心線でもよいし、テープ心線とばらばらになった状態の心線とが混在した状態でもよい。
【００４３】
そして、このような構成において、テープ心線は、
ベース樹脂シート、
ベース樹脂シート上に並置された複数のコア材、並びに、
ベース樹脂シート及び複数のコア材を覆う被覆材、
から構成されている構成とすることができる。尚、このような構成を、便宜上、『導波路ユニット構造』と呼ぶ。
【００４４】
〈第１０の構成に係る光電コネクタ〉
あるいは又、以上に説明した各種の好ましい構成を含む第１の構成に係る光電コネクタ〜第８の構成に係る光電コネクタを含む本開示の光電コネクタにおいて、第１信号送受部材には発光素子及び受光素子が備えられており、第２信号送受部材には発光素子及び受光素子が備えられている形態とすることができる。尚、このような形態の光電コネクタを、便宜上、『第１０の構成に係る光電コネクタ』と呼ぶ。即ち、第１信号送受部材及び第２信号送受部材のそれぞれには、発光素子及び受光素子が混載されている。ここで、第１信号送受部材に備えられた発光素子の数は、１又は複数とすることができるし、第１信号送受部材に備えられた受光素子の数は、１又は複数とすることができるし、第２信号送受部材に備えられた発光素子の数は、１又は複数とすることができるし、第２信号送受部材に備えられた受光素子の数は、１又は複数とすることができる。
【００４５】
第１０の構成に係る光電コネクタにおいて、プラグ筐体及びレセプタクル筐体のそれぞれには、発光素子・受光素子駆動用の半導体チップが配置されている構成とすることができる。そして、この場合、プラグ筐体及びレセプタクル筐体のそれぞれにおいて、発光素子及び受光素子は、第１の発光素子・受光素子群及び第２の発光素子・受光素子群から構成されており、第１の発光素子・受光素子群、第２の発光素子・受光素子群、第１の発光素子・受光素子群を駆動する第１の半導体チップ、及び、第２の発光素子・受光素子群を駆動する第２の半導体チップは、プリント基板に実装されている構成とすることができる。そして、更には、プリント基板は、両面リジッドプリント基板から成り、第１の発光素子・受光素子群、第２の発光素子・受光素子群及び第１の半導体チップは、両面リジッドプリント基板の一方の面に実装されており、第２の半導体チップは、両面リジッドプリント基板の他方の面に実装されている構成とすることができるし、あるいは又、プリント基板は、フレキシブルプリント基板から成り、第１の発光素子・受光素子群を駆動する第１の半導体チップは、フレキシブルプリント基板の一方の面の第１領域に実装されており、第２の発光素子・受光素子群を駆動する第２の半導体チップは、フレキシブルプリント基板の一方の面の第２領域に実装されており、第１の発光素子・受光素子群及び第２の発光素子・受光素子群は、第１領域と第２領域の間に位置するフレキシブルプリント基板の一方の面の第３領域に実装されている構成とすることができる。
【００４６】
〈第１０’の構成に係る光電コネクタ〉
あるいは又、以上に説明した各種の好ましい構成を含む第１の構成に係る光電コネクタ〜第８の構成に係る光電コネクタを含む本開示の光電コネクタにおいて、第１信号送受部材及び第２信号送受部材の一方は発光素子から成り、他方は受光素子から成る形態とすることができる。尚、このような形態の光電コネクタを、便宜上、『第１０’の構成に係る光電コネクタ』と呼ぶ。発光素子の数は、１又は複数とすることができるし、受光素子の数は、１又は複数とすることができる。
【００４７】
〈第１０’−Ａの構成に係る光電コネクタ〉／〈第１０’−Ａ−１の構成に係る光電コネクタ〉／〈第１０’−Ａ−２の構成に係る光電コネクタ〉
ここで、第１０’の構成に係る光電コネクタにあっては、発光素子を備えたプラグ筐体又はレセプタクル筐体には、発光素子駆動用の半導体チップが配置されている構成とすることができる。尚、このような構成を有する本開示の光電コネクタを、便宜上、『第１０’−Ａの構成に係る光電コネクタ』と呼ぶ。第１０’−Ａの構成に係る光電コネクタにおいて、電気信号が光信号に変換され、あるいは又、光信号が電気信号に変換される。ここで、この場合、
発光素子（具体的には、複数の発光素子）は、第１の発光素子群及び第２の発光素子群から構成されており、
第１の発光素子群、第２の発光素子群、第１の発光素子群を駆動する第１の半導体チップ、及び、第２の発光素子群を駆動する第２の半導体チップは、プリント基板に実装されている構成とすることができ、更には、
プリント基板は、両面リジッドプリント基板から成り、
第１の発光素子群、第２の発光素子群及び第１の半導体チップは、両面リジッドプリント基板の一方の面に実装されており、
第２の半導体チップは、両面リジッドプリント基板の他方の面に実装されている構成とすることができ、あるいは又、
プリント基板は、フレキシブルプリント基板から成り、
第１の発光素子群を駆動する第１の半導体チップは、フレキシブルプリント基板の一方の面の第１領域に実装されており、
第２の発光素子群を駆動する第２の半導体チップは、フレキシブルプリント基板の一方の面の第２領域に実装されており、
第１の発光素子群及び第２の発光素子群は、第１領域と第２領域の間に位置するフレキシブルプリント基板の一方の面の第３領域に実装されている構成とすることができる。
【００４８】
〈第１０’−Ｂの構成に係る光電コネクタ〉／〈第１０’−Ｂ−１の構成に係る光電コネクタ〉／〈第１０’−Ｂ−２の構成に係る光電コネクタ〉
更には、以上に説明した各種の好ましい構成を含む第１０’の構成に係る光電コネクタ（第１０’−Ａの構成に係る光電コネクタ、第１０’−Ａ−１の構成に係る光電コネクタ、第１０’−Ａ−２の構成に係る光電コネクタを含む）において、受光素子を備えたプラグ筐体又はレセプタクル筐体には、受光素子駆動用の半導体チップが配置されている構成とすることができる。尚、このような構成を有する本開示の光電コネクタを、便宜上、『第１０’−Ｂの構成に係る光電コネクタ』と呼ぶ。第１０’−Ｂの構成に係る光電コネクタにおいて、電気信号が光信号に変換され、あるいは又、光信号が電気信号に変換される。ここで、この場合、
受光素子（具体的には、複数の受光素子）は、第１の受光素子群及び第２の受光素子群から構成されており、
第１の受光素子群、第２の受光素子群、第１の受光素子群を駆動する第１の半導体チップ、及び、第２の受光素子群を駆動する第２の半導体チップは、プリント基板に実装されている構成とすることができ、この場合、
プリント基板は、両面リジッドプリント基板から成り、
第１の受光素子群、第２の受光素子群及び第１の半導体チップは、両面リジッドプリント基板の一方の面に実装されており、
第２の半導体チップは、両面リジッドプリント基板の他方の面に実装されている構成とすることができ、あるいは又、
プリント基板は、フレキシブルプリント基板から成り、
第１の受光素子群を駆動する第１の半導体チップは、フレキシブルプリント基板の一方の面の第１領域に実装されており、
第２の受光素子群を駆動する第２の半導体チップは、フレキシブルプリント基板の一方の面の第２領域に実装されており、
第１の受光素子群及び第２の受光素子群は、第１領域と第２領域の間に位置するフレキシブルプリント基板の一方の面の第３領域に実装されている構成とすることができる。
【００４９】
更には、以上に説明した各種の好ましい構成を含む第１０の構成に係る光電コネクタあるいは第１０’の構成に係る光電コネクタにおいて、発光素子は面発光半導体レーザ素子（垂直共振器レーザ、ＶＣＳＥＬ）から成る構成とすることができる。
【００５０】
〈第１１−Ａの構成に係る光電コネクタ〉／〈第１１−Ｂの構成に係る光電コネクタ〉
更には、以上に説明した各種の好ましい構成を含む第１０の構成に係る光電コネクタあるいは第１０’の構成に係る光電コネクタにおいて、プラグ筐体は第１のミラー部を備えており、
第１信号送受部材からの光は、第１のミラー部によって光路を変えられ、第２信号送受部材へと向かい、又は、第２信号送受部材からの光は、第１のミラー部によって光路を変えられ、第１信号送受部材へと向かう構成（このような構成を有する本開示の光電コネクタを、便宜上、『第１１−Ａの構成に係る光電コネクタ』と呼ぶ）とすることができるし、更には、以上に説明した各種の好ましい構成を含む第１０の構成に係る光電コネクタあるいは第１０’の構成に係る光電コネクタにおいて、
レセプタクル筐体は第２のミラー部を備えており、
第１信号送受部材からの光は、第２のミラー部によって光路を変えられ、第２信号送受部材へと向かい、又は、第２信号送受部材からの光は、第２のミラー部によって光路を変えられ、第１信号送受部材へと向かう構成（このような構成を有する本開示の光電コネクタを、便宜上、『第１１−Ｂの構成に係る光電コネクタ』と呼ぶ）とすることができる。第１のミラー部は、１つのミラーから構成されてもよいし、２以上の複数のミラーから構成されてもよい。同様に、第２のミラー部は、１つのミラーから構成されてもよいし、２以上の複数のミラーから構成されてもよい。
【００５１】
更には、以上に説明した各種の好ましい形態、構成を含む第１の構成に係る光電コネクタ〜第１０の構成に係る光電コネクタあるいは第１０’の構成に係る光電コネクタを含む本開示の光電コネクタにおいて、プラグ筐体、又は、レセプタクル筐体、又は、プラグ筐体及びレセプタクル筐体には、電子能動部品が内蔵されている構成とすることができる。具体的には、メモリやＷｉ−Ｆｉ（登録商標）、Ｂｌｕｅｔｏｏｔｈ（登録商標）等の通信素子、ＬＥＤ等の発光素子を搭載し、光電コネクタを、小型のストレージ、無線モジュール、表示装置として機能させてもよい。あるいは又、微粘着剤やブラシ等を配置し、第１信号送受部材や第２信号送受部材を清浄な状態に保持する構成とすることもできる。
【実施例１】
【００５２】
実施例１は、本開示の光電コネクタに関し、更には、実施例１の光電コネクタは、第２構造の信号送受部材、第１の構成に係る光電コネクタ、第１’の構成に係る光電コネクタ、第２の構成に係る光電コネクタ、第４の構成に係る光電コネクタ、第５の構成に係る光電コネクタ、第６の構成に係る光電コネクタ、第８の構成に係る光電コネクタ、第９の構成に係る光電コネクタに関し、また、側面電極構造、第２構造の第２信号送受部材・付勢手段を有する光電コネクタに関する。【００５３】
実施例１の光電コネクタを構成するプラグ及びレセプタクルの斜視図を図１に示す。また、実施例１の光電コネクタを構成するプラグ（プラグカバー及びプラグ筐体）の分解斜視図を図２に示し、プラグ（プラグカバー及びプラグ筐体）の一部分の分解斜視図を図３に示し、プラグ（プラグカバー及びプラグ筐体）を仮想水平面で切断したときの模式的な断面図を図４に示し、プラグ筐体を仮想水平面で切断したときの模式的な断面図（但し、プラグ筐体を上方から眺めた断面図）を図５に示し、プラグ筐体を仮想水平面で切断したときの模式的な断面図（但し、プラグ筐体を下方から眺めた断面図）を図６に示し、プラグカバーを仮想水平面で切断したときの模式的な断面図（但し、プラグカバーを下方から眺めた断面図）を図７に示し、第１ガイドピン固定部及び第１ガイドピンを拡大して示す斜視図を図８Ａ、図８Ｂ及び図８Ｃに示す。更には、実施例１の光電コネクタを構成するレセプタクルの分解斜視図を図９に示し、レセプタクルを斜め上から眺めた斜視図を図１０に示し、レセプタクルを斜め下から眺めた斜視図を図１１に示し、レセプタクルを仮想水平面で切断したときの模式的な断面図（但し、レセプタクルを上方から眺めた断面図）を図１２に示す。また、プラグ筐体・付勢手段の模式的な平面図を図１３Ａに示し、模式的な断面図を図１３Ｂに示し、模式的な斜視図を図１３Ｃに示し、プラグ筐体・付勢手段の変形例の模式的な斜視図を図１３Ｄ及び図１３Ｅに示す。第１信号送受部材、第２信号送受部材を対向面側から眺めた模式図を図１４Ａに示し、第１信号送受部材、第２信号送受部材を対向面とは反対側から眺めた模式図（但し、信号線を除いた状態）を図１４Ｂに示し、第１信号送受部材、第２信号送受部材を対向面とは反対側から眺めた模式図（但し、信号線を取り付けた状態）を図１４Ｃに示し、図１４Ａの矢印Ａ−Ａに沿った模式的な断面図を図１５Ａに示し、図１４Ａの矢印Ｂ−Ｂに沿った模式的な断面図を図１５Ｂに示し、第１信号送受部材の斜視図を図１５Ｃに示し、信号線及び電気配線を纏めたケーブルの模式的な断面図を図１６Ａ及び図１６Ｂに示す。更には、第２シャッターの動きを説明するための、実施例１の光電コネクタを構成するレセプタクル筐体を仮想水平面で切断したときの模式的な断面図（但し、レセプタクル筐体を上方から眺めた断面図）、及び、レセプタクル筐体の模式的な側面図を、図１７Ａ及び図１７Ｂに示し、図１７Ａ及び図１７Ｂに引き続き、第２シャッターの動きを説明するための、実施例１の光電コネクタを構成するレセプタクル筐体を仮想水平面で切断したときの模式的な断面図（但し、レセプタクル筐体を上方から眺めた断面図）、及び、レセプタクル筐体の模式的な側面図を、図１８Ａ及び図１８Ｂに示す。尚、種々の図面にあっては、実施例の光電コネクタにおける構成部品の一部の図示を省略している場合がある。【００５４】
実施例１あるいは後述する実施例２〜実施例１０の光電コネクタは、
第１信号線４１１及び第１電気配線４２１に取り付けられるプラグ１１、並びに、
第２信号線４１２及び第２電気配線４２２に取り付けられ、プラグ１１と嵌合し、光学的及び電気的にプラグ１１と接続されるレセプタクル１２、
から構成されている。【００５５】
そして、プラグ１１は、
（Ａ−１）プラグ筐体２００、
（Ａ−２）プラグ筐体２００内に配置され、プラグ筐体２００に後部が固定され、プラグ１１の軸線と平行に延びる（即ち、Ｘ方向に延びる）第１ガイドピン２２０、
（Ａ−３）プラグ筐体２００内に配置され、第１信号線４１１に接続され、第１ガイドピン２２０が侵入する第１ガイドピン穴２３１を有し、第１ガイドピン２２０に取り付けられた（具体的には、第１ガイドピン２２０に固定された）第１信号送受部材２３０、
（Ａ−４）プラグ筐体２００に固定され、第１電気配線４２１（一部の図面には図示せず）が取り付けられる第１電極部２６０、並びに、
（Ａ−５）プラグ筐体２００に配設されたプラグ筐体・付勢手段２５０、
を備えている。【００５６】
一方、レセプタクル１２は、
（Ｂ−１）レセプタクル筐体３００、
（Ｂ−２）レセプタクル筐体３００内に配置され、第２信号線４１２に接続され、レセプタクル筐体３００に対して移動自在な第２信号送受部材３３０、
（Ｂ−３）レセプタクル筐体３００に固定され、第２電気配線４２２（一部の図面には図示せず）が取り付けられる第２電極部３６０、並びに、
（Ｂ−４）第２信号送受部材３３０をレセプタクル１２の前方に向かって付勢する第２信号送受部材・付勢手段３２１、
を備えている。【００５７】
そして、プラグ１１とレセプタクル１２とが嵌合した状態において、
（ａ）第１電極部２６０と第２電極部３６０とは接触して、導通状態となり、
（ｂ）第２信号送受部材３３０と対向する第１信号送受部材２３０の対向面２３０Ａと、第１信号送受部材２３０と対向する第２信号送受部材３３０の対向面３３０Ａとは、相対的に移動不可の状態で接触し、
（ｃ）第１信号送受部材２３０及び第２信号送受部材３３０は、第２信号送受部材・付勢手段３２１によってプラグ１１の後方に向かって付勢され、
（ｄ）プラグ筐体２００は、プラグ筐体・付勢手段２５０及び第２電極部３６０によって、プラグ１１の軸線に直交する方向に付勢される。【００５８】
レセプタクル筐体３００は、第２面３０４に設けられた爪３１０によって、図示しない基板（マザーボード）に取り付けられている。一方、プラグは、通常、フリーな状態にあり、光電コネクタを使用する使用者が、プラグ筐体２００をレセプタクル筐体３００へ挿入することで、プラグとレセプタクルの嵌合が達成される。【００５９】
実施例１の光電コネクタにおいて、レセプタクル１２は、レセプタクル筐体３００内に配置され、レセプタクル筐体３００に後部が固定され、レセプタクル１２の軸線と平行に延びる第２ガイドピン３２０を更に備えている。また、第２信号送受部材３３０は、第２ガイドピン３２０が侵入する第２ガイドピン穴３３１を有している。そして、プラグ１１とレセプタクル１２とが嵌合するとき、第１ガイドピン穴２３１を貫通した第１ガイドピン２２０は第２ガイドピン穴３３１に侵入する。即ち、実施例１の光電コネクタにおける信号送受部材２３０，３３０は、第２構造の信号送受部材である。これにより、第１ガイドピン２２０は、第１信号送受部材２３０及び第２信号送受部材３３０の相互の位置決めを行うことができ、位置決めのための部品が不要となり、より小型化と低コスト化が可能となる。第１ガイドピン２２０の先端部分２２１は、若干、細くなっており、第２ガイドピン穴３３１に容易に侵入することができる。第２ガイドピン３２０の後部は、具体的には、レセプタクル保護部材３５０に取り付けられているし、第１ガイドピン２２０の後部は、具体的には、プラグ筐体２００に配設された第１ガイドピン固定部２１４に取り付けられている。第１ガイドピン２２０及び第２ガイドピン３２０は、金属又は合金（例えば、ステンレス鋼）から作製されている。【００６０】
具体的には、第１ガイドピン固定部２１４及び第１ガイドピン２２０を拡大して示す図８Ａの斜視図に示すように、第１ガイドピン固定部２１４に設けられた把持部２２２に第１ガイドピン２２０の後部が把持、固定されている。あるいは又、第１ガイドピン固定部２１４及び第１ガイドピン２２０を拡大して示す図８Ｂ及び図８Ｃの斜視図に示すように、第１ガイドピン固定部２１４に相当する把持部材２２３によって第１ガイドピン２２０の後部が把持、固定されている。把持部材２２３は、プラグ筐体２００の第１側面２０１及び第２側面２０２に固定されている。第１ガイドピン２２０には図示しない溝が形成されており、第１信号送受部材２３０に設けられた第１ガイドピン穴２３１の内面には図示しない突起が設けられており、第１ガイドピン２２０を第１ガイドピン穴２３１に挿入するとき、突起と溝が嵌合し、第１信号送受部材２３０を第１ガイドピン２２０に取り付ける（固定する）ことができる。【００６１】
第２信号送受部材・付勢手段３２１は、第２ガイドピン３２０と第２信号送受部材３３０との間に位置し、第２ガイドピン３２０の外周を取り囲むバネ（押しバネ、圧縮バネ）から成る。即ち、実施例１の光電コネクタにおいて、第２信号送受部材・付勢手段は第２構造の第２信号送受部材・付勢手段から構成されている。これによって、簡素な構造であるにも拘わらず、プラグとレセプタクルとが嵌合した状態において、第１信号送受部材２３０及び第２信号送受部材３３０を、確実に、プラグ１１の後方に向かって付勢することができる。また、プラグ１１は、更に、プラグカバー１００を備えており、プラグ筐体２００は、プラグカバー１００内を移動自在に配置されている。【００６２】
第２信号送受部材・付勢手段（バネ）３２１の押圧量は、レセプタクル筐体３００と嵌合したプラグ筐体２００が容易に抜けないような値であって、しかも、出来るだけ大きな値に設定することが好ましい。その理由は、光電コネクタに振動等の外乱が加わったときに、第１信号送受部材２３０及び第２信号送受部材３３０の位置関係に変化が生じることを防止するためである。実施例１の光電コネクタは、数十ギガｂｐｓオーダー乃至数百ギガｂｐｓオーダーの大容量光信号伝送を行うことを意図しているので、第１信号送受部材２３０及び第２信号送受部材３３０の位置関係はもとより、嵌合応力（第１信号送受部材２３０と第２信号送受部材３３０との間に加わる押付け力等）の変化に伴う第１信号送受部材２３０及び第２信号送受部材３３０の僅かな変形、共振によっても、ジッターの増加、光結合効率の変化等の悪影響を受ける。それ故、これらを避けるために、第２信号送受部材・付勢手段（バネ）３２１の押圧量（与圧）は可能な範囲で大きな値に設定することが重要である。【００６３】
第２信号送受部材・付勢手段３２１は、第２信号送受部材３３０をレセプタクル前方に向かって付勢する。即ち、プラグ１１とレセプタクル１２が嵌合している状態にあっては、前述したとおり、第１信号送受部材２３０は、第２信号送受部材・付勢手段３２１によって、プラグ後方に向かって付勢される。【００６４】
ところで、第１信号送受部材２３０は、実施例１にあっては、第１ガイドピン２２０に固定されている。また、第２信号送受部材３３０は、第２ガイドピン３２０に対して移動自在である。即ち、第２信号送受部材３３０は、レセプタクル筐体３００に対して、一種、フローティング状態にある。光電コネクタのサイズは非常に小さいため、プラグ１１やレセプタクル１２、第１信号線４１１、第１電気配線４２１に強めの負荷が加わった場合、即ち、例えば、光電コネクタを使用する使用者が過大な力によってプラグ筐体２００をレセプタクル筐体３００へ挿入した場合、この負荷によってレセプタクル筐体３００が歪みが生じる虞がある。ここで、第２信号送受部材３３０がレセプタクル筐体３００に対して固定された構造を採用した場合、この歪みが高精度な第２信号送受部材３３０にも僅かながら伝わり、第２信号送受部材３３０が変形し、信号伝送に悪影響を及ぼしてしまう。また、後述するように、発光素子や受光素子をレセプタクル筐体に内蔵させる場合、第２信号送受部材３３０が固定されているということは、発光素子や受光素子も固定された状態であることを意味し、レセプタクル筐体３００の偏応力が、発光素子や受光素子が実装されたプリント基板を介して、発光素子や受光素子に伝わってしまう。これらの発光素子や受光素子は、例えば、直径１００μｍ以下の微小なハンダバンプによって電気的に接続されているため、この僅かな歪みが伝わるだけでも、ハンダバンプが破損してしまう虞がある。それ故、第２信号送受部材３３０を、一種、フローティング状態（レセプタクル筐体３００に固定されていない状態）とすることが重要である。【００６５】
ここで、実施例１あるいは後述する実施例２〜実施例１０の光電コネクタにおいて、プラグカバー１００は、プラグ１１の軸線と平行に延びる（即ち、Ｘ方向に延びる）第１側面１０１及び第２側面１０２、プラグ１１の軸線と平行に延びる第１側面１０１の一方の辺と第２側面１０２の一方の辺とを結ぶ第１面１０３、並びに、プラグ１１の軸線と平行に延びる第１側面１０１の他方の辺と第２側面１０２の他方の辺とを結ぶ第２面１０４の４面を有している。第１側面１０１及び第２側面１０２は、ＸＺ平面と平行である。また、第１面１０３及び第２面１０４は、ＸＹ平面と平行である。【００６６】
また、プラグ筐体２００は、プラグ１１の軸線と平行に延びる（即ち、Ｘ方向に延びる）第１側面２０１及び第２側面２０２、プラグ１１の軸線と平行に延びる第１側面２０１の一方の辺と第２側面２０２の一方の辺とを結ぶ第１面２０３、並びに、プラグ１１の軸線と平行に延びる第１側面２０１の他方の辺と第２側面２０２の他方の辺とを結ぶ第２面２０４の４面を有している。第１側面２０１及び第２側面２０２は、ＸＺ平面と平行である。また、第１面２０３及び第２面２０４は、ＸＹ平面と平行である。【００６７】
更には、レセプタクル筐体３００は、レセプタクル１２の軸線と平行に延びる（即ち、Ｘ方向に延びる）第１側面３０１及び第２側面３０２、レセプタクル１２の軸線と平行に延びる第１側面３０１の一方の辺と第２側面３０２の一方の辺とを結ぶ第１面３０３、並びに、レセプタクル１２の軸線と平行に延びる第１側面３０１の他方の辺と第２側面３０２の他方の辺とを結ぶ第２面３０４の４面を有する。第１側面３０１及び第２側面３０２は、ＸＺ平面と平行である。また、第１面３０３及び第３面２０４は、ＸＹ平面と平行である。【００６８】
そして、プラグ筐体２００は、レセプタクル筐体３００の内部を移動可能である。即ち、実施例１の光電コネクタは、第１の構成に係る光電コネクタである。【００６９】
プラグカバー１００、プラグ筐体２００及びレセプタクル筐体３００は金属板（例えば、厚さは２００μｍ乃至３００μｍのステンレス鋼板）を加工することで作製されている。具体的には、プラグ筐体２００の第１側面２０１、第２側面２０２及び第２面２０４は一体に作製されており、断面形状が「コ」の字部材から成る。一方、プラグ筐体２００の第１面２０３は蓋状の部材から成り、プラグ筐体２００の第１面２０３はビス２１３を用いて「コ」の字部材に固定されている。プラグ筐体２００の第１面２０３を、スナップフィット（弾性ロック爪機構）や接着剤によって、「コ」の字部材に固定することもできる。レセプタクル筐体３００は、金属板を四つ折りにした四角筒状の部材から成る。プラグカバー１００は、例えば、厚さは２００μｍ乃至３００μｍのステンレス鋼板から成る金属板を四つ折りにした四角筒状の部材から成り、後端の部分はユーザーが保持するための樹脂部材１１０で覆われている。【００７０】
また、第１信号送受部材２３０及び第２信号送受部材３３０は、プラスチック材料を射出成形することで作製されている。第２信号送受部材・突起部３３２と同様の突起部を第１信号送受部材２３０に設けて、第１信号送受部材２３０と第２信号送受部材３３０を同じ構造とすることで、信号送受部材の製造コストの低減を図ってもよい。第１信号送受部材２３０と、プラグ筐体２００の第１側面２０１、第２側面２０２、第１面２０３、第２面２０４との間には、５０μｍ乃至１００μｍの隙間が存在する。第１信号送受部材２３０は、プラグ筐体２００の内部で固定されている。第１電気配線４２１及び第２電気配線４２２は、例えば、約１００ワット（４８ボルト、２アンペア）を供給するために、ＡＷＧ２６サイズ等が適用され、その本数は２本以上である。【００７１】
更には、実施例１あるいは後述する実施例２〜実施例１０の光電コネクタにおいて、レセプタクル１２と対向するプラグカバー１００の前端１００Ｆ、及び、プラグカバー１００の前端１００Ｆと対向するプラグカバー１００の後端１００Ｂは、開口している。また、レセプタクル筐体３００と対向するプラグ筐体２００の前端２００Ｆ、及び、プラグ筐体２００の前端２００Ｆと対向するプラグ筐体２００の後端２００Ｂは、開口している。更には、プラグ筐体２００と対向するレセプタクル筐体３００の前端３００Ｆ、及び、レセプタクル筐体３００の前端３００Ｆと対向するレセプタクル筐体３００の後端３００Ｂは、開口している。【００７２】
また、実施例１あるいは後述する実施例２〜実施例１０の光電コネクタにおいて、第１電極部２６０は接点部２６１，２６２を有しており、第２電極部３６０は、第１電極部２６０の接点部２６１，２６２と接触する接触片（接点）３６１，３６２を有している。そして、プラグ１１とレセプタクル１２とが嵌合した状態において、第１電極部２６０の接点部２６１，２６２と接触した第２電極部３６０の接触片３６１，３６２によって、プラグ筐体２００はプラグ１１の軸線に直交する方向に付勢される。実施例１の光電コネクタにおいて、プラグ筐体２００は、具体的には、Ｙ方向に付勢される。即ち、実施例１の光電コネクタは、第１’の構成に係る光電コネクタである。第１電極部２６０の後端部２６３において、第１電極部２６０は第１電気配線４２１に接続される。【００７３】
即ち、実施例１の光電コネクタにあっては、第１電極部２６０は２つの接点部２６１，２６２を有しており、第１電極部２６０の２つの接点部２６１，２６２は電源用接点部及び接地用接点部から成る。また、第２電極部３６０は２つの接触片３６１，３６２を有しており、第２電極部３６０の２つの接触片３６１，３６２は電源用接触片及び接地用接触片から成る。そして、このような構成を採用することでリバーシブル対応の電極部を達成することができる。即ち、レセプタクル筐体３００の第１面３０３とプラグ筐体２００の第１面２０３とが対応するようにレセプタクル１２とプラグ１１とを嵌合させることもできるし、レセプタクル筐体３００の第１面３０３とプラグ筐体２００の第２面２０４とが対応するようにレセプタクル１２とプラグ１１とを嵌合させることもできる。【００７４】
具体的には、実施例１の光電コネクタにおいて、
プラグ１１は、２つの第１電極部２６０を備えており、
レセプタクル１２は、２つの第２電極部３６０を備えており、
２つの第１電極部２６０のそれぞれは、プラグ筐体２００の第１側面２０１及び第２側面２０２に沿って、プラグ筐体２００の第２面２０４に固定されており、
２つの第２電極部３６０のそれぞれは、レセプタクル筐体３００の第１側面３０１及び第２側面３０２に沿って固定されている。即ち、実施例１の光電コネクタは、側面電極構造を有する。２つの第１電極部２６０のそれぞれは、プラグ筐体２００の第２面２０４に設けられた第１電極部取付用・開口部２１１において固定されており、２つの第２電極部３６０のそれぞれは、レセプタクル筐体３００の第２面３０４に設けられた基部３０９に載置され、固定されている。第１電極部２６０のプラグ筐体２００の第２面２０４への固定、第２電極部３６０のレセプタクル筐体３００の基部３０９への固定は、例えば、ネジやビス、スナップフィット、接着剤等を用いて行うことができる。【００７５】
そして、側面電極構造を有する実施例１の光電コネクタにあっては、プラグ１１とレセプタクル１２とが嵌合した状態において、上述したとおり、第２電極部３６０の接触片３６１，３６２によってプラグ筐体２００の側面２０１，２０２が付勢される。即ち、プラグ筐体２００はＹ方向に付勢される。プラグカバー１００の第１側面１０１及び第２側面１０２のそれぞれには、第２電極部３６０の接触片３６１，３６２が侵入するプラグカバー・開口部１０５が設けられている。また、プラグ筐体２００の第１側面２０１及び第２側面２０２のそれぞれには、第２電極部３６０の接触片３６１，３６２が侵入するプラグ筐体・開口部２１２が設けられている。【００７６】
更には、実施例１の光電コネクタにおいて、第２電極部３６０の接触片３６１，３６２は、支持点３６６を中心に、レセプタクル筐体３００の側面３０１，３０２に近づく方向、及び、レセプタクル筐体３００の側面３０１，３０２から離れる方向に回動可能である。そして、第２電極部３６０の接触片３６１，３６２をレセプタクル筐体３００の側面３０１，３０２から遠ざかる方向に付勢する接触片・付勢手段３６８が、第２電極部３６０の接触片３６１，３６２とレセプタクル筐体３００の側面３０１，３０２との間に配設されており、支持点３６６を挟んで、接触片３６１，３６２とは反対側の第２電極部３６０の部分には、第２電極部・係止部材３６７が配設されている。また、プラグ筐体２００の第１側面２０１及び第２側面２０２のそれぞれの先端部分２０５には、第２電極部・係止用凹部２０６が設けられている。そして、プラグ１１とレセプタクル１２とが嵌合するとき、第２電極部・係止部材３６７と第２電極部・係止用凹部２０６とが接触、係合し（図２５、図２７参照）、支持点３６６を中心として、第２電極部３６０の接触片３６１，３６２が第１電極部２６０の接触部２６１，２６２に向かって回動し、第２電極部３６０の接触片３６１，３６２と第１電極部２６０の接触部２６１，２６２とが接触する。また、第２電極部・係止部材３６７と第２電極部・係止用凹部２０６との係合によって、プラグ１１はレセプタクル１２に対して固定される。第２電極部３６０の後端部３６３，３６４（これらは接触片３６１，３６２と一体に作製されている）において、第２電極部３６０は第２電気配線４２２に接続される。接触片３６１，３６２、第２電極部３６０の後端部３６３，３６４、第２電極部・係止部材３６７は、第２電極部本体３６５に固定されており、第２電極部本体３６５が、支持点３６６を中心として回動する。レセプタクル筐体３００の側面３０１，３０２には、接触片３６１，３６２のための開口部３０７、及び、第２電極部・係止部材３６７のための開口部３０８が設けられている。【００７７】
第２電極部３６０の接触片３６１，３６２の先端部分は、第２電極部３６０の接触片３６１，３６２が第１電極部２６０の接触部２６１，２６２に向かって回動するまでは、プラグカバー１００やプラグ筐体２００のいかなる部分とも接触しない構造となっており、これによって、接触片３６１と接触片３６２との間で短絡が生じることを確実に防止することができる。場合によっては、プラグカバー１００の第１側面１０１、第２側面１０２、プラグ筐体２００の第１側面２０１、第２側面２０２の表面（外面）に絶縁材料層を形成してもよい。【００７８】
また、実施例１あるいは後述する実施例２〜実施例１０の光電コネクタにおいて、レセプタクル筐体３００は、更に、レセプタクル筐体３００の第１側面３０１及び第２側面３０２の内側（内面）に取り付けられた第２信号送受部材・ガイド部材３５１を備えている。そして、レセプタクル筐体３００の第１側面３０１と対向する第２信号送受部材・ガイド部材３５１の第１側面、及び、レセプタクル筐体３００の第２側面３０２と対向する第２信号送受部材・ガイド部材３５１の第２側面のそれぞれには、レセプタクル１２の後部側から、レセプタクル１２の前部側に向かって、レセプタクル１２の軸線と平行に、途中まで延びる切欠部３５２が設けられており、第２信号送受部材３３０の側面には、切欠部３５２と嵌合する第２信号送受部材・突起部３３２が設けられている。このような構成の実施例１あるいは後述する実施例２〜実施例１０の光電コネクタは、第８の構成に係る光電コネクタである。第２信号送受部材・ガイド部材３５１は、金属板（例えば、ステンレス鋼板）を加工することで作製されている。【００７９】
導電性を有する金属あるいは合金材料から成る接点部２６１，２６２及び後端部２６３を有する第１電極部２６０は、周知の方法で作製すればよい。第２電極部３６０における接触片３６１，３６２は、導電性を有し、且つ、弾性を有する金属あるいは合金材料から作製すればよい。第２電極部・係止部材３６７は、弾性を有する金属あるいは合金材料から作製すればよい。接触片・付勢手段３６８は、具体的には、押しバネ（コイルバネ）や板バネから構成すればよい。接触片３６１，３６２、第２電極部３６０の後端部３６３，３６４、第２電極部・係止部材３６７は、プラスチック材料から成る第２電極部本体３６５と一体に成形すればよい。【００８０】
また、実施例１あるいは後述する実施例２〜実施例１０の光電コネクタにおいて、プラグ筐体２００の第２面２０４の外面にはプラグ筐体・付勢手段２５０が配されている。即ち、実施例１あるいは後述する実施例２〜実施例１０の光電コネクタは、第２の構成に係る光電コネクタである。具体的には、プラグ筐体２００の第２面２０４には、プラグ筐体・付勢手段２５０の付勢部と係合するプラグ筐体・凹部２１５が形成されており、プラグ筐体・凹部２１５の内にプラグ筐体・付勢手段２５０が収納されている。【００８１】
プラグ筐体・付勢手段２５０の模式的な平面図、模式的な断面図及び模式的な斜視図を、それぞれ、図１３Ａ、図１３Ｂ及び図１３Ｃに示す。また、プラグ筐体・付勢手段２５０の変形例の模式的な斜視図を図１３Ｄ及び図１３Ｅに示す。プラグ筐体・付勢手段２５０は、プラグ１１の軸線方向（Ｘ方向）に沿って、プラグ１１の前方側から順に、第１の部分２５１、第２の部分２５２及び第３の部分２５３から構成されている。そして、第２の部分２５２はプラグ筐体・凹部２１５と接触しており、第１の部分２５１及び第３の部分２５３は、プラグ筐体・凹部２１５と接触しておらず、付勢部を構成する。また、プラグカバー１００の第２面１０４には、プラグ筐体・付勢手段２５０の付勢部（具体的には、第１の部分２５１）と係合するプラグカバー・凹部１０６が設けられており、プラグカバー・凹部１０６には、プラグ筐体・付勢手段２５０と対向する開口部１０７が設けられている。プラグカバー・凹部１０６とプラグ筐体・付勢手段２５０の付勢部（具体的には、第１の部分２５１）とが係合状態にあるとき（図３０Ａ参照）、プラグ筐体２００はプラグカバー１００に対して固定された状態にある。即ち、一旦、組み立てられたプラグ筐体２００は、プラグカバー１００から取り外すこともできなくなる。但し、メンテナンス用の小さな穴（図示せず）をプラグカバー１００に設けておき、修理を要する場合等には分解できるようにする。この穴は、通常、樹脂等で蓋されており、使用者が容易に分解できないようにしてある。【００８２】
レセプタクル筐体３００の第１面３０３及び第２面３０４にはロック解除爪３０５，３０６が設けられており、プラグカバー１００がレセプタクル筐体３００に最も接近したとき、ロック解除爪３０５，３０６は（具体的には、いずれか一方は）、プラグカバー・凹部１０６に設けられた開口部１０７に侵入し、プラグ筐体・付勢手段２５０の付勢部を構成する第１の部分２５１をプラグ筐体２００の第１面２０３に向かって付勢し、プラグカバー・凹部１０６とプラグ筐体・付勢手段２５０の付勢部２５１との係合が解除される（図３０Ｂ参照）。そして、プラグカバー・凹部１０６とプラグ筐体・付勢手段２５０の付勢部との係合が解除されることで、プラグ筐体２００はプラグカバー１００に対して移動自在となる。即ち、プラグ筐体２００はレセプタクル筐体３００に向かって移動可能となる（図３０Ｃ参照）。【００８３】
プラグ１１とレセプタクル１２とが嵌合した状態において、プラグ筐体・付勢手段２５０の付勢部（第１の部分２５１）はプラグカバー１００の第２面１０４と接し、プラグ筐体２００をプラグカバー１００の第１面１０３に向かって付勢する（図３０Ｃ参照）。即ち、プラグ筐体２００はＺ方向にも付勢される。【００８４】
実施例１あるいは後述する実施例２〜実施例１０の光電コネクタにおいて、プラグ筐体２００の後端２００Ｂは、プラグ保護部材２７０又はブーツ２７１で閉塞されており、レセプタクル筐体３００の後端３００Ｂは、レセプタクル保護部材３５０で閉塞されている。即ち、実施例１あるいは後述する実施例２〜実施例１０の光電コネクタは、第６の構成に係る光電コネクタである。図示しないブーツ２７１がプラグカバー１００及びプラグ保護部材２７０を覆っていてもよく、これによって、プラグ１１とレセプタクル１２との嵌合を行う行う際、また、プラグとレセプタクルとの嵌合を解く際、使用者がプラグカバー１００を直接掴むことができなくなり、プラグ１１とレセプタクル１２との嵌合を安全に行うことができる。ブーツ２７１は、周知の構成、構造を有しており、硬質樹脂、ゴム等から作製されている。プラグ保護部材２７０は、ネジやスナップフィット、接着剤等によって、プラグ筐体２００の後端部に取り付けられる。プラグ保護部材２７０には、光ファイバや後述するフレキシブル配線板等を脱着するため、中央部等に開口が設けられている。レセプタクル保護部材３５０は、ネジ３５３やスナップフィット、接着剤等によって、レセプタクル筐体３００の後端部に取り付けられる。レセプタクル保護部材３５０には、光ファイバや後述するフレキシブル配線板等を脱着するため、中央部等に開口が設けられている。レセプタクル保護部材３５０の代わりにブーツ等を被せてもよい。プラグ保護部材２７０やレセプタクル保護部材３５０はプラスチックから作製されている。【００８５】
実施例１あるいは後述する実施例２〜実施例１０の光電コネクタにおいて、プラグカバー１００の前部には、第１シャッター１２０が配設されている。第１シャッター１２０は、プラグ１１とレセプタクル１２とが嵌合するとき開状態となり、プラグ１１とレセプタクル１２との嵌合が解かれるとき閉状態となる。即ち、実施例１あるいは後述する実施例２〜実施例１０の光電コネクタは、第４の構成に係る光電コネクタである。【００８６】
プラグ筐体２００の第１側面２０１及び第２側面２０２のそれぞれの先端２０７の形状は略半円状であり、第１シャッターの側端部は、プラグ筐体２００の第１側面２０１及び第２側面２０２のそれぞれの先端２０７と係合する。第１シャッター１２０は、プラグカバー１００の第１面１０３からレセプタクル側に延びる第１シャッター・上側部品１２１、及び、プラグカバー１００の第２面１０４からレセプタクル側に延びる第１シャッター・下側部品１２３から構成されている。第１シャッター・上側部品１２１及び第１シャッター・下側部品１２３は、例えば、厚さが１０μｍ乃至１００μｍのバネ性に富んだ材料（弾性を有する金属あるいは合金材料）から作製されている。第１シャッター・上側部品１２１の先端部１２２は丸みを帯びており、第１シャッター・下側部品１２３の先端部１２４も、第１シャッター・上側部品１２１の先端部１２２と、プラグカバー側で係合するように丸みを帯びている。また、第１シャッター・上側部品１２１の先端部１２２は、補強のために、外側に向かって折り曲げられており、あるいは、折り返されて二重構造となっている。この補強部は、第１シャッター１２０が開いた位置ではプラグカバー１００の外側に位置するため、侵入してくる第１信号送受部材２３０に物理的に干渉することは無い。そして、これによって、別途、専用の補強材を用意する必要が無く、小型で簡素な補強構造を得ることができる。また、第１シャッター・上側部品１２１と第１シャッター・下側部品１２３とが、容易に、且つ、確実に重なり合うように、第１シャッター・下側部品１２３の先端部１２４の端部は切り欠かれている。更には、第１シャッター・下側部品１２３の先端部１２４の中央部は僅かに内側（プラグカバー１００の後端側）に折れ曲がった構造を有する。こうして、第１シャッター・上側部品１２１及び第１シャッター・下側部品１２３は、全体として隙間の無いシャッター構造を達成することができ、第１シャッター・上側部品１２１及び第１シャッター・下側部品１２３の合わせ目からレーザ光が漏れることを確実に防止することができる。また、これらの構造を有する第１シャッター・上側部品１２１の後端部及び第１シャッター・下側部品１２３、並びに、両脇のガイド（即ち、プラグ筐体２００の第１側面２０１及び第２側面２０２のそれぞれの先端２０７を含む先端部分２０５）により、これらが面接触状態を維持したまま、第１シャッター１２０が閉じるので、より密閉性が高まり、防塵性、ひいては、高い防滴性を得ることが可能となる。また、第１シャッター１２０が閉じた状態で外部から応力が加わっても、第１信号送受部材２３０を確実に保護することができる。第１シャッター・上側部品１２１の後端部及び第１シャッター・下側部品１２３の後端部は、それぞれ、プラグカバー１００の後端部に一体に取り付けられている。具体的には、第１シャッター・上側部品１２１の後端部及び第１シャッター・下側部品１２３の後端部は、それぞれプラグカバー１００の後端部にインサート成形技術に基づき一体に取り付けられている。第１シャッター・上側部品１２１や第１シャッター・下側部品１２３には、必要に応じて、ロック解除爪３０５，３０６が侵��する開口部が設けられている。また、後述する上下電極構造を有する光電コネクタにあっては、第２電極部における接触片が侵入する開口部が、第１シャッター・上側部品１２１及び第１シャッター・下側部品１２３に設けられている。【００８７】
図１７Ａ、図１７Ｂ、図１８Ａ、図１８Ｂに示すように、実施例１あるいは後述する実施例２〜実施例１０の光電コネクタにおいて、レセプタクル筐体３００の先端部分には、レセプタクル筐体３００の第２面３０４に向かって、且つ、レセプタクル筐体３００の後方に向かって開く第２シャッター３７０が配設されている。第２シャッター３７０は、バネ性に富んだ材料（弾性を有する金属あるいは合金材料）から作製されている。第２シャッター３７０は、プラグ１１とレセプタクル１２とが嵌合するとき開状態となり、プラグ１１とレセプタクル１２との嵌合が解かれるとき閉状態となる。レセプタクル筐体３００の第１側面３０１の外面及び第２側面３０２の外面のそれぞれには、第２シャッター・抑え部材３７１が取り付けられている。具体的には、第２シャッター・抑え部材３７１の後端部３７２が、レセプタクル筐体３００の第１側面３０１及び第２側面３０２に設けられた細孔３７４に挿入されている。そして、第２シャッター３７０が閉状態にあるとき、第２シャッター３７０の先端部３７０’は、第２シャッター・抑え部材３７１によって（具体的には、第２シャッター・抑え部材３７１の先端３７３によって）、レセプタクル筐体３００の第２面３０４に向かって移動しないように押さえられている。この状態において、第２シャッター・抑え部材３７１の先端３７３は、レセプタクル筐体３００の第１側面３０１及び第２側面３０２に設けられた細孔３７５を介して、レセプタクル筐体３００の内部に突出している。一方、プラグ１１とレセプタクル１２とが嵌合するとき、第２シャッター・抑え部材３７１の後端部３７２が、プラグ筐体２００の第１側面２０１及び第２側面２０２によって外側に押され、その結果、第２シャッター・抑え部材３７１の先端３７３も外側に押され、第２シャッター・抑え部材３７１による第２シャッター３７０の先端部３７０’の押さえ状態が解除され、第２シャッター３７０は、レセプタクル筐体３００の第２面３０４に向かって、且つ、レセプタクル筐体３００の後方に向かって開く。即ち、実施例１あるいは後述する実施例２〜実施例１０の光電コネクタは、第５の構成に係る光電コネクタである。図１８Ａ、図１８Ｂに示す第２シャッター３７０が開状態にあるとき、第２シャッター３７０は、その弾性力によって、図１７Ａ、図１７Ｂに示す状態に戻ろうとするが、プラグ筐体２００の第２面２０４によって、図１８Ａ、図１８Ｂに示す状態を保持される。【００８８】
実施例１の光電コネクタにおいて、第１信号送受部材２３０及び第２信号送受部材３３０はフェルールから成る。このような実施例１の光電コネクタは、第９の構成に係る光電コネクタである。ここで、通信光波長は、例えば、８５０ｎｍである。【００８９】
第１信号送受部材２３０は、第１信号送受部材２３０のプラグ後端側に設けられ、光ファイバ集合体から成る第１信号線４１１が挿入される第１信号送受部材・挿入孔２３４（図１４Ｂ参照）、及び、第１信号送受部材２３０のプラグ前端側に設けられ、光ファイバからの光又は光ファイバへの光を平行光にする第１信号送受部材用レンズ（レンズユニット２３３）を備えている（図１４Ａ参照）。一方、第２信号送受部材３３０は、第２信号送受部材３３０のレセプタクル後端側に設けられ、光ファイバ集合体から成る第２信号線４１２が挿入される第２信号送受部材・挿入孔３３４（図１４Ｂ参照）、及び、第２信号送受部材３３０のレセプタクル前端側に設けられ、光ファイバからの光又は光ファイバへの光を平行光にする第２信号送受部材用レンズ（レンズユニット３３３）を備えている（図１４Ａ参照）。具体的には、第１信号送受部材２３０の対向面２３０Ａ、及び、第２信号送受部材３３０の対向面３３０Ａのそれぞれに、レンズユニット２３３，３３３が接着剤を用いて貼り合わされている（図１５Ａ参照）。第１信号送受部材２３０の対向面２３０Ａ、及び、第２信号送受部材３３０の対向面３３０Ａのそれぞれに、レンズユニット２３３，３３３を一体に設けてもよい。レンズユニット２３３，３３３においては、例えば、Ｙ方向に２４個、Ｚ方向に２個の４８個のレンズが配列された、２×２４の４８チャンネルのアレイ配置となっている。Ｙ方向及びＺ方向におけるレンズの配列のピッチは２５０μｍであり、Ｙ方向、第１２番目のレンズと第１３番目のレンズの配列ピッチのみ、５００μｍである。レンズユニット２３３，３３３は、レンズ基板２３３Ａ，３３３Ａの表面に形成された複数のプラスチック・モールド・マイクロレンズ２３３Ｂ，３３３Ｂから成る。プラスチック・モールド・マイクロレンズが形成された面とは反対側のレンズ基板２３３Ａ，３３３Ａの表面は平滑である。【００９０】
第１信号送受部材２３０及び第２信号送受部材３３０の一部は、光ファイバを保持するために中空構造を有する。即ち、上述したとおり、第１信号送受部材２３０及び第２信号送受部材３３０は、フェルール構造を有する。それ故、２×２４チャンネル分の空間を第１信号送受部材２３０及び第２信号送受部材３３０に設けると、第１信号送受部材２３０及び第２信号送受部材３３０は、肉薄になり、機械的強度が低くなる。これを補うために、中央にリブ２３５，３３５を設ける（図１４Ｂ参照）。即ち、第１２番目のレンズと第１３番目のレンズの間に対応する第１信号送受部材２３０及び第２信号送受部材３３０の部分に、リブ２３５，３３５が形成されている。また、２×２４チャンネル分の空間を第１信号送受部材２３０及び第２信号送受部材３３０に設けるよりも、このような構造とすることで、光ファイバ固定精度の維持を図ることができる。【００９１】
ここで、プラグ１１とレセプタクル１２の位置決め精度を緩和するため、コリメート（平行光）結合の光学設計を採用している。光学的なパラメータは、例えば、
レンズ径：２４０μｍ
平行光径：１８０μｍ
である。また、レンズの外面から光ファイバ先端までの距離を７１４μｍとした。これは、レンズを構成する透明樹脂の屈折率１．６３、及び、マルチモードファイバのＮＡ＝０．２といった値から算出した値である。また、第１レンズ保護部材２４０及び第２レンズ保護部材３４０の厚さを２００μｍとし、レンズ部分の総厚を１０００μｍとした。【００９２】
第１信号送受部材２３０は第１レンズ保護部材２４０を備えており、第２信号送受部材３３０は第２レンズ保護部材３４０を備えている。第１レンズ保護部材２４０及び第２レンズ保護部材３４０は、額縁状の形状を有する。そして、第１信号送受部材２３０の対向面２３０Ａには、金属製（合金製を含み、具体的には、ステンレス鋼板製）の第１レンズ保護部材２４０が取り付けられており、第２信号送受部材３３０の対向面３３０Ａには、金属製（合金製を含み、具体的には、ステンレス鋼板製）の第２レンズ保護部材３４０が取り付けられている。具体的には、第１信号送受部材２３０と第１レンズ保護部材２４０とは接着剤によって貼り合わされており、第２信号送受部材３３０と第２レンズ保護部材３４０とは接着剤によって貼り合わされている。第１レンズ保護部材２４０及び第２レンズ保護部材３４０には、第１ガイドピン２２０及び第２ガイドピン３２０のための貫通孔２４１，３４１が設けられている（図１５Ｂ参照）。第１レンズ保護部材２４０及び第２レンズ保護部材３４０を設けることで、第１信号送受部材２３０及び第２信号送受部材３３０の耐久性、耐摩耗性の向上を図ることができるし、貫通孔２４１，３４１を設けることで、位置合わせ精度の一層の向上を図ることができる。但し、第１レンズ保護部材２４０及び第２レンズ保護部材３４０を設けることは、必須ではなく、省略することもできる。【００９３】
以上に説明した各種の好ましい構成を含む第９の構成に係る光電コネクタにおいて、第１信号線４１１を構成する光ファイバ集合体は、第１テープ心線４１１Ａ、第２テープ心線４１１Ｂ、第３テープ心線４１１Ｃ及び第４テープ心線４１１Ｄの４つ（４本）のテープ心線から構成されている。尚、これらのテープ心線を、図１４Ｃにおいては、模式的に、粗い斜線を付した概ね矩形形状で示している。第１信号送受部材・挿入孔２３４は、第１信号送受部材・右側挿入孔２３４Ｒ、及び、第１信号送受部材・右側挿入孔２３４Ｒと離間して設けられた第１信号送受部材・左側挿入孔２３４Ｌから構成されている。そして、図１４Ｃに示すように、第１信号線４１１を構成する第１テープ心線４１１Ａ、第２テープ心線４１１Ｂ、第３テープ心線４１１Ｃ及び第４テープ心線４１１Ｄは、それぞれ、第１信号送受部材・右側挿入孔２３４Ｒの底面、第１信号送受部材・左側挿入孔２３４Ｌの底面、第１信号送受部材・右側挿入孔２３４Ｒの頂面及び第１信号送受部材・左側挿入孔２３４Ｌの頂面に取り付けられており、第１テープ心線４１１Ａと第３テープ心線４１１Ｃとの間には隙間が存在し、第２テープ心線４１１Ｂと第４テープ心線４１１Ｄとの間には隙間が存在する。また、第２信号線４１２を構成する光ファイバ集合体は、第１テープ心線４１２Ａ、第２テープ心線４１２Ｂ、第３テープ心線４１２Ｃ及び第４テープ心線４１２の４つ（４本）のテープ心線から構成されている。第２信号送受部材・挿入孔３３４は、第２信号送受部材・右側挿入孔３３４Ｒ、及び、第２信号送受部材・右側挿入孔３３４Ｒと離間して設けられた第２信号送受部材・左側挿入孔３３４Ｌから構成されている。そして、第２信号線４１２を構成する第１テープ心線４１２Ａ、第２テープ心線４１２Ｂ、第３テープ心線４１２Ｃ及び第４テープ心線４１２Ｄは、それぞれ、第２信号送受部材・右側挿入孔３３４Ｒの底面、第２信号送受部材・左側挿入孔３３４Ｌの底面、第２信号送受部材・右側挿入孔３３４Ｒの頂面及び第２信号送受部材・左側挿入孔３３４Ｌの頂面に取り付けられており、第１テープ心線４１２Ａと第３テープ心線４１２Ｃとの間には隙間が存在し、第２テープ心線４１２Ｂと第４テープ心線４１２との間には隙間が存在する。【００９４】
ここで、テープ心線は、１２チャンネルアレイのテープ心線から構成されている。テープ心線の断面形状は長穴形状である。尚、このテープ心線から構成された光ファイバ心線は、周知の構成、構造を有する。光ファイバ素線は、具体的には、例えば、石英ガラス（屈折率ｎC＝１．５）から構成されたコア（例えば、直径５０μｍ）及びクラッド（例えば、直径１２５μｍ）から成り、１２本のコアがピッチ２５０μｍで一列に並ぶように配列されており、２次被覆は樹脂材料から構成されている。【００９５】
尚、光ファイバ心線位置決め部を有するフェルールを用いることもできる。【００９６】
第１信号送受部材２３０及び第２信号送受部材３３０と被覆を剥いた光ファイバとを一体部品として形成する。具体的には、先ず、光ファイバの被覆を除去し、次いで、第１信号送受部材・挿入孔２３４、第２信号送受部材・挿入孔３３４に光ファイバを挿入し、第１信号送受部材２３０及び第２信号送受部材３３０に接着する。その後、第１信号送受部材２３０及び第２信号送受部材３３０の対向面２３０Ａ，３３０Ａから突出した光ファイバの端部、はみ出した接着剤を除去し、対向面２３０Ａ，３３０Ａを研磨して、平滑にした後、対向面２３０Ａ，３３０Ａにレンズユニット２３３，３３３を接着すればよい。光ファイバの被覆を除去することなく、第１信号送受部材・挿入孔２３４、第２信号送受部材・挿入孔３３４に光ファイバを挿入してもよい。【００９７】
プラグ１１の外側で、第１信号線４１１及び第１電気配線４２１は一体となってケーブルを構成する。ケーブルは、例えば、図１６Ａあるいは図１６Ｂに示す断面構造を有する。尚、図１６Ａ及び図１６Ｂにおいて、ハッチングを省略した。図１６Ａに示す例にあっては、中央寄りに光ファイバ４１３（４１１）が最大、４８本、内蔵され、その両脇に２本の電線４２３（４２１）が配置されている。図１６Ｂに示す例にあっては、３本の電線４２３（４２１）が、仮想の正三角形の３つの頂点上に配置されており、また、光ファイバ４１３（４１１）が纏められてケーブルに内蔵されている。尚、図１６Ａに示すケーブルの断面は略矩形であり、図１６Ｂに示すケーブルの断面は円であり、後者の断面形状の方がより高い柔軟性を示す。ケーブルには、引っ張り耐性を高めるための補強ワイヤーを内蔵させてもよい。【００９８】
以下、図面を参照して、プラグ１１とレセプタクル１２の嵌合操作を説明する。尚、図面において、一点鎖線Ａを結ぶ直線は、レセプタクル筐体３００の前端３００Ｆを示す。光電コネクタの使用者が、プラグ保護部材２７０（あるいはブーツ２７１）を手で持ち、プラグ１１をレセプタクル１２に挿入し、プラグ１１をレセプタクル１２の側に押し込む。プラグ１１及びレセプタクル１２を仮想水平面で切断したときの模式的な断面図には、第１シャッター１２０及び第２シャッター３７０は図示していない。【００９９】
プラグ１１とレセプタクル１２とを嵌合する直前の実施例１の光電コネクタを構成するプラグ１１及びレセプタクル１２を仮想水平面で切断したときの模式的な断面図を図１９に示す。図１９に示す状態における第１シャッター１２０及びプラグ筐体２００の模式的な側面図を図３１Ａに示す。第１シャッター１２０、第２シャッター３７０は閉じた状態にある。【０１００】
プラグ１１とレセプタクルとの嵌合開始直後のプラグ１１及びレセプタクルを仮想水平面で切断したときの模式的な断面図を図２０に示す。また、図２０に示す状態において、仮想垂直面でプラグカバー１００及びプラグ筐体２００を切断したときの模式的な断面図を図３０Ａに示す。プラグ筐体・付勢手段２５０の付勢部（具体的には、第１の部分２５１）とプラグカバー・凹部１０６とは係合状態にあり、プラグ筐体２００はプラグカバー１００に対して固定された状態のままである。また、ロック解除爪３０６は、プラグカバー・凹部１０６に設けられた開口部１０７に到達していない。尚、図２０、図２１、図２２、図２４においては、第２電極部３６０の接触片３６１，３６２の先端部分がプラグカバー１００の第１側面１０１、第２側面１０２に接しているように図示しているが、実際には、接していない。【０１０１】
ところで、レセプタクル筐体３００の先端部分には、上述したとおり、レセプタクル筐体３００の第２面３０４に向かって、且つ、レセプタクル筐体３００の後方に向かって開く第２シャッター３７０が配設されている。第２シャッター３７０が閉状態にあるとき、図１７Ａ及び図１７Ｂに示すように、第２シャッター・抑え部材３７１の先端３７３は、レセプタクル筐体３００の第１側面３０１及び第２側面３０２に設けられた細孔３７５を介して、レセプタクル筐体３００の内部に突出している。これによって、第２シャッター３７０の先端部３７０’は、レセプタクル筐体３００の第２面３０４に向かって移動しないように押さえられている。プラグ１１とレセプタクルとの嵌合が開始し、プラグ１１がレセプタクル１２に挿入されると、第２シャッター・抑え部材３７１の後端部３７２が、プラグ筐体２００の第１側面２０１及び第２側面２０２によって外側に押され、その結果、第２シャッター・抑え部材３７１の先端３７３も外側に押され、第２シャッター・抑え部材３７１の先端３７３は、レセプタクル筐体３００の内部に突出している状態から、プラグカバーの第１側面１０１及び第２側面１０２のそれぞれの先端によって外側に押される。その結果、第２シャッター３７０は、レセプタクル筐体３００の第２面３０４に向かって、且つ、レセプタクル筐体３００の後方に向かって開く（図１８Ａ及び図１８Ｂ参照）。第２シャッター３７０が開状態にあるとき、第２シャッター３７０は、その弾性力によって、図１７Ａ、図１７Ｂに示す状態に戻ろうとするが、プラグ筐体２００の第２面２０４によって、図１８Ａ、図１８Ｂに示す状態を保持される。【０１０２】
レセプタクル１２に対してプラグ１１を更に挿入した状態のプラグ１１及びレセプタクル１２を仮想水平面で切断したときの模式的な断面図を図２１、図２２、図２４に示す。また、図２２に示す状態において、仮想垂直面でプラグ筐体２００を切断したときの模式的な断面図を図２３Ａに示し、仮想垂直面でプラグカバー１００とプラグ筐体２００とを切断したときの模式的な断面図を図２３Ｂ及び図３０Ｂに示す。尚、図２３Ｂにおいては、図３０Ｂと異なり、ロック解除爪３０６の図示を省略している。【０１０３】
図２２に示す状態は、プラグカバー１００がレセプタクル筐体３００に最も接近した状態である。レセプタクル筐体３００の前端３００Ｆと樹脂部材１１０とが、突き当たっている。あるいは又、レセプタクル筐体３００内に、プラグカバー１００の最奥部位置決め手段（図示せず）が設けられており、最奥部位置決め手段にプラグカバー１００が突き当たっている。そして、図２２に示した状態においては、第２電極部３６０の接触片３６１，３６２の先端部分が、プラグカバー・開口部１０５内に侵入する。また、ロック解除爪３０６が、プラグカバー・凹部１０６に設けられた開口部１０７に到達している（図３０Ｂ参照）。そして、ロック解除爪３０６が、プラグカバー・凹部１０６に設けられた開口部１０７に侵入し、プラグ筐体・付勢手段２５０の付勢部を構成する第１の部分２５１をプラグ筐体２００の第１面２０３に向かって付勢する。その結果、プラグカバー・凹部１０６とプラグ筐体・付勢手段２５０の付勢部２５１との係合が解除され、プラグ筐体２００はプラグカバー１００に対して移動自在となる。即ち、プラグ筐体２００はレセプタクル筐体３００に向かって移動可能となり、プラグ筐体２００の移動が開始する（図２４参照）。【０１０４】
プラグ筐体２００の移動が開始すると、第１シャッター１２０が開かれる。即ち、プラグ筐体２００の第１側面２０１及び第２側面２０２のそれぞれの先端２０７が、第１シャッター・上側部品１２１の先端部１２２、及び、第１シャッター・下側部品１２３の先端部１２４を、レセプタクル筐体側に押す。第１シャッターの側端部がプラグ筐体２００の第１面２０３及び第２面２０４の端部に接した状態で、第１シャッター・上側部品１２１の先端部１２２は上方へ移動を開始し、第１シャッター・下側部品１２３の先端部１２４は下方へ移動を開始する。【０１０５】
レセプタクル１２に対してプラグ１１を更に挿入し、第１レンズ保護部材２４０が第２レンズ保護部材３４０に突き当たった状態の模式的な断面図を図２５に示す。レンズユニット２３３とレンズユニット３３３との間には隙間が存在する。また、図２５に示す状態におけるプラグ筐体２００の裏面の模式的な平面図を図２６に示す。プラグ筐体２００の先端２０７が第２電極部・係止部材３６７と衝突し、第２電極部３６０の接触片３６１，３６２は、支持点３６６を中心に、レセプタクル筐体３００の側面３０１，３０２に近づく方向に回動し、第２電極部３６０の接触片３６１，３６２の先端部分が、プラグ筐体・開口部２１２内に侵入し、第１電極部の接点部２６１，２６２と接触する。但し、第２電極部・係止部材３６７は、未だ、プラグ筐体の第１側面及び第２側面の先端部分２０５に設けられた第２電極部・係止用凹部２０６内に納まっていない。【０１０６】
プラグ１１とレセプタクル１２とが嵌合した状態におけるプラグ１１及びレセプタクル１２を仮想水平面で切断したときの模式的な断面図を図２７に示す。図２７に示す嵌合状態における、プラグ１１を仮想水平面で切断したときの模式的な断面図を図２８に示し、プラグ１１及びレセプタクル１２の模式的な側面図を図２９Ａに示し、レセプタクル１２の模式的な側面図を図２９Ｂに示し、第２信号送受部材や第２信号送受部材・付勢手段等の模式的な側面図を図２９Ｃに示す。また、プラグカバー１００及びプラグ筐体２００を切断したときの模式的な断面図を図３０Ｃに示し、第１シャッター１２０及びプラグ筐体２００の模式的な側面図を図３１Ｂに示す。レンズユニット２３３とレンズユニット３３３との間には隙間が存在し、コリメート（平行光）結合が達成されている。第２電極部３６０の接触片３６１，３６２の先端部分は、第１電極部の接点部２６１，２６２との接触状態を保持している。また、第２電極部・係止部材３６７は、プラグ筐体の第１側面及び第２側面の先端部分２０５に設けられた第２電極部・係止用凹部２０６内に納まっている。これによって、プラグ１１はレセプタクル１２から容易に抜けることがなくなる。【０１０７】
プラグ１１とレセプタクル１２との嵌合を解くときには、以上の操作の逆を行えばよい。即ち、レセプタクル１２からプラグ１１を引っ張ることで、プラグ１１とレセプタクル１２との嵌合を解くことができる。【０１０８】
実施例１の光電コネクタにあっては、プラグとレセプタクルとが嵌合した状態において、第２信号送受部材と対向する第１信号送受部材の対向面と第１信号送受部材と対向する第２信号送受部材の対向面とは相対的に移動不可の状態で接触し、第１信号送受部材及び第２信号送受部材は第２信号送受部材・付勢手段によってプラグ後方に向かって付勢され、プラグ筐体はプラグ筐体・付勢手段及び第２電極部によってプラグの軸線に直交する方向に付勢される。それ故、簡素な構造であるにも拘わらず、プラグ及びレセプタクルに振動が加わった場合でも、プラグとレセプタクルとの嵌合状態に変化が生じることが無く、高い堅牢性を有し、例えば数十ギガｂｐｓオーダー乃至数百ギガｂｐｓオーダーの大容量光信号伝送を確実に安定して行うことができるし、多チャンネル化に容易に対処することができる。また、プラグとレセプタクルとが嵌合した状態において、第１電極部と第２電極部とは接触して導通状態となるので、光電コネクタに給電機能を付与することができる。しかも、プラグとレセプタクルとの間の脱着は容易である。また、高い防塵性、レーザ安全基準、リバーシブル対応の電極部等に対応しているし、高い安全性を有しており、モバイル機器に対応可能な携帯性、小型化を達成することができる。また、簡素な構造であるが故に、低製造コスト化が可能である。更には、互換性を保ったレセプタクルの選択により、使用者がレセプタクルの機能を自由に選択することも可能である。また、光伝送開始前に、機械的なロック、カバー、電気的な接続、シェイクハンド時のＩＤチェック等、幾重もの安全機構、安全確認フローを備えることによって、一層安全な光電コネクタの提供が可能となる。
【実施例２】
【０１０９】
実施例２は、実施例１の変形である。実施例１においては、信号線としてテープ心線を使用した。一方、実施例２においては、信号線は導波路ユニット構造を有する。実施例２における導波路ユニット構造の信号線を格納した第１信号送受部材、第２信号送受部材を対向面とは反対側から眺めた模式図を図３２Ａに示し、導波路ユニット構造の１つの模式的な断面図（但し、ＹＺ平面で切断したときの断面図）を図３２Ｂに示し、導波路ユニット構造の１つの模式的な断面図（但し、ＸＺ平面で切断したときの断面図）を図３２Ｃに示す。【０１１０】
具体的には、実施例２のテープ心線５００は、
ベース樹脂シート５０１、
ベース樹脂シート５０１上に並置された複数のコア材５０２、並びに、
ベース樹脂シート５０１及び複数のコア材５０２を覆う被覆材５０３、
から構成されている。【０１１１】
ベース樹脂シート５０１は、例えば、ポリエチレンテレフタレート（ＰＥＴ）から成り、公称厚さは、例えば５０μｍ乃至２００μｍである。尚、予め、ベース樹脂シート５０１上に、薄い被覆材が積層されている場合もある。この際の被覆材の厚さは、例えば１０μｍ〜１００μｍである。紫外線硬化型の光学低損失樹脂から成る１２本のコア材５０２は、例えば、幅３０μｍ乃至２００μｍ、高さ３０μｍ乃至２００μｍの矩形状の断面形状を有し、ピッチは、レンズユニット２３３，３３３と同ピッチ、若しくは、レンズユニット２３３，３３３のピッチの整数倍分の一のピッチであり、ここでは、Ｙ方向に２５０μｍピッチである。被覆材５０３は紫外線硬化型の光学低損失樹脂から成る。複数のコア材５０２を配置すべきベース樹脂シート５０１の第２面５０１Ｂは平滑であり、例えば１０μｍ以下である。尚、ベース樹脂シート５０１の第２面５０１Ｂと対向する面を第１面５０１Ａと呼ぶ。ところで、ベース樹脂シート５０１及び複数のコア材５０２を被覆材５０３で被覆すると、被覆材５０３の表面には、コア材５０２の凹凸によって僅かながらうねりが生じ、屡々、表面の凹凸が例えば１０μｍ以上となってしまう。被覆材５０３の表面に対して平滑化処理を行うことは可能であるが、コストアップに繋がる。【０１１２】
実施例２においても、図１４Ｂに示したと同様に、第１信号送受部材・右側挿入孔２３４Ｒの底面、第１信号送受部材・左側挿入孔２３４Ｌの底面、第１信号送受部材・右側挿入孔２３４Ｒの頂面及び第１信号送受部材・左側挿入孔２３４Ｌの頂面、並びに、第２信号送受部材・右側挿入孔３３４Ｒの底面、第２信号送受部材・左側挿入孔３３４Ｌの底面、第２信号送受部材・右側挿入孔３３４Ｒの頂面及び第２信号送受部材・左側挿入孔３３４Ｌの頂面に、テープ心線５００を取り付けるが、具体的には、ベース樹脂シート５０１の第１面５０１Ａを介して取り付ける。この状態にあっては、第１信号送受部材・右側挿入孔２３４Ｒの底面に取り付けられたテープ心線５００と、第１信号送受部材・右側挿入孔２３４Ｒの頂面に取り付けられたテープ心線５００との間には、隙間が存在する。第１信号送受部材・左側挿入孔２３４Ｌの底面に取り付けられたテープ心線５００と、第１信号送受部材・左側挿入孔２３４Ｌの頂面に取り付けられたテープ心線５００との間にも、隙間が存在する。第２信号送受部材・右側挿入孔３３４Ｒの底面に取り付けられたテープ心線５００と、第２信号送受部材・右側挿入孔３３４Ｒの頂面に取り付けられたテープ心線５００との間にも、隙間が存在する。第２信号送受部材・左側挿入孔３３４Ｌの底面に取り付けられたテープ心線５００と、第２信号送受部材・左側挿入孔３３４Ｌの頂面に取り付けられたテープ心線５００との間にも、隙間が存在する。このような構成、構造を採用することで、Ｙ方向のコア材ピッチを２５０μｍに保ち、且つ、双方の位置決めも各々行えるため、接着精度を出し易い。また、云うまでもなく、４本のテープ心線５００を纏めて一体化して、取り付けてもよいし、第１信号送受部材・挿入孔２３４の頂面側、第２信号送受部材・挿入孔３３４の頂面側に、２本のテープ心線５００を纏めて一体化して、取り付け、第１信号送受部材・挿入孔２３４の底面側、第２信号送受部材・挿入孔３３４の底面側に、２本のテープ心線５００を纏めて一体化して、取り付けてもよい。
【実施例３】
【０１１３】
実施例３は、実施例１〜実施例２の変形であり、第１構造の第２信号送受部材・付勢手段に関する。実施例３の光電コネクタを構成するレセプタクル筐体を仮想水平面で切断したときの模式的な断面図（但し、プラグ筐体を上方から眺めた断面図）を図３３に示す。【０１１４】
実施例３において、レセプタクル１２は、更に、レセプタクル筐体３００内に配置され、第２信号送受部材３３０の後部に取り付けられたスプリング・ブッシュ３２２を備えており、第２信号送受部材・付勢手段は、後端部がレセプタクル筐体３００に取り付けられ、先端部がスプリング・ブッシュ３２２に取り付けられたスプリング（圧縮スプリング）３２３から成る。このような形態を採用することでも、簡素な構造であるにも拘わらず、プラグ１１とレセプタクル１２とが嵌合した状態において、第１信号送受部材２３０と第２信号送受部材３３０とを、確実に、プラグの後方に向かって付勢することができる。スプリング・ブッシュ３２２は、例えば、プラスチックから成形すればよい。
【実施例４】
【０１１５】
実施例４は、実施例１〜実施例３の変形であり、第１構造の信号送受部材に関する。実施例４の光電コネクタにおいて、第１信号送受部材、第２信号送受部材を対向面側から眺めた模式図を図３４Ａに示し、図３４Ａの矢印Ｂ−Ｂに沿って第１信号送受部材を切断したときの模式的な断面図（但し、ＹＺ平面で切断したときの断面図）を図３４Ｂに示し、図３４Ａの矢印Ｂ−Ｂに沿って第２信号送受部材を切断したときの模式的な断面図（但し、ＹＺ平面で切断したときの断面図）を図３４Ｃに示す。【０１１６】
実施例４の光電コネクタにおいて、第１信号送受部材２３０の対向面２３０Ａ及び第２信号送受部材３３０の対向面３３０Ａのいずれか一方（例えば、第１信号送受部材２３０、より具体的には、第１レンズ保護部材２４０）には突起部２４２及び凹部２４３が設けられており、他方（例えば、第２信号送受部材３３０、より具体的には、第２レンズ保護部材３４０）には凹部２４３及び突起部３４２が設けられている。そして、プラグ１１とレセプタクル１２とが嵌合するとき、突起部２４２，３４２と凹部２４３，３４３とが嵌合する。このような形態を採用することでも、第１信号送受部材２３０と第２信号送受部材３３０の相互の位置決めを容易に行うことができ、位置決めのための部品が不要となり、より小型化と低コスト化が可能となる。このような実施例４の光電コネクタにあっては、実施例１における第２ガイドピン、第２ガイドピン穴を省略することが可能である。また、第２ガイドピンを設ける場合、プラグとレセプタクルとが嵌合するとき、第１ガイドピン穴を貫通した第１ガイドピンを第２ガイドピン穴に侵入させる必要はない。
【実施例５】
【０１１７】
実施例５は、実施例１〜実施例４の変形であり、上下電極構造を有する光電コネクタに関し、また、第３の構成に係る光電コネクタに関する。【０１１８】
実施例５の光電コネクタを構成するプラグ及びレセプタクルの斜視図（但し、プラグとレセプタクルとは嵌合状態にある場合）を図３５に示し、図３５とは異なる角度から眺めたプラグ及びレセプタクルの斜視図を図３６に示す。また、実施例５の光電コネクタを構成するプラグ（プラグカバー及びプラグ筐体）の分解斜視図、プラグ筐体・付勢手段の斜視図、及び、プラグ筐体を構成する第１面及び第１電極部の斜視図を図３７に示し、プラグの斜視図及び平面図を図３８Ａ及び図３８Ｂに示す。更には、実施例５の光電コネクタを構成するレセプタクルの分解斜視図を図３９に示し、レセプタクルを斜め上から眺めた斜視図を図４０に示し、レセプタクル筐体を斜め上から眺めた斜視図を図４１に示し、レセプタクル筐体と第２シャッターの配置関係を示す図を図４２に示し、第２シャッターの斜視図及び側面図を図４３Ａ及び図４３Ｂに示し、レセプタクル筐体の図（但し、レセプタクル筐体を上方から眺めた図）を図４４Ａに示し、プラグとレセプタクルとが嵌合する前のプラグ及びレセプタクルの平面図を図４４Ｂに示し、プラグとレセプタクルとが嵌合したときのプラグの先端部分の側面図を図４４Ｃに示し、プラグとレセプタクルとが嵌合した状態におけるプラグ筐体及びレセプタクル筐体の図（但し、レセプタクル筐体を上方から眺めた図）を図４５Ａに示し、プラグ及びレセプタクルの平面図を図４５Ｂに示し、プラグとレセプタクルとが嵌合した状態におけるプラグ筐体及びレセプタクル筐体の一部分の図（但し、レセプタクル筐体及びプラグ筐体を上方から眺めた図）を図４６Ａに示し、プラグとレセプタクルとが嵌合した状態におけるレセプタクル筐体及びプラグ筐体を側面から眺めた断面図を図４６Ｂに示し、プラグとレセプタクルとが嵌合した状態におけるプラグ筐体及びレセプタクル筐体の一部分の図（但し、レセプタクル筐体及びプラグ筐体を上方から眺めた図）を図４７Ａに示し、プラグとレセプタクルとが嵌合する前におけるレセプタクル筐体及びプラグ筐体を側面から眺めた断面図を図４７Ｂに示す。【０１１９】
実施例５の光電コネクタにおいて、
プラグ１１は、１つの第１電極部２８０を備えており、
レセプタクル１２は、２つの第２電極部３８０を備えており、
第１電極部２８０は、プラグ筐体２００の第１面２０３に取り付けられており、
２つの第２電極部３８０のそれぞれは、レセプタクル筐体３００の第１面３０３及び第２面３０４に取り付けられている。このような構成を採用することで、リバーシブル対応の電極部を達成することができる。即ち、レセプタクル筐体３００の第１面３０３とプラグ筐体２００の第１面２０３とが対応するようにレセプタクル１２とプラグ１１とを嵌合させることもできるし、レセプタクル筐体３００の第１面３０３とプラグ筐体２００の第２面２０４とが対応するようにレセプタクル１２とプラグ１１とを嵌合させることもできる。第１電極部２８０は、プラグ筐体２００の第１面２０３にネジやビス、スナップフィット（弾性ロック爪機構）等を用いて取り付けることができるし、あるいは又、プラグ筐体２００の第１面２０３にインサート成形法に基づき、直接、取り付けることもできる（図３７参照）。第２の電極部３８０は、実施例１におけるロック解除爪３０５，３０６を兼用している。【０１２０】
第１電極部２８０の構造、プラグ筐体２００の先端２０７の構造を除き、プラグ筐体２００及びプラグカバー１００の構成、構造は、実質的に、実施例１において説明したプラグ筐体２００及びプラグカバー１００の構成、構造と同様とすることができるし、第１電極部２８０の構造、プラグカバー・係止部材３１２の構造、第２シャッター３７０Ａの構造の構造を除き、レセプタクル筐体３００の構成、構造は、実質的に、実施例３において説明したレセプタクル筐体３００の構成、構造と同様とすることができるので、詳細な説明は省略する。【０１２１】
レセプタクル筐体３００は、金属板を折り曲げて作製するが、この際、継目が生じる。そこで、レセプタクル筐体３００の第１面３０３及び第２面３０４を第２電極部３８０で覆うことで、専用の部品を用意することなく、防塵性を高めることができる。また、レセプタクル１２は小型であるが故に、剛性を高めることが困難である。そこで、レセプタクル筐体３００の第１面３０３及び第２面３０４を第２電極部３８０で覆うことで、レセプタクル１２の全体の剛性を高めることが可能となる。更には、光電コネクタにおいては、非接触のレンズユニット間を光信号を通過させることで通信が成立する。レンズユニット２３３，３３３に水滴等が付着すると、光路が乱れ、最悪の場合、光通信が遮断される。レセプタクル筐体３００の第１面３０３及び第２面３０４を第２電極部３８０で覆うことで、特別なカバー部品等を配置することなく、結露が一層発生し難い構造とすることが可能である。また、外乱によりレンズユニット２３３，３３３に振動が加わると、波形が乱れ、光通信に悪影響を及ぼす。レセプタクル筐体３００の第１面３０３及び第２面３０４を第２電極部３８０で覆うことで、特別な共振抑制のための部品を用意することなく、共振周波数を分散、抑制することが可能となる。【０１２２】
上下電極構造を有する光電コネクタにあっては、プラグ１１とレセプタクル１２とが嵌合した状態において、第２電極部３８０の接触片３８１，３８２によってプラグ筐体２００の第１面２０３及び第２面２０４が付勢される。即ち、Ｚ方向に付勢される。プラグカバー１００の第１面１０３及び第２面１０４のそれぞれには、第２電極部３８０の接触片３８１，３８２が侵入するプラグカバー・開口部１０５が設けられている。そして、プラグ１１とレセプタクル１２とが嵌合した状態において、一方の第２電極部３８０の接触片３８１，３８２は、プラグカバー１００の第１面１０３に設けられたプラグカバー・開口部１０５を介して、第１電極部２８０の接点部２８１，２８２と接触し、プラグ筐体２００をプラグカバー１００の第２面１０４に向かって付勢し、他方の第２電極部３８０の接触片３８１，３８２は、プラグカバー１００の第２面１０４に設けられたプラグカバー・開口部１０５を介して、プラグ筐体２００の第２面２０４と接触し、プラグ筐体２００をプラグカバー１００の第１面１０３に向かって付勢する。即ち、Ｚ方向に付勢する。そして、一方の第２電極部３８０の接触片３８１，３８２がプラグ筐体２００をプラグカバー１００の第２面１０４に向かって付勢する力と、他方の第２電極部３８０の接触片３８２，３８１がプラグ筐体２００をプラグカバー１００の第１面１０３に向かって付勢する力とは異なる。このように、第２電極部３８０の接触片３８１，３８２の保持構造を異ならせることで付勢力を異ならせ、プラグ筐体２００を上下方向から異なる力で確実に加圧、保持し、しかも、上述したように、フローティング状態の剛性を高めることで、種々の条件に依るが、プラグカバー１００の第１面１０３の外面がレセプタクル筐体３００の第１面３０３の内面に押し付けられ、あるいは又、プラグカバー１００の第２面１０４の外面がレセプタクル筐体３００の第２面３０４の内面に押し付けられる結果、プラグ１１とレセプタクル１２が嵌合した状態における振動耐性を一層高めることができる。【０１２３】
実施例５の光電コネクタにおいて、第１電極部２８０は、３つの接点部２８１，２８２，２８１を有しており、第１電極部２８０の３つの接点部２８１，２８２，２８１は、電源用接点部２８１、接地用接点部２８２及び電源用接点部２８１の順に配置されている。また、第２電極部３８０は、３つの接触片３８１，３８２，３８１を有しており、第２電極部３８０の３つの接触片３８１，３８２，３８１は、電源用接触片３８１、接地用接触片３８２及び電源用接触片３８１の順に配置されている。【０１２４】
そして、実施例５の光電コネクタにおいて、レセプタクル筐体３００における第２電極部３８０（より具体的には、第２電極部の電源用電極部）は、第１の部分３８５、及び、第１の部分３８５と離間して対向した第２の部分３８６を備えている。第２電極部の電源用電極部は、Ｘ方向に延びる接触片３８１、接触片３８１からＸ方向に延在し、次いで、Ｙ方向、Ｚ方向に延びる後端部３８３、後端部３８３から側面３０１，３０２に沿ってＸ方向であってレセプタクル筐体の前端に向かって延びる第１部分３８５、第１部分３８５とは離間して、側面３０１，３０２に沿ってＸ方向に延びる第２の部分３８６、第２の部分３８６のレセプタクル筐体前方先端側で折り返され、側面３０１，３０２に沿ってＸ方向、レセプタクル筐体の後端に向かって延びる第２の部分の延在部３８６’、第２の部分の延在部３８６’の端部に設けられた脚部３８７から構成されている。第２の部分３８６及び第２の部分の延在部３８６’は、プラスチックから作製された連結部材３８６”によって連結されている。一方、第２電極部の接地用電極部は、Ｘ方向に延びる接触片３８２、接触片３８２からＸ方向に延在する後端部３８４、脚部３８８、後端部３８４と脚部３８７とを結ぶ部分（図示せず）から構成されている。第２電極部の電源用電極部の一部及び第２電極部の接地用電極部の一部は、第２電極部・固定部材３８９に取り付けられている。具体的には、これらは一体成形されている。脚部３８７，３８８は、第２電気配線に接続される。【０１２５】
第２電極部・固定部材３８９は、レセプタクル筐体３００の外面に嵌め込まれ、固定されている。第２電極部・取付部材３５４は、レセプタクル筐体３００の内部に取り付けられている。また、レセプタクル筐体３００、全体は、レセプタクルカバー３５５で覆われている。レセプタクル筐体３００の第１側面３０１及び第２側面３０２には、連結部材３８６”のための開口部３１１が設けられており、レセプタクルカバー３５５の開口部３１１と対向する位置にも開口部３５６が設けられている。【０１２６】
そして、プラグ１１とレセプタクル１２とが嵌合するとき、第２の部分３８６はプラグ筐体２００の外面（外側）、具体的には、側面２０１，２０２と接触し、以て、第２の部分３８６が第１の部分３８５に向かって付勢され、第１の部分３８５と第２の部分３８６とが接触して導通状態となる。具体的には、プラグ筐体２００の先端２０７が連結部材３８６”と接触し、連結部材３８６”を外側に押しやる。その結果、第１の部分３８５と第２の部分３８６とが接触して導通状態となる。第１の部分３８５と第２の部分３８６との接触は、プラグ１１とレセプタクル１２とが嵌合状態となる前には生じないので、電源用接触片の導通／非導通を確実に制御することができ、短絡発生を防止することができる。ここで、プラグ筐体２００の側面２０１，２０２の先端２０７には切欠部が設けられており（図４４Ｃ参照）、２つある第２の部分３８６の一方のみが第１の部分３８５に向かって付勢される構造となっている。プラグ１１とレセプタクル１２とが嵌合する前の状態を図４４Ａ、図４４Ｂに示し、プラグ１１とレセプタクル１２とが嵌合し終わる直前の状態を図４５Ａ、図４５Ｂに示す。【０１２７】
また、実施例５の光電コネクタにおいて、レセプタクル筐体３００の第１側面及び第２側面には、プラグカバー・係止部材３１２が設けられている。一方、プラグカバー１００の第１側面１０１及び第２側面１０２には、プラグカバー・係止部材３１２を係止するプラグカバー・係止部材用凹部１０８が設けられている。そして、プラグカバー１００がレセプタクル筐体３００に最も接近したとき、プラグカバー・係止部材３１２がプラグカバー・係止部材用凹部１０８に係止される（図４６Ａ参照）。即ち、実施例５の光電コネクタは、第３の構成に係る光電コネクタである。図示した例では、プラグカバー・係止部材用凹部１０８に係止されるプラグカバー・係止部材３１２の部分は、レセプタクル筐体３００の前方側に配置されているが、これとは逆に、レセプタクル筐体３００の後方側に配置されていてもよい。【０１２８】
図４２、図４３Ａ、図４３Ｂに示すように、レセプタクル筐体３００の先端部分には、レセプタクル筐体３００の第２面３０４に向かって、且つ、レセプタクル筐体３００の後方に向かって開く第２シャッター３７０Ａが配設されている。第２シャッター３７０Ａは、第２シャッター３７０と同様に、バネ性に富んだ材料（弾性を有する金属あるいは合金材料）から作製されている。第２シャッター３７０Ａは、プラグ１１とレセプタクル１２とが嵌合するとき開状態となり、プラグ１１とレセプタクル１２との嵌合が解かれるとき閉状態となる。【０１２９】
第２シャッター３７０Ａは、取付部３７０ａ、取付部３７０ａから延びる底部３７０ｂ、底部３７０ｂから延びる折曲げ部３７０ｃ、折曲げ部３７０ｃから延びる閉鎖部３７０ｄから構成されている。閉鎖部３７０ｄにおいては、強度を高めるために、第２シャッター３７０Ａを構成する板材料が二重若しくは三重以上に折り重ねられている。取付部３７０ａはレセプタクル筐体３００の第２面３０４に設けられた第２シャッター固定部３１３に取り付けられている。【０１３０】
また、図４７Ａに示すように、レセプタクル筐体３００の第１側面３０１の外面及び第２側面３０２の外面のそれぞれには、第２シャッター・抑え部材３７６の端部３７６Ａが、レセプタクル筐体３００の第１側面３０１、第２側面３０２に設けられた第２シャッター・抑え部材取付部３１４に取り付けられている。第２シャッター・抑え部材３７６の端部３７６Ａから、第２シャッター・抑え部材３７６はレセプタクルの前方へと延び、次いで、レセプタクル筐体３００の第１側面３０１、第２側面３０２に向かって内側に折り曲げられ、レセプタクル筐体３００の後端に向かって第１側面３０１、第２側面３０２に沿って第２シャッター・抑え部材３７６の部分３７６Ｂは延び、更に、端部３７６Ｃが、レセプタクル筐体３００の内部に折り曲げられている。この状態において、第２シャッター・抑え部材３７６の端部３７６Ｃは、第２シャッター３７０Ａの閉鎖部３７０ｄと係合し、第２シャッター３７０Ａは閉状態にある。【０１３１】
プラグ１１とレセプタクル１２とが嵌合するとき、プラグカバー１００の先端がプラグカバー・係止部材３１２と接触し、第２シャッター・抑え部材３７６の端部３７６Ｃは外側に移動する。その結果、第２シャッター・抑え部材３７６の端部３７６Ｃと第２シャッター３７０Ａの閉鎖部３７０ｄとの係合が解かれ、プラグカバー１００のレセプタクル筐体３００の後端に向かう動きによって、第２シャッター３７０Ａの閉鎖部３７０ｄはレセプタクル筐体３００の第２面３０４に向かって曲げられる。そして、最終的に、第２シャッター３７０Ａの閉鎖部３７０ｄはプラグ筐体２００の第２面２０４の下側に位置する状態となる。また、第２シャッター３７０Ａが開状態にあるとき、第２シャッター３７０は、その弾性力によって、図４２に示す状態に戻ろうとするが、プラグ筐体２００の第２面２０４によって、第２面２０４の下側に位置する状態を保持される。【０１３２】
プラグ１１とレセプタクル１２の嵌合開始直前の光電コネクタを構成するプラグ１１及びレセプタクル１２を側方及び上方から眺めた図を、図４８Ａ及び図４８Ｂに示す。第１シャッター１２０、第２シャッター３７０Ａは閉じた状態にある。【０１３３】
プラグ１１とレセプタクル１２の嵌合開始直後の光電コネクタを構成するプラグ１１及びレセプタクル１２を側方及び上方から眺めた図を、図４９Ａ及び図４９Ｂに示す。第２シャッター３７０Ａは開状態となる。【０１３４】
プラグ１１とレセプタクル１２の嵌合を更に続けたときの光電コネクタを構成するプラグ１１及びレセプタクル１２を側方及び上方から眺めた図を、図５０Ａ及び図５０Ｂに示す。尚、プラグカバー１００はレセプタクル筐体３００に最も接近した状態となっている。プラグカバー・係止部材３１２がプラグカバー・係止部材用凹部１０８に係止される（図４６Ａ参照）。第２の電極部３８０の接触片３８２は、実施例１におけるロック解除爪３０６を兼用している。第２の電極部３８０の接触片３８２の一方（プラグ筐体２００の第１面側の接触片３８２）は、第１電極部２８０の接点部２８２と接触する(図４６Ｂ参照)。また、第２の電極部３８０の接触片３８２の他方（プラグ筐体２００の第２面側の接触片３８２）は、プラグカバー・凹部に設けられた開口部に侵入し、プラグ筐体・付勢手段の付勢部を構成する第１の部分をプラグ筐体の第１面に向かって付勢する。その結果、プラグカバー・凹部とプラグ筐体・付勢手段の付勢部との係合が解除され、プラグ筐体はプラグカバーに対して移動自在となる。即ち、プラグ筐体はレセプタクル筐体に向かって移動可能となり、プラグ筐体の移動が開始する。第１シャッターは開状態となる。【０１３５】
プラグ１１とレセプタクル１２が嵌合した状態における光電コネクタを構成するプラグ１１及びレセプタクル１２を側方及び上方から眺めた図を、図５１Ａ及び図５１Ｂに示す。第２電極部３８０の第１の部分３８５と第２の部分３８６とが接触して導通状態となる（図４５Ａ参照）。【０１３６】
プラグ１１とレセプタクル１２との嵌合を解くときには、以上の操作の逆を行えばよい。即ち、レセプタクル１２からプラグ１１を引っ張ることで、プラグ１１とレセプタクル１２との嵌合を解くことができる。
【実施例６】
【０１３７】
実施例６は実施例５の変形である。実施例５においては、プラグカバー・係止部材３１２がプラグカバー・係止部材用凹部１０８に係止される構造とした。一方、実施例６においては、プッシュ・イン／プッシュ・アウト方式の嵌合方式を採用した。実施例６の光電コネクタを構成するレセプタクル筐体の斜視図を図５２に示し、レセプタクル筐体の分解斜視図を図５３に示す。また、後述する図５９に示す実施例６の光電コネクタを構成するプラグ及びレセプタクルとが嵌合した状態における、プラグ（プラグカバー及びプラグ筐体）の模式的な側面図、及び、プラグ筐体の模式的な側面図を図６１Ａ及び図６１Ｂに示し、図５９に示す実施例６の光電コネクタを構成するプラグ筐体の一部分の模式的な側面図を図６２に示す。【０１３８】
具体的には、実施例６の光電コネクタにあっては、プラグカバー１００の第１側面１０１及び第２側面１０２のそれぞれには、「Ｔ」字形状の孔部１１１が設けられており、プラグ筐体２００の第１側面２０１の先端部分２０５の外面及び第２側面２０２の先端部分２０５の外面のそれぞれには、ガイド溝部２１６が設けられている。そして、レセプタクル筐体３００の第１側面３０１の外面及び第２側面３０２の外面のそれぞれには、プラグカバーの第１側面及び第２側面のそれぞれに設けられた「Ｔ」字形状の孔部１１１を介してガイド溝部２１６と係合する係合バー３１５が設けられている。このような構成を採用することで、プッシュ・イン／プッシュ・アウト方式の嵌合方式を達成することができる。ガイド溝部２１６には、係合バー３１５の先端が係合する複数の凹部２１６ａ，２１６ｂ，２１６ｃ，２１６ｄ，２１６ｅ，２１６ｆ，２１６ｇが設けられている。【０１３９】
レセプタクル筐体３００の構造を、実施例１において説明したレセプタクル筐体３００と類似した構造とした実施例６の光電コネクタにおけるプラグ１１とレセプタクル１２との嵌合を説明する。【０１４０】
プラグ１１とレセプタクル１２の嵌合開始直前の光電コネクタを構成するプラグ１１及びレセプタクル１２を仮想水平面で切断したときの模式的な断面図を図５４に示し、仮想垂直面で光電コネクタを切断したときの模式的な断面図を図５６Ａに示す。図示しない第１シャッター１２０、第２シャッター３７０は閉じた状態にある。【０１４１】
プラグ１１とレセプタクル１２の嵌合開始直後の光電コネクタを構成するプラグ１１及びレセプタクル１２を仮想水平面で切断したときの模式的な断面図を図５５に示し、仮想垂直面で光電コネクタを切断したときの模式的な断面図を図５６Ｂに示す。図示しない第２シャッター３７０は開いた状態となる。【０１４２】
プラグ１１とレセプタクル１２の嵌合を更に続けたときの光電コネクタを構成するプラグ１１及びレセプタクル１２を仮想水平面で切断したときの模式的な断面図を図５７に示し、仮想垂直面で光電コネクタを切断したときの模式的な断面図を図６０Ａに示す。プラグカバー１００はレセプタクル筐体３００に最も接近した状態となる。レセプタクル筐体３００の前端３００Ｆと樹脂部材１１０とが、突き当たっている。あるいは又、レセプタクル筐体３００内に、プラグカバー１００の最奥部位置決め手段（図示せず）が設けられており、最奥部位置決め手段にプラグカバー１００が突き当たっている。そして、図５７に示した状態においては、第２電極部３８０の接触片３８２（ロック解除爪を兼ねている）の先端部分が、プラグカバー・開口部１０５内に侵入し、プラグカバー・凹部１０６に設けられた開口部１０７に到達する。そして、ロック解除爪を兼ねた第２電極部３８０の接触片３８２が、プラグカバー・凹部１０６に設けられた開口部１０７に侵入し、プラグ筐体・付勢手段２５０の付勢部を構成する第１の部分２５１をプラグ筐体２００の第１面２０３に向かって付勢する。その結果、プラグカバー・凹部１０６とプラグ筐体・付勢手段２５０の付勢部２５１との係合が解除され、プラグ筐体２００はプラグカバー１００に対して移動自在となる。即ち、プラグ筐体２００はレセプタクル筐体３００に向かって移動可能となり、プラグ筐体２００の移動が開始する。プラグ筐体２００の移動が開始すると、図示しない第１シャッター１２０が開かれる。また、係合バー３１５の先端が、プラグカバーの第１側面及び第２側面のそれぞれに設けられた「Ｔ」字形状の孔部１１１を介して、プラグ筐体２００の第１側面２０１の先端部分２０５の外面及び第２側面２０２の先端部分２０５の外面のそれぞれに設けられたガイド溝部２１６の凹部２１６ａと係合する。尚、以上の説明におけるプラグ筐体・付勢手段等の説明は、実施例５の図５０Ａ及び図５０Ｂにおけるプラグ筐体・付勢手段等の動作の説明に適用することができる。尚、第２の電極部３８０の接触片３８１，３８２の後端部３８１’，３８２’は、第２電気配線に接続される。また、第２の電極部３８０の接触片３８１，３８２は、第２電極部・固定部材３８９に固定されており、第２電極部・固定部材３８９は、レセプタクル筐体３００の第１面３０３に取り付けられている。【０１４３】
プラグ１１とレセプタクル１２が嵌合する直前の光電コネクタを構成するプラグ１１及びレセプタクル１２を仮想水平面で切断したときの模式的な断面図を図５８に示す。第１レンズ保護部材２４０が第２レンズ保護部材３４０に突き当たった状態となる。第２電極部３８０と第１電極部２８０とが接触して導通状態となる。【０１４４】
プラグ１１とレセプタクル１２が嵌合した状態の光電コネクタを構成するプラグ１１及びレセプタクル１２を仮想水平面で切断したときの模式的な断面図を図５９に示し、仮想垂直面で光電コネクタを切断したときの模式的な断面図を図６０Ｂに示す。【０１４５】
尚、実施例６に光電コネクタにあっては、プラグ１１とレセプタクル１２との最終嵌合位置よりも、プラグ１１をレセプタクル側に更に押し込む。これによって、係合バー３１５の先端は、ガイド溝部２１６内を動き、凹部２１６ｂと係合する。その後、使用者は、プラグ１１から手を離す。これによって、プラグ１１はレセプタクル１２から離れる方向に移動し、プラグ１１とレセプタクル１２は最終嵌合位置となる。係合バー３１５の先端は、ガイド溝部２１６内を動き、凹部２１６ｃと係合する。【０１４６】
プラグ１１とレセプタクル１２との嵌合を解くときには、以上の操作の逆を行えばよい。即ち、プラグ１１をレセプタクル側に更に押し込む。これによって、係合バー３１５の先端は、ガイド溝部２１６内を動き、凹部２１６ｄと係合する。その後、レセプタクル１２からプラグ１１を引っ張ることで、プラグ１１とレセプタクル１２との嵌合を解くことができる。係合バー３１５の先端は、ガイド溝部２１６内を動き、凹部２１６ｅ、凹部２１６ｆ、凹部２１６ｇと順次係合し、そして、「Ｔ」字形状の孔部１１１から抜かれる。尚、ガイド溝部２１６において、凹部（変曲点）の側壁には段差あるいは傾斜が設けられており、係合バー３１５の先端は、最初の凹部２１６ａから最後の凹部２１６ｇに向かってのみ移動することができる。【０１４７】
このようなプッシュ・イン／プッシュ・アウト方式の嵌合方式を採用することで、プラグ１１とレセプタクル１２との嵌合の確実性が一層向上する。
【実施例７】
【０１４８】
実施例７は、実施例５〜実施例６の変形である。図５７に示したプラグとレセプタクルとの嵌合途中の状態において、仮想垂直面で光電コネクタを切断したときの実施例７の光電コネクタの模式的な断面図を図６３Ａに示し、図５９に示したプラグとレセプタクルとの嵌合した状態において、仮想垂直面で光電コネクタを切断したときの実施例７の光電コネクタの模式的な断面図を図６３Ｂに示す。【０１４９】
実施例５においては、第２電極部３８０を第１の部分３８５及び第２の部分３８６から構成し、プラグ１１とレセプタクル１２とが嵌合するとき、第２の部分３８６はプラグ筐体２００の第１側面２０１及び第２側面２０２と接触する構造とした。一方、実施例７にあっては、第２電極部３８０、具体的には、第２電極部３８０を構成する接触片（電源用接触片）３８１は、第１の部分３９５、及び、第１の部分３９５と離間して対向し、レセプタクル筐体３００の内部に向かって突出した突起部３９６’を有する第２の部分３９６を備えている。そして、プラグ１１とレセプタクル１２とが嵌合するとき、第２の部分３９６の突起部３９６’はプラグ筐体２００の第１面２０３と接触し、以て、第２の部分３９６が第１の部分３９５に向かって付勢され、第１の部分３９５と第２の部分３９６とが接触して導通状態となる。このような構成を採用することでも、電源用接触片３８１の導通／非導通を確実に制御することができ、短絡発生を防止することができる。プラグ筐体２００の第１面２０３を介して２箇所の突起部３９６’に短絡が生じないように、プラグ筐体２００の第１面２０３の少なくとも一部分及び／又は突起部３９６’の少なくとも一部分に絶縁層を形成することが好ましい。
【実施例８】
【０１５０】
実施例８は、実施例１〜実施例７の変形である。実施例８の光電コネクタにおいては、プラグ筐体２００の後端にコネクタが取り付けられている。即ち、実施例８の光電コネクタは、第７の構成に係る光電コネクタである。また、レセプタクル筐体３００の後端にもコネクタが取り付けられている。このように、プラグ筐体２００の後端にはコネクタが取り付けられている構成とする場合、異なるコネクタを有するプラグやレセプタクルに交換することで、複数の異種の機能を選択することが可能となる。
【実施例９】
【０１５１】
実施例９は、実施例１〜実施例８の変形である。実施例９の光電コネクタにおいて、第１信号送受部材２３０には発光素子及び受光素子（具体的には、複数の発光素子及び複数の受光素子）が備えられており、第２信号送受部材３３０には発光素子及び受光素子（具体的には、複数の発光素子及び複数の受光素子）が備えられている。即ち、実施例９の光電コネクタは、第１０の構成に係る光電コネクタである。また、実施例９の光電コネクタは、第１１の構成に係る光電コネクタでもある。そして、実施例９にあっては、第１信号送受部材２３０、第２信号送受部材３３０において、電気信号が光信号に変換され、光信号が電気信号に変換される。【０１５２】
実施例９の光電コネクタにあっては、図６４Ａ及び図６４Ｂに概念図を示すように、プラグ筐体２００及びレセプタクル筐体３００には、発光素子・受光素子駆動用の半導体チップ５１２Ａ，５１２Ｂ，５２２Ａ，５２２Ｂが配置されている。発光素子は、具体的には、面発光半導体レーザ素子（垂直共振器レーザ、ＶＣＳＥＬ）から成り、受光素子はフォトダイオードから成る。【０１５３】
そして、図６４Ａに概念図を示すように、プラグ筐体２００において、発光素子及び受光素子５１３は、第１の発光素子・受光素子群５１３Ａ及び第２の発光素子・受光素子群５１３Ｂから構成されており、第１の発光素子・受光素子群５１３Ａ、第２の発光素子・受光素子群５１３Ｂ、第１の発光素子・受光素子群５１３Ａを駆動する第１の半導体チップ５１２Ａ、及び、第２の発光素子・受光素子群５１３Ｂを駆動する第２の半導体チップ５１２Ｂが、プリント基板５１１に実装されている。プリント基板５１１は、プラグ筐体２００の第２面２０４に配置されている。【０１５４】
また、図６４Ｂに概念図を示すように、レセプタクル筐体３００において、発光素子及び受光素子５２３は、第１の発光素子・受光素子群５２３Ａ及び第２の発光素子・受光素子群５２３Ｂから構成されており、第１の発光素子・受光素子群５２３Ａ、第２の発光素子・受光素子群５２３Ｂ、第１の発光素子・受光素子群５２３Ａを駆動する第１の半導体チップ５２２Ａ、及び、第２の発光素子・受光素子群５２３Ｂを駆動する第２の半導体チップ５２２Ｂが、プリント基板５２１に実装されている。プリント基板５２１は、レセプタクル筐体３００の第２面３０４に配置されている。【０１５５】
発光素子・受光素子群５１３Ａ，５１３Ｂのそれぞれは、例えば、１２個の発光素子及び１２個の受光素子が一列に配列されて成る。即ち、図面の紙面に垂直な方向において、分割されて配置されている。具体的には、図面の紙面に垂直な方向において、手前側に１２チャンネル、奥側に１２チャンネルの一列配置とされている。尚、発光素子と受光素子とが、このように混載（ランダムに混載された状態を含む）された状態で配置されていてもよいし、発光素子と受光素子とが一体となった構造であってもよい。【０１５６】
ここで、プリント基板５１１は、両面リジッドプリント基板（多層リジッドプリント基板であってもよい）から成り、第１の発光素子・受光素子群５１３Ａ、第２の発光素子・受光素子群５１３Ｂ及び第１の半導体チップ５１２Ａは、両面リジッドプリント基板５１１の一方の面（配線面）５１１Ａに実装されており、第２の半導体チップ５１２Ｂは、両面リジッドプリント基板５１１の他方の面（配線面）５１２Ｂに実装されている。第１の発光素子・受光素子群５１３Ａ、第２の発光素子・受光素子群５１３Ｂ、第１の半導体チップ５１２Ａ及び第２の半導体チップ５１２Ｂを以上のように配置することで、高周波伝送面で最もデリケートな第１の発光素子・受光素子群５１３Ａと第１の半導体チップ５１２Ａとの間の配線長（点線で示す）、第２の発光素子・受光素子群５１３Ｂと第２の半導体チップ５１２Ｂとの間の配線長（点線で示す）を揃えることができるし、配線長の短縮を図ることができる。配線面５１１Ａ，５１１Ｂや、第２の半導体チップ５１２Ｂと配線面５１１Ｂを結ぶスルーホール等は、周知の方法で形成することができる。【０１５７】
また、プリント基板５２１も、両面リジッドプリント基板（多層リジッドプリント基板であってもよい）から成り、第１の発光素子・受光素子群５２３Ａ、第２の発光素子・受光素子群５２３Ｂ及び第１の半導体チップ５２２Ａは、両面リジッドプリント基板５２１の一方の面（配線面）５２１Ａに実装されており、第２の半導体チップ５２２Ｂは、両面リジッドプリント基板５２１の他方の面（配線面）５２２Ｂに実装されている。第１の発光素子・受光素子群５２３Ａ、第２の発光素子・受光素子群５２３Ｂ、第１の半導体チップ５２２Ａ及び第２の半導体チップ５２２Ｂを以上のように配置することで、高周波伝送面で最もデリケートな第１の発光素子・受光素子群５２３Ａと第１の半導体チップ５２２Ａとの間の配線長（点線で示す）、第２の発光素子・受光素子群５２３Ｂと第２の半導体チップ５２２Ｂとの間の配線長（点線で示す）を揃えることができるし、配線長の短縮を図ることができる。配線面５２１Ａ，５２１Ｂや、第２の半導体チップ５２２Ｂと配線面５２１Ｂを結ぶスルーホール等は、周知の方法で形成することができる。【０１５８】
プラグ筐体２００は内部に第１のミラー部５１４を備えており、第１信号送受部材２３０の構成部品（実施例９にあっては、具体的には、発光素子）からの光は、第１のミラー部５１４によって光路を変えられ、第２信号送受部材３３０の構成部品（実施例９にあっては、具体的には、受光素子）へと向かい、また、第２信号送受部材３３０の構成部品（実施例９にあっては、具体的には、発光素子）からの光は、第１のミラー部５１４によって光路を変えられ、第１信号送受部材２３０の構成部品（実施例９にあっては、具体的には、受光素子）へと向かう。第１のミラー部５１４は、発光素子及び受光素子５１３の上方に配置されている。第１信号送受部材２３０には、第１のミラー部５１４、受光素子５１３、半導体チップ５１２Ａ，５１２Ｂ、プリント基板５１１が含まれる。【０１５９】
レセプタクル筐体３００は内部に第２のミラー部５２４を備えており、第１信号送受部材２３０の構成部品（実施例９にあっては、具体的には、発光素子）からの光は、第２のミラー部５２４によって光路を変えられ、第２信号送受部材３３０の構成部品（実施例９にあっては、具体的には、受光素子）へと向かい、また、第２信号送受部材３３０の構成部品（実施例９にあっては、具体的には、発光素子）からの光は、第２のミラー部５２４によって光路を変えられ、第１信号送受部材２３０の構成部品（実施例９にあっては、具体的には、受光素子）へと向かう。第２のミラー部５２４は、発光素子及び受光素子５２３の上方に配置されている。第２信号送受部材３３０には、第２のミラー部５２４、発光素子及び受光素子５２３、半導体チップ５２２Ａ，５２２Ｂ、プリント基板５２１が含まれる。【０１６０】
そして、この第２信号送受部材３３０は、実施例１、実施例３、実施例４において説明した第２信号送受部材・付勢手段によって、レセプタクル１２の前端に向かって付勢される。また、この第１信号送受部材２３０は、実施例１、実施例３、実施例４と同様にして、プラグ１１の後端に向かって付勢される。【０１６１】
第１のミラー部５１４は、１つのミラーから構成されてもよいし、２以上の複数のミラー５１４Ａ，５１４Ｂ，５１４Ｃから構成されてもよい（図６６参照）。同様に、第２のミラー部５２４は、１つのミラーから構成されてもよいし、図６６に示したと同様に、２以上の複数のミラーから構成されてもよい。【０１６２】
プラグ筐体２００におけるプリント基板５１１は、フレキシブル配線板や配線を介して、第１信号線に接続されている。また、レセプタクル筐体３００におけるプリント基板５２１は、フレキシブル配線板や配線を介して、図示しない基板（マザーボード）に形成された回路と接続されている。プリント基板とフレキシブル配線板が一体化されたリジッド・フレキシブル複合基板とすることもできる。図示していないが、例えば柔軟な放熱シート等を、半導体チップ５１２Ａ，５１２Ｂ，５２２Ａ，５２２Ｂのバンプ面とは反対側の面に装着してもよく、これによって、半導体チップの効果的な放熱を行うことができる。【０１６３】
発光素子及び受光素子を内蔵することで、光学的におおよそ１ｄＢ乃至２ｄＢとされる実施例１において説明したレンズ結合部における損失発生個所を減らすことが可能となる。そして、これによって、光電コネクタ全体の損失が減り、装置やシステム全体としての低電力化が可能となる。また、部品点数も減るため、システム全体のコストダウンも可能となるといった、非常に大きなメリットを得ることができる。【０１６４】
場合によっては、レセプタクル筐体３００の第２面３０４に開口を設け、レセプタクル筐体３００の第２面３０４の下方に、発光素子及び受光素子５２３、半導体チップ５２２Ａ，５２２Ｂ、プリント基板５２１を配置し、レセプタクル筐体３００の内部に第２のミラー部５１４を配置してもよい。【０１６５】
あるいは又、概念図を図６５Ａに示すように、プラグ筐体２００において、プリント基板は、フレキシブルプリント基板５３１から成り、
第１の発光素子・受光素子群５３３Ａを駆動する第１の半導体チップ５３２Ａは、フレキシブルプリント基板５３１の一方の面の第１領域５３１Ａに実装されており、
第２の発光素子・受光素子群５３３Ｂを駆動する第２の半導体チップ５３２Ｂは、フレキシブルプリント基板５３１の一方の面の第２領域５３１Ｂに実装されており、
第１の発光素子・受光素子群５３３Ａ及び第２の発光素子・受光素子群５３３Ｂは、第１領域５３１Ａと第２領域５３１Ｂの間に位置するフレキシブルプリント基板５３１の一方の面の第３領域５３１Ｃに実装されている。【０１６６】
また、概念図を図６５Ｂに示すように、レセプタクル筐体３００において、プリント基板は、フレキシブルプリント基板５４１から成り、
第１の発光素子・受光素子群５４３Ａを駆動する第１の半導体チップ５４２Ａは、フレキシブルプリント基板５４１の一方の面の第１領域５４１Ａに実装されており、
第２の発光素子・受光素子群５４３Ｂを駆動する第２の半導体チップ５４２Ｂは、フレキシブルプリント基板５４１の一方の面の第２領域５４１Ｂに実装されており、
第１の発光素子・受光素子群５４３Ａ及び第２の発光素子・受光素子群５４３Ｂは、第１領域５４１Ａと第２領域５４１Ｂの間に位置するフレキシブルプリント基板５４１の一方の面の第３領域５４１Ｃに実装されている。【０１６７】
フレキシブルプリント基板５３１，５４１は、基材５３４，５４４に巻かれた状態で配置されている。【０１６８】
そして、プラグ筐体２００の第２面２０４の上方に、基材５３４が、第２面２０４と平行に配置される。基材５３４の端面上に、フレキシブルプリント基板５３１の一方の面の第３領域５３１Ｃが位置する。プラグ筐体２００に配置された発光素子は、レセプタクル１２に向けてレーザ光を出射する。プラグ筐体２００に配置された受光素子は、レセプタクル１２からのレーザ光を受光する。第１信号送受部材２３０には、発光素子・受光素子群５３３Ａ，５３３Ｂ、半導体チップ５３２Ａ，５３２Ｂ、フレキシブルプリント基板５３１及び基材５３４が含まれる。そして、発光素子・受光素子群５３３Ａ，５３３Ｂは、例えば、上述したと同様に、１２個の発光素子、１２個の受光素子が一列に配列されて成る。この第１信号送受部材２３０は、実施例１、実施例３、実施例４と同様にして、プラグ１１の後端に向かって付勢される。【０１６９】
また、レセプタクル筐体３００の第２面３０４の上方に、基材５４４が、第２面３０４と平行に配置される。基材５４４の端面上に、フレキシブルプリント基板５４１の一方の面の第３領域５４１Ｃが位置する。レセプタクル筐体３００に配置された発光素子は、プラグ１１に向けてレーザ光を出射する。レセプタクル筐体３００に配置された受光素子は、プラグ１１からのレーザ光を受光する。第２信号送受部材３３０には、発光素子・受光素子群５４３Ａ，５４３Ｂ、半導体チップ５４２Ａ，５４２Ｂ及びフレキシブルプリント基板５４１が含まれる。発光素子・受光素子群５４３Ａ，５４３Ｂは、例えば、上述したと同様に、１２個の発光素子、１２個の受光素子が一列に配列されて成る。そして、この第２信号送受部材３３０は、実施例１、実施例３、実施例４において説明した第２信号送受部材・付勢手段によって、レセプタクル１２の前端に向かって付勢される。【０１７０】
基材５３４の端面には位置決め用の穴が設けられている。そして、発光素子・受光素子群５３３Ａ，５３３Ｂ、半導体チップ５３２Ａ，５３２Ｂをフレキシブルプリント基板５３１に実装後、基材５３４の端面に設けられた位置決め用の穴を基準として、フレキシブルプリント基板５３１を基材５３４に貼り合わせる。レセプタクル筐体側でも同様にして組立を行うことができる。レセプタクル筐体側にあっては、フレキシブルプリント基板５３１をそのまま、外部に引き出し、電気コネクタやＡＣＦ接合に基づき、マザーボード等に接続すればよい。図示していないが、例えば柔軟な放熱シート等を、半導体チップ５３２Ａ，５３２Ｂ，５４２Ａ，５４２Ｂのバンプ面とは反対側の面に装着してもよく、これによって、半導体チップの効果的な放熱を行うことができる。【０１７１】
フレキシブルプリント基板を使用し、フレキシブルプリント基板へ発光素子、受光素子を実装することで、プラグ筐体２００やレセプタクル筐体３００の水平面に対して、発光素子、受光素子を、上下完全対称形に配置することができる。本開示の光電コネクタのように、数十ギガｂｐｓオーダー乃至数百ギガｂｐｓオーダーの高周波伝送を行う回路にとっては、非常に有効な配置である。更に、本開示の光電コネクタは光伝送を行うのであるが故に、発光素子や受光素子と駆動回路間の配線長はおおよそ１ｍｍ以下の長さに抑える必要がある。もしもこれより配線長が長くなってしまうと、伝送波形の質が大幅に悪化する虞がある。フレキシブルプリント基板を「コ」の字型に変形させ、更に、レイアウトを上下完全対称形に設定することができ、しかも、総厚を３ｍｍ以下にまで薄くすることが可能な実施例１０の光電コネクタは、非常にシンプルで画期的なものである。また、発光素子や受光素子を直接内蔵することができるので、部品数削減、損失抑制により、低コスト化、低電力化が可能となる。
【実施例１０】
【０１７２】
実施例１０は、実施例１〜実施例９の変形であり、第１０’の構成に係る光電コネクタ、第１１の構成に係る光電コネクタに関する。実施例１０の光電コネクタにおいて、第１信号送受部材２３０及び第２信号送受部材３３０の一方は発光素子（具体的には、複数の発光素子）から成り、他方は受光素子（具体的には、複数の受光素子）から成る。そして、実施例１０にあっては、第１信号送受部材２３０、第２信号送受部材３３０において、電気信号が光信号に変換され、あるいは又、光信号が電気信号に変換される。即ち、実施例１０の光電コネクタは、第１０’の構成に係る光電コネクタである。【０１７３】
実施例１０の光電コネクタにあっては、図６７Ａに概念図を示すように、発光素子を備えたプラグ筐体２００又はレセプタクル筐体３００（実施例１０において、具体的には、フォトダイオードから成る複数の受光素子５５３を備えたプラグ筐体２００）には、受光素子駆動用の半導体チップ５５５Ａ，５５２Ｂが配置されている。そして、複数の受光素子５５３は、第１の受光素子群５５３Ａ及び第２の受光素子群５５３Ｂから構成されており、第１の受光素子群５５３Ａ、第２の受光素子群５５３Ｂ、第１の受光素子群５５３Ａを駆動する第１の半導体チップ５５２Ａ、及び、第２の受光素子群５５３Ｂを駆動する第２の半導体チップ５５２Ｂが、プリント基板５５１に実装されている。受光素子群５５３Ａ，５５３Ｂのそれぞれは、例えば、２４個の受光素子が一列に配列されて成る。ここで、プリント基板５５１は、両面リジッドプリント基板（多層リジッドプリント基板であってもよい）から成り、第１の受光素子群５５３Ａ、第２の受光素子群５５３Ｂ及び第１の半導体チップ５５２Ａは、両面リジッドプリント基板５５１の一方の面（配線面）５５１Ａに実装されており、第２の半導体チップ５５２Ｂは、両面リジッドプリント基板５５１の他方の面（配線面）５５１Ｂに実装されている。【０１７４】
また、図６７Ｂに概念図を示すように、発光素子を備えたプラグ筐体２００又はレセプタクル筐体３００（実施例１０において、具体的には、面発光半導体レーザ素子から成る複数の発光素子５６３を備えたレセプタクル筐体３００）には、発光素子駆動用の半導体チップ５６２Ａ，５６２Ｂが配置されている。そして、複数の発光素子５６３は、第１の発光素子群５６３Ａ及び第２の発光素子群５６３Ｂから構成されており、第１の発光素子群５６３Ａ、第２の発光素子群５６３Ｂ、第１の発光素子群５６３Ａを駆動する第１の半導体チップ５６２Ａ、及び、第２の発光素子群５６３Ｂを駆動する第２の半導体チップ５６２Ｂが、プリント基板５６１に実装されている。発光素子群５６３Ａ，５６３Ｂのそれぞれは、例えば、２４個の発光素子が一列に配列されて成る。ここで、プリント基板５６１は、両面リジッドプリント基板（多層リジッドプリント基板であってもよい）から成り、第１の発光素子群５６３Ａ、第２の発光素子群５６３Ｂ及び第１の半導体チップ５６２Ａは、両面リジッドプリント基板５６１の一方の面（配線面）５６１Ａに実装されており、第２の半導体チップ５６２Ｂは、両面リジッドプリント基板５６１の他方の面（配線面）５６２Ｂに実装されている。【０１７５】
あるいは又、概念図を図６８Ａに示すように、プラグ筐体２００において、プリント基板は、フレキシブルプリント基板５７１から成り、
第１の受光素子群５７３Ａを駆動する第１の半導体チップ５７２Ａは、フレキシブルプリント基板５７１の一方の面の第１領域５７１Ａに実装されており、
第２の受光素子群５７３Ｂを駆動する第２の半導体チップ５７２Ｂは、フレキシブルプリント基板５７１の一方の面の第２領域５７１Ｂに実装されており、
第１の受光素子群５７３Ａ及び第２の受光素子群５７３Ｂは、第１領域５７１Ａと第２領域５７１Ｂの間に位置するフレキシブルプリント基板５７１の一方の面の第３領域５７１Ｃに実装されている。また、概念図を図６８Ｂに示すように、レセプタクル筐体３００において、プリント基板は、フレキシブルプリント基板５８１から成り、
第１の発光素子群５８３Ａを駆動する第１の半導体チップ５８２Ａは、フレキシブルプリント基板５８１の一方の面の第１領域５８１Ａに実装されており、
第２の発光素子群５８３Ｂを駆動する第２の半導体チップ５８２Ｂは、フレキシブルプリント基板５８１の一方の面の第２領域５８１Ｂに実装されており、
第１の発光素子５８３Ａ及び第２の発光素子群５８３Ｂは、第１領域５８１Ａと第２領域５８１Ｂの間に位置するフレキシブルプリント基板５８１の一方の面の第３領域５８１Ｃに実装されている。【０１７６】
フレキシブルプリント基板５７１，５８１は、基材５７４，５８４に巻かれた状態で配置されている。【０１７７】
そして、プラグ筐体２００の第２面２０４の上方に、基材５７４が、第２面２０４と平行に配置される。基材５７４の端面上に、フレキシブルプリント基板５７１の一方の面の第３領域５７１Ｃが位置する。プラグ筐体２００に配置された受光素子は、レセプタクル１２からのレーザ光を受光する。第１信号送受部材２３０には、受光素子群５７３Ａ，５７３Ｂ、半導体チップ５７２Ａ，５７２Ｂ、フレキシブルプリント基板５７１及び基材５７４が含まれる。受光素子群５７３Ａ，５７３Ｂは、例えば、２４個の受光素子が一列に配列されて成る。そして、この第１信号送受部材２３０は、実施例１、実施例３、実施例４と同様にして、プラグ１１の後端に向かって付勢される。【０１７８】
また、レセプタクル筐体３００の第２面３０４の上方に、基材５８４が、第２面３０４と平行に配置される。基材５８４の端面上に、フレキシブルプリント基板５８１の一方の面の第３領域５８１Ｃが位置する。発光素子は、プラグ１１に向けてレーザ光を出射する。第２信号送受部材３３０には、発光素子群５８３Ａ，５８３Ｂ、半導体チップ５８２Ａ，５８２Ｂ及びフレキシブルプリント基板５８１が含まれる。発光素子群５８３Ａ，５８３Ｂは、例えば、２４個の発光素子が一列に配列されて成る。そして、この第２信号送受部材３３０は、実施例１、実施例３、実施例４において説明した第２信号送受部材・付勢手段によって、レセプタクル１２の前端に向かって付勢される。【０１７９】
以上、本開示の光電コネクタを好ましい実施例に基づき説明したが、本開示の光電コネクタは、これらの実施例に限定するものではない。実施例において説明した光電コネクタ、プラグ、プラグカバー、プラグ筐体、第１電極部、レセプタクル、レセプタクル筐体、光電コネクタの各種構成部材は、例示であり、適宜、変更することができる。プラグ筐体には、電子能動部品が内蔵されている構成とすることができるし、あるいは又、レセプタクル筐体には、電子能動部品が内蔵されている構成とすることができるし、あるいは又、プラグ筐体及びレセプタクル筐体には、電子能動部品が内蔵されている構成とすることができる。電子能動部品として、具体的には、メモリやＷｉ−Ｆｉ（登録商標）、Ｂｌｕｅｔｏｏｔｈ（登録商標）等の通信素子、ＬＥＤ等の発光素子を挙げることができ、光電コネクタを、小型のストレージ、無線モジュール、表示装置として機能させることができる。あるいは又、プラグ筐体やレセプタクル筐体に微粘着剤やブラシ等が配置されていてもよい。本開示の光電コネクタを構成する構成部品は、場合によっては、他の電子機器等に適用することもできる。例えば、例えば、導波路ユニット構造を有するテープ心線を他の電子機器等に適用することもできる。また、本開示の光電コネクタにおけるプラグは単独で発明を構成し得るし、本開示の光電コネクタにおけるレセプタクルも単独で発明を構成し得るし、本開示の光電コネクタを構成する各種部品、それ自体も、単独で発明を構成し得る。また、実施例９において説明した発光素子や受光素子を実装したプリント基板（リジッドプリント基板あるいはフレキシブルプリント基板）、それ自体も発明を構成し得る。【０１８０】
尚、本開示は、以下のような構成を取ることもできる。
［Ａ０１］《光電コネクタ》
第１信号線及び第１電気配線に取り付けられるプラグ、並びに、
第２信号線及び第２電気配線に取り付けられ、プラグと嵌合し、光学的及び電気的にプラグと接続されるレセプタクル、
から構成されており、
プラグは、
（Ａ−１）プラグ筐体、
（Ａ−２）プラグ筐体内に配置され、プラグ筐体に後部が固定され、プラグの軸線と平行に延びる第１ガイドピン、
（Ａ−３）プラグ筐体内に配置され、第１信号線に接続され、第１ガイドピンが侵入する第１ガイドピン穴を有し、第１ガイドピンに取り付けられた第１信号送受部材、
（Ａ−４）プラグ筐体に固定され、第１電気配線が取り付けられる第１電極部、並びに、
（Ａ−５）プラグ筐体に配設されたプラグ筐体・付勢手段、
を備えており、
レセプタクルは、
（Ｂ−１）レセプタクル筐体、
（Ｂ−２）レセプタクル筐体内に配置され、第２信号線に接続され、レセプタクル筐体に対して移動自在な第２信号送受部材、
（Ｂ−３）レセプタクル筐体に固定され、第２電気配線が取り付けられる第２電極部、並びに、
（Ｂ−４）第２信号送受部材をレセプタクル前方に向かって付勢する第２信号送受部材・付勢手段、
を備えており、
プラグとレセプタクルとが嵌合した状態において、
（ａ）第１電極部と第２電極部とは接触して、導通状態となり、
（ｂ）第２信号送受部材と対向する第１信号送受部材の対向面と、第１信号送受部材と対向する第２信号送受部材の対向面とは、相対的に移動不可の状態で接触し、
（ｃ）第１信号送受部材及び第２信号送受部材は、第２信号送受部材・付勢手段によってプラグ後方に向かって付勢され、
（ｄ）プラグ筐体は、プラグ筐体・付勢手段及び第２電極部によって、プラグの軸線に直交する方向に付勢される光電コネクタ。
［Ａ０２］《第１構造の信号送受部材》
第１信号送受部材の対向面及び第２信号送受部材の対向面のいずれか一方には突起部が設けられており、他方には凹部が設けられており、
プラグとレセプタクルとが嵌合するとき、突起部と凹部とが嵌合する［Ａ０１］に記載の光電コネクタ。
［Ａ０３］《第２構造の信号送受部材》
レセプタクルは、更に、レセプタクル筐体内に配置され、レセプタクル筐体に後部が固定され、レセプタクルの軸線と平行に延びる第２ガイドピンを備えており、
第２信号送受部材は、第２ガイドピンが侵入する第２ガイドピン穴を有しており、
プラグとレセプタクルとが嵌合するとき、第１ガイドピン穴を貫通した第１ガイドピンは第２ガイドピン穴に侵入する［Ａ０１］に記載の光電コネクタ。
［Ａ０４］《第１構造の第２信号送受部材・付勢手段》
レセプタクルは、更に、レセプタクル筐体内に配置され、第２信号送受部材の後部に取り付けられたスプリング・ブッシュを備えており、
第２信号送受部材・付勢手段は、後端部がレセプタクル筐体に取り付けられ、先端部がスプリング・ブッシュに取り付けられたスプリングから成る［Ａ０２］又は［Ａ０３］に記載の光電コネクタ。
［Ａ０５］《第２構造の第２信号送受部材・付勢手段》
第２信号送受部材・付勢手段は、第２ガイドピンと第２信号送受部材との間に位置し、第２ガイドピンの外周を取り囲むバネから成る［Ａ０３］に記載の光電コネクタ。
［Ａ０６］プラグは、更に、プラグカバーを備えており、
プラグ筐体は、プラグカバー内を移動自在に配置されている［Ａ０１］乃至［Ａ０５］のいずれか１項に記載の光電コネクタ。
［Ａ０７］《プラグカバーの規定》
プラグカバーは、プラグの軸線と平行に延びる第１側面及び第２側面、プラグの軸線と平行に延びる第１側面の一方の辺と第２側面の一方の辺とを結ぶ第１面、並びに、プラグの軸線と平行に延びる第１側面の他方の辺と第２側面の他方の辺とを結ぶ第２面の４面を有しており、
プラグ筐体は、プラグの軸線と平行に延びる第１側面及び第２側面、プラグの軸線と平行に延びる第１側面の一方の辺と第２側面の一方の辺とを結ぶ第１面、並びに、プラグの軸線と平行に延びる第１側面の他方の辺と第２側面の他方の辺とを結ぶ第２面の４面を有しており、
レセプタクル筐体は、レセプタクルの軸線と平行に延びる第１側面及び第２側面、レセプタクルの軸線と平行に延びる第１側面の一方の辺と第２側面の一方の辺とを結ぶ第１面、並びに、レセプタクルの軸線と平行に延びる第１側面の他方の辺と第２側面の他方の辺とを結ぶ第２面の４面を有し、
プラグ筐体は、レセプタクル筐体の内部を移動可能である［Ａ０６］に記載の光電コネクタ。
［Ａ０８］レセプタクルと対向するプラグカバーの前端、及び、プラグカバーの前端と対向するプラグカバーの後端は、開口しており、
レセプタクル筐体と対向するプラグ筐体の前端、及び、プラグ筐体の前端と対向するプラグ筐体の後端は、開口しており、
プラグ筐体と対向するレセプタクル筐体の前端、及び、レセプタクル筐体の前端と対向するレセプタクル筐体の後端は、開口している［Ａ０７］に記載の光電コネクタ。
［Ａ０９］《第１電極部及び第２電極部の規定》
第１電極部は、接点部を有しており、
第２電極部は、第１電極部の接点部と接触する接触片を有しており、
プラグとレセプタクルとが嵌合した状態において、第１電極部の接点部と接触した第２電極部の接触片によって、プラグ筐体はプラグの軸線に直交する方向に付勢される［Ａ０７］又は［Ａ０８］に記載の光電コネクタ。
［Ａ１０］《上下電極構造》
プラグは、１つの第１電極部を備えており、
レセプタクルは、２つの第２電極部を備えており、
第１電極部は、プラグ筐体の第１面に取り付けられており、
２つの第２電極部のそれぞれは、レセプタクル筐体の第１面及び第２面に取り付けられている［Ａ０９］に記載の光電コネクタ。
［Ａ１１］プラグとレセプタクルとが嵌合した状態において、第２電極部の接触片によってプラグ筐体の第１面及び第２面が付勢される［Ａ１０］に記載の光電コネクタ。
［Ａ１２］プラグカバーの第１面及び第２面のそれぞれには、第２電極部の接触片が侵入するプラグカバー・開口部が設けられている［Ａ１０］又は［Ａ１１］に記載の光電コネクタ。
［Ａ１３］プラグとレセプタクルとが嵌合した状態において、
一方の第２電極部の接触片は、プラグカバーの第１面に設けられたプラグカバー・開口部を介して、第１電極部の接点部と接触し、プラグ筐体をプラグカバーの第２面に向かって付勢し、
他方の第２電極部の接触片は、プラグカバーの第２面に設けられたプラグカバー・開口部を介して、プラグ筐体の第２面と接触し、プラグ筐体をプラグカバーの第１面に向かって付勢する［Ａ１２］に記載の光電コネクタ。
［Ａ１４］一方の第２電極部の接触片がプラグ筐体をプラグカバーの第２面に向かって付勢する力と、他方の第２電極部の接触片がプラグ筐体をプラグカバーの第１面に向かって付勢する力とは異なる［Ａ１１］乃至［Ａ１３］のいずれか１項に記載の光電コネクタ。
［Ａ１５］第１電極部は、３つの接点部を有しており、
第１電極部の３つの接点部は、電源用接点部、接地用接点部及び電源用接点部の順に配置されており、
第２電極部は、３つの接触片を有しており、
第２電極部の３つの接触片は、電源用接触片、接地用接触片及び電源用接触片の順に配置されている［Ａ１０］乃至［Ａ１４］のいずれか１項に記載の光電コネクタ。
［Ａ１６］
第２電極部は、第１の部分、及び、第１の部分と離間して対向した第２の部分を備えており、
プラグとレセプタクルとが嵌合するとき、第２の部分はプラグ筐体の外面と接触し、以て、第２の部分が第１の部分に向かって付勢され、第１の部分と第２の部分とが接触して導通状態となる［Ａ１０］乃至［Ａ１５］のいずれか１項に記載の光電コネクタ。
［Ａ１７］第２の部分はプラグ筐体の側面と接触する［Ａ１６］に記載の光電コネクタ。
［Ａ１８］プラグ筐体の側面の先端には切欠部が設けられている［Ａ１７］に記載の光電コネクタ。
［Ａ１９］第２の部分は、レセプタクル筐体の内部に向かって突出した突起部を有し、
プラグとレセプタクルとが嵌合するとき、第２の部分の突起部はプラグ筐体の第１面と接触し、以て、第２の部分が第１の部分に向かって付勢され、第１の部分と第２の部分とが接触して導通状態となる［Ａ１６］に記載の光電コネクタ。
［Ａ２０］プラグカバーの第１側面及び第２側面のそれぞれには、「Ｔ」字形状の孔部が設けられており、
プラグ筐体の第１側面の先端部分の外面及び第２側面の先端部分の外面のそれぞれには、ガイド溝部が設けられており、
レセプタクル筐体の第１側面の外面及び第２側面の外面のそれぞれには、プラグカバーの第１側面及び第２側面のそれぞれに設けられた「Ｔ」字形状の孔部を介してガイド溝部と係合する係合バーが設けられている［Ａ１０］乃至［Ａ１９］のいずれか１項に記載の光電コネクタ。
［Ａ２１］ガイド溝部には複数の凹部が設けられており、凹部の側壁には段差あるいは傾斜が設けられており、係合バーの先端は、最初の凹部から最後の凹部に向かってのみ移動することができる［Ａ２０］に記載の光電コネクタ。
［Ａ２２］《側面電極構造》
プラグは、２つの第１電極部を備えており、
レセプタクルは、２つの第２電極部を備えており、
２つの第１電極部のそれぞれは、プラグ筐体の第１側面及び第２側面に沿って、プラグ筐体の第２面に固定されており、
２つの第２電極部のそれぞれは、レセプタクル筐体の第１側面及び第２側面に沿って固定されている［Ａ０９］に記載の光電コネクタ。
［Ａ２３］プラグとレセプタクルとが嵌合した状態において、第２電極部の接触片によってプラグ筐体の側面が付勢される［Ａ２２］に記載の光電コネクタ。
［Ａ２４］プラグカバーの第１側面及び第２側面のそれぞれには、第２電極部の接触片が侵入するプラグカバー・開口部が設けられている［Ａ２２］又は［Ａ２３］に記載の光電コネクタ。
［Ａ２５］第２電極部の接触片は、支持点を中心に、レセプタクル筐体の側面に近づく方向、及び、レセプタクル筐体の側面から離れる方向に回動可能であり、
第２電極部の接触片をレセプタクル筐体の側面から遠ざかる方向に付勢する接触片・付勢手段が、第２電極部の接触片とレセプタクル筐体の側面との間に配設されており、
支持点を挟んで、接触片とは反対側の第２電極部の部分には、第２電極部・係止部材が配設されており、
プラグ筐体の第１側面及び第２側面のそれぞれの先端部分には、第２電極部・係止用凹部が設けられており、
プラグとレセプタクルとが嵌合するとき、第２電極部・係止部材と第２電極部・係止用凹部とが係合し、支持点を中心として、第２電極部の接触片が第１電極部の接触部に向かって回動し、第２電極部の接触片と第１電極部の接触部とが接触する［Ａ２２］乃至［Ａ２４］のいずれか１項に記載の光電コネクタ。
［Ａ２６］第１電極部は、２つの接点部を有しており、
第１電極部の２つの接点部は、電源用接点部及び接地用接点部から成り、
第２電極部は、２つの接触片を有しており、
第２電極部の２つの接触片は、電源用接触片及び接地用接触片から成る［Ａ２２］乃至［Ａ２５］のいずれか１項に記載の光電コネクタ。
［Ａ２７］《プラグカバーストッパー》
プラグ筐体の第２面の外面にはプラグ筐体・付勢手段が配されている［Ａ０７］乃至［Ａ２６］のいずれか１項に記載の光電コネクタ。
［Ａ２８］プラグ筐体の第２面にはプラグ筐体・凹部が形成されており、
プラグ筐体・凹部内にプラグ筐体・付勢手段が収納されている［Ａ２７］に記載の光電コネクタ。
［Ａ２９］プラグ筐体・付勢手段は、プラグの軸線方向に沿って、プラグの前方側から順に、第１の部分、第２の部分及び第３の部分から構成されており、
第２の部分は、プラグ筐体・凹部と接触しており、
第１の部分及び第３の部分は、プラグ筐体・凹部と接触しておらず、付勢部を構成する［Ａ２８］に記載の光電コネクタ。
［Ａ３０］プラグカバーの第２面には、プラグ筐体・付勢手段の付勢部と係合するプラグカバー・凹部が設けられており、プラグカバー・凹部には、プラグ筐体・付勢手段と対向する開口部が設けられている［Ａ２８］又は［Ａ２９］に記載の光電コネクタ。
［Ａ３１］プラグカバー・凹部とプラグ筐体・付勢手段の付勢部とが係合状態にあるとき、プラグ筐体はプラグカバーに対して固定された状態にある［Ａ３０］に記載の光電コネクタ。
［Ａ３２］レセプタクル筐体の第１面及び第２面にはロック解除爪が設けられており、
プラグカバーがレセプタクル筐体に最も接近したとき、ロック解除爪は、プラグカバー・凹部に設けられた開口部に侵入し、プラグ筐体・付勢手段の付勢部を構成する第１の部分をプラグ筐体の第１面に向かって付勢し、プラグカバー・凹部とプラグ筐体・付勢手段の付勢部との係合が解除される［Ａ２９］乃至［Ａ３１］のいずれか１項に記載の光電コネクタ。
［Ａ３３］プラグカバー・凹部とプラグ筐体・付勢手段の付勢部との係合が解除されることで、プラグ筐体はプラグカバーに対して移動自在となる［Ａ３２］に記載の光電コネクタ。
［Ａ３４］プラグとレセプタクルとが嵌合した状態において、プラグ筐体・付勢手段の付勢部はプラグカバーの第２面と接し、プラグ筐体をプラグカバーの第１面に向かって付勢する［Ａ２９］乃至［Ａ３３］のいずれか１項に記載の光電コネクタ。
［Ａ３５］《プラグカバーロック》
レセプタクル筐体の第１側面及び第２側面には、プラグカバー・係止部材が設けられており、
プラグカバーの第１側面及び第２側面には、プラグカバー・係止部材を係止するプラグカバー・係止部材用凹部が設けられており、
プラグカバーがレセプタクル筐体に最も接近したとき、プラグカバー・係止部材がプラグカバー・係止部材用凹部に係止される［Ａ０７］乃至［Ａ３４］のいずれか１項に記載の光電コネクタ。
［Ａ３６］《第１シャッター》
プラグカバーの前部には、第１シャッターが配設されており、
第１シャッターは、プラグとレセプタクルとが嵌合するとき開状態となり、プラグとレセプタクルとの嵌合が解かれるとき閉状態となる［Ａ０７］乃至［Ａ３５］のいずれか１項に記載の光電コネクタ。
［Ａ３７］プラグ筐体の第１側面及び第２側面のそれぞれの先端の形状は略半円状であり、
第１シャッターの側端部は、プラグ筐体の第１側面及び第２側面のそれぞれの先端と係合する［Ａ３６］に記載の光電コネクタ。
［Ａ３８］第１シャッターは、プラグカバーの第１面からレセプタクル側に延びる第１シャッター・上側部品、及び、プラグカバーの第２面からレセプタクル側に延びる第１シャッター・下側部品から構成されている［Ａ３７］に記載の光電コネクタ。
［Ａ３９］第１シャッター・上側部品の先端部は丸みを帯びており、
第１シャッター・下側部品の先端部は、第１シャッター・上側部品の先端部と、プラグカバー側で係合するように丸みを帯びている［Ａ３８］に記載の光電コネクタ。
［Ａ４０］第１シャッター・上側部品の先端部は、外側に向かって折り曲げられており、あるいは、折り返されている［Ａ３８］又は［Ａ３９］に記載の光電コネクタ。
［Ａ４１］第１シャッター・下側部品の先端部の端部は切り欠かれている［Ａ３８］乃至［Ａ４０］のいずれか１項に記載の光電コネクタ。
［Ａ４２］第１シャッター・上側部品の後端部及び第１シャッター・下側部品の後端部は、それぞれ、プラグカバーの後端部に一体に取り付けられている［Ａ３８］乃至［Ａ４１］のいずれか１項に記載の光電コネクタ。
［Ａ４３］第１シャッター・上側部品の後端部及び第１シャッター・下側部品の後端部は、それぞれプラグカバーの後端部にインサート成形技術に基づき一体に取り付けられている［Ａ４２］に記載の光電コネクタ。
［Ａ４４］《第２シャッター》
レセプタクル筐体の先端部分には、レセプタクル筐体の第２面に向かって、且つ、レセプタクル筐体後方に向かって開く第２シャッターが配設されている［Ａ０７］乃至［Ａ４３］のいずれか１項に記載の光電コネクタ。
［Ａ４５］第２シャッターは、プラグとレセプタクルとが嵌合するとき開状態となり、プラグとレセプタクルとの嵌合が解かれるとき閉状態となる［Ａ４４］に記載の光電コネクタ。
［Ａ４６］レセプタクル筐体の第１側面の外面及び第２側面の外面のそれぞれには、第２シャッター・抑え部材が取り付けられており、
第２シャッターが閉状態にあるとき、第２シャッターの先端部は、第２シャッター・抑え部材によって、レセプタクル筐体の第２面に向かって移動しないように押さえられており、
プラグとレセプタクルとが嵌合するとき、第２シャッター・抑え部材による第２シャッターの先端部の押さえ状態が、プラグ筐体の第１側面及び第２側面のそれぞれの先端によって解除され、第２シャッターは、レセプタクル筐体の第２面に向かって、且つ、レセプタクル筐体後方に向かって開く［Ａ４４］又は［Ａ４５］に記載の光電コネクタ。
［Ａ４７］プラグ筐体の後端は、ブーツで閉塞されており、
レセプタクル筐体の後端は、レセプタクル保護部材で閉塞されている［Ａ０７］乃至［Ａ４６］のいずれか１項に記載の光電コネクタ。
［Ａ４８］ブーツはプラグカバーを覆っている［Ａ４７］に記載の光電コネクタ。
［Ａ４９］プラグ筐体の後端にはコネクタが取り付けられている［Ａ０７］乃至［Ａ４６］のいずれか１項に記載の光電コネクタ。
［Ａ５０］レセプタクル筐体の後端にはコネクタが取り付けられている［Ａ０７］乃至［Ａ４６］のいずれか１項に記載の光電コネクタ。
［Ａ５１］プラグ筐体の後端にはコネクタが取り付けられている［Ａ５０］に記載の光電コネクタ。
［Ａ５２］レセプタクル筐体は、更に、レセプタクル筐体の第１側面及び第２側面の内側に取り付けられた第２信号送受部材・ガイド部材を備えており、
レセプタクル筐体の第１側面と対向する第２信号送受部材・ガイド部材の第１側面、及び、レセプタクル筐体の第２側面と対向する第２信号送受部材・ガイド部材の第２側面のそれぞれには、レセプタクル後部側から、レセプタクル前部側に向かって、レセプタクルの軸線と平行に、途中まで延びる切欠部が設けられており、
第２信号送受部材の側面には、切欠部と嵌合する第２信号送受部材・突起部が設けられている［Ａ０７］乃至［Ａ５０］のいずれか１項に記載の光電コネクタ。
［Ａ５３］《第１信号送受部材及び第２信号送受部材》
第１信号送受部材及び第２信号送受部材はフェルールから成り、
第１信号送受部材は、第１信号送受部材のプラグ後端側に設けられ、光ファイバ集合体から成る第１信号線が挿入される第１信号送受部材・挿入孔、及び、第１信号送受部材のプラグ前端側に設けられ、光ファイバからの光又は光ファイバへの光を平行光にする第１信号送受部材用レンズを備えており、
第２信号送受部材は、第２信号送受部材のレセプタクル後端側に設けられ、光ファイバ集合体から成る第２信号線が挿入される第２信号送受部材・挿入孔、及び、第２信号送受部材のレセプタクル前端側に設けられ、光ファイバからの光又は光ファイバへの光を平行光にする第２信号送受部材用レンズを備えている［Ａ０１］乃至［Ａ５２］のいずれか１項に記載の光電コネクタ。
［Ａ５４］第１信号送受部材は第１レンズ保護部材を備えており、
第２信号送受部材は第２レンズ保護部材を備えており、
第１信号送受部材の対向面には、金属製の第１レンズ保護部材が取り付けられており、
第２信号送受部材の対向面には、金属製の第２レンズ保護部材が取り付けられている［Ａ５３］に記載の光電コネクタ。
［Ａ５５］《テープ心線の構造》
第１信号線を構成する光ファイバ集合体は、第１テープ心線、第２テープ心線、第３テープ心線及び第４テープ心線の４つのテープ心線から構成されており、
第１信号送受部材・挿入孔は、第１信号送受部材・右側挿入孔、及び、第１信号送受部材・右側挿入孔と離間して設けられた第１信号送受部材・左側挿入孔から構成されており、
第１信号線を構成する第１テープ心線、第２テープ心線、第３テープ心線及び第４テープ心線は、それぞれ、第１信号送受部材・右側挿入孔底面、第１信号送受部材・左側挿入孔底面、第１信号送受部材・右側挿入孔頂面及び第１信号送受部材・左側挿入孔頂面に取り付けられており、第１テープ心線と第３テープ心線との間には隙間が存在し、第２テープ心線と第４テープ心線との間には隙間が存在し、
第２信号線を構成する光ファイバ集合体は、第１テープ心線、第２テープ心線、第３テープ心線及び第４テープ心線の４つのテープ心線から構成されており、
第２信号送受部材・挿入孔は、第２信号送受部材・右側挿入孔、及び、第２信号送受部材・右側挿入孔と離間して設けられた第２信号送受部材・左側挿入孔から構成されており、
第２信号線を構成する第１テープ心線、第２テープ心線、第３テープ心線及び第４テープ心線は、それぞれ、第２信号送受部材・右側挿入孔底面、第２信号送受部材・左側挿入孔底面、第２信号送受部材・右側挿入孔頂面及び第２信号送受部材・左側挿入孔頂面に取り付けられており、第１テープ心線と第３テープ心線との間には隙間が存在し、第２テープ心線と第４テープ心線との間には隙間が存在する［Ａ５３］又は［Ａ５４］に記載の光電コネクタ。
［Ａ５６］《導波路ユニット構造》
テープ心線は、
ベース樹脂シート、
ベース樹脂シート上に並置された複数のコア材、並びに、
ベース樹脂シート及び複数のコア材を覆う被覆材、
から構成されている［Ａ５５］に記載の光電コネクタ。
［Ａ５７］《発光素子／受光素子》
第１信号送受部材には発光素子及び受光素子が備えられており、第２信号送受部材には発光素子及び受光素子が備えられている［Ａ０１］乃至［Ａ５２］のいずれか１項に記載の光電コネクタ。
［Ａ５８］プラグ筐体及びレセプタクル筐体には、発光素子・受光素子駆動用の半導体チップが配置されている［Ａ５７］に記載の光電コネクタ。
［Ａ５９］発光素子及び受光素子は、第１の発光素子・受光素子群及び第２の発光素子・受光素子群から構成されており、
第１の発光素子・受光素子群、第２の発光素子・受光素子群、第１の発光素子・受光素子群を駆動する第１の半導体チップ、及び、第２の発光素子・受光素子群を駆動する第２の半導体チップは、プリント基板に実装されている［Ａ５７］又は［Ａ５８］に記載の光電コネクタ。
［Ａ６０］プリント基板は、両面リジッドプリント基板から成り、
第１の発光素子群、第２の発光素子群及び第１の半導体チップは、両面リジッドプリント基板の一方の面に実装されており、
第２の半導体チップは、両面リジッドプリント基板の他方の面に実装されている［Ａ５９］に記載の光電コネクタ。
［Ａ６１］プリント基板は、フレキシブルプリント基板から成り、
第１の発光素子群を駆動する第１の半導体チップは、フレキシブルプリント基板の一方の面の第１領域に実装されており、
第２の発光素子群を駆動する第２の半導体チップは、フレキシブルプリント基板の一方の面の第２領域に実装されており、
第１の発光素子群及び第２の発光素子群は、第１領域と第２領域の間に位置するフレキシブルプリント基板の一方の面の第３領域に実装されている［Ａ５９］に記載の光電コネクタ。
［Ａ６２］第１信号送受部材及び第２信号送受部材の一方は発光素子から成り、他方は受光素子から成る［Ａ０１］乃至［Ａ５２］のいずれか１項に記載の光電コネクタ。
［Ａ６３］発光素子を備えたプラグ筐体又はレセプタクル筐体には、発光素子駆動用の半導体チップが配置されている［Ａ６２］に記載の光電コネクタ。
［Ａ６４］発光素子は、第１の発光素子群及び第２の発光素子群から構成されており、
第１の発光素子群、第２の発光素子群、第１の発光素子群を駆動する第１の半導体チップ、及び、第２の発光素子群を駆動する第２の半導体チップは、プリント基板に実装されている［Ａ６３］に記載の光電コネクタ。
［Ａ６５］プリント基板は、両面リジッドプリント基板から成り、
第１の発光素子群、第２の発光素子群及び第１の半導体チップは、両面リジッドプリント基板の一方の面に実装されており、
第２の半導体チップは、両面リジッドプリント基板の他方の面に実装されている［Ａ６４］に記載の光電コネクタ。
［Ａ６６］プリント基板は、フレキシブルプリント基板から成り、
第１の発光素子群を駆動する第１の半導体チップは、フレキシブルプリント基板の一方の面の第１領域に実装されており、
第２の発光素子群を駆動する第２の半導体チップは、フレキシブルプリント基板の一方の面の第２領域に実装されており、
第１の発光素子群及び第２の発光素子群は、第１領域と第２領域の間に位置するフレキシブルプリント基板の一方の面の第３領域に実装されている［Ａ６４］に記載の光電コネクタ。
［Ａ６７］受光素子を備えたプラグ筐体又はレセプタクル筐体には、受光素子駆動用の半導体チップが配置されている［Ａ６２］乃至［Ａ６６］のいずれか１項に記載の光電コネクタ。
［Ａ６８］受光素子は、第１の受光素子群及び第２の受光素子群から構成されており、
第１の受光素子群、第２の受光素子群、第１の受光素子群を駆動する第１の半導体チップ、及び、第２の受光素子群を駆動する第２の半導体チップは、プリント基板に実装されている［Ａ６７］に記載の光電コネクタ。
［Ａ６９］プリント基板は、両面リジッドプリント基板から成り、
第１の受光素子群、第２の受光素子群及び第１の半導体チップは、両面リジッドプリント基板の一方の面に実装されており、
第２の半導体チップは、両面リジッドプリント基板の他方の面に実装されている［Ａ６８］に記載の光電コネクタ。
［Ａ７０］プリント基板は、フレキシブルプリント基板から成り、
第１の受光素子群を駆動する第１の半導体チップは、フレキシブルプリント基板の一方の面の第１領域に実装されており、
第２の受光素子群を駆動する第２の半導体チップは、フレキシブルプリント基板の一方の面の第２領域に実装されており、
第１の受光素子群及び第２の受光素子群は、第１領域と第２領域の間に位置するフレキシブルプリント基板の一方の面の第３領域に実装されている［Ａ６８］に記載の光電コネクタ。
［Ａ７１］発光素子は面発光半導体レーザ素子から成る［Ａ５７］乃至［Ａ７０］のいずれか１項に記載の光電コネクタ。
［Ａ７２］プラグ筐体は第１のミラー部を備えており、
第１信号送受部材からの光は、第１のミラー部によって光路を変えられ、第２信号送受部材へと向かい、又は、第２信号送受部材からの光は、第１のミラー部によって光路を変えられ、第１信号送受部材へと向かう［Ａ５７］乃至［Ａ７１］のいずれか１項に記載の光電コネクタ。
［Ａ７３］第１のミラー部は、１つのミラー又は複数のミラーから構成されている［Ａ７２］に記載の光電コネクタ。
［Ａ７４］レセプタクル筐体は第２のミラー部を備えており、
第１信号送受部材からの光は、第２のミラー部によって光路を変えられ、第２信号送受部材へと向かい、又は、第２信号送受部材からの光は、第２のミラー部によって光路を変えられ、第１信号送受部材へと向かう［Ａ５７］乃至［Ａ７３］のいずれか１項に記載の光電コネクタ。
［Ａ７５］第２のミラー部は、１つのミラー又は複数のミラーから構成されている［Ａ７４］に記載の光電コネクタ。
［Ａ７６］《電子能動部品》
プラグ筐体、又は、レセプタクル筐体、又は、プラグ筐体及びレセプタクル筐体には、電子能動部品が内蔵されている［Ａ０１］乃至［Ａ７５］のいずれか１項に記載の光電コネクタ。
【符号の説明】
【０１８１】
１１・・・プラグ、１２・・・レセプタクル、１００・・・プラグカバー、１００Ｆ・・・プラグカバーの前端、１００Ｂ・・・プラグカバーの後端、１０１・・・プラグカバーの第１側面、１０２・・・プラグカバーの第２側面、１０３・・・プラグカバーの第１面、１０４・・・プラグカバーの第２面、１０５・・・プラグカバー・開口部、１０６・・・プラグカバー・凹部、１０７・・・開口部、１０８・・・プラグカバー・係止部材用凹部、１１０・・・樹脂部材、１１１・・・「Ｔ」字形状の孔部、１２０・・・第１シャッター、１２１・・・第１シャッター・上側部品、１２２・・・第１シャッター・上側部品の先端部、１２３・・・第１シャッター・下側部品、１２４・・・第１シャッター・下側部品の先端部、２００・・・プラグ筐体、２００Ｆ・・・プラグ筐体の前端、２００Ｂ・・・プラグ筐体の後端、２０１・・・プラグ筐体の第１側面、２０２・・・プラグ筐体の第２側面、２０３・・・プラグ筐体の第１面、２０４・・・プラグ筐体の第２面、２０５・・・プラグ筐体の第１側面及び第２側面の先端部分、２０６・・・第２電極部・係止用凹部、２０７・・・プラグ筐体の第１側面及び第２側面の先端、２１１・・・第１電極部取付用・開口部、２１２・・・プラグ筐体・開口部、２１３・・・ビス、２１４・・・第１ガイドピン固定部、２１５・・・プラグ筐体・凹部、２１６・・・ガイド溝部、２１６ａ，２１６ｂ，２１６ｃ，２１６ｄ，２１６ｅ，２１６ｆ，２１６ｇ・・・凹部、２２０・・・第１ガイドピン、２２１・・・第１ガイドピンの先端部分、２２２・・・把持部、２２３・・・把持部材、２３０・・・第１信号送受部材、２３０Ａ・・・第１信号送受部材の対向面、２３１・・・第１ガイドピン穴、２３３・・・レンズユニット、２３４・・・第１信号送受部材・挿入孔、２３４Ｒ・・・第１信号送受部材・右側挿入孔、２３４Ｌ・・・第１信号送受部材・左側挿入孔、２３５・・・リブ、２４０・・・第１レンズ保護部材、２４１・・・貫通孔、２４２・・・突起部、２４３・・・凹部、２５０・・・プラグ筐体・付勢手段、２５１・・・プラグ筐体・付勢手段の第１の部分、２５２・・・プラグ筐体・付勢手段の第２の部分、２５３・・・プラグ筐体・付勢手段の第３の部分、２６０・・・第１電極部、２６１，２６２・・・第１電極部の接点部、２６３・・・第１電極部の後端部、２７０・・・プラグ保護部材、２７１・・・ブーツ、２８０・・・第１電極部、２８１・・・接点部（電源用接点部）、２８２・・・接点部（接地用接点部）、３００・・・レセプタクル筐体、３００Ｆ・・・レセプタクル筐体の前端、３００Ｂ・・・レセプタクル筐体の後端、３０１・・・レセプタクル筐体の第１側面、３０２・・・レセプタクル筐体の第２側面、３０３・・・レセプタクル筐体の第１面、３０４・・・レセプタクル筐体の第２面、３０５，３０６・・・ロック解除爪、３０７・・・接触片のための開口部、３０８・・・第２電極部・係止部材のための開口部、３０９・・・基部、３１０・・・爪、３１１・・・開口部、３１２・・・プラグカバー・係止部材、３１３・・・第２シャッター固定部、３１４・・・第２シャッター・抑え部材取付部、３１５・・・係合バー、３２０・・・第２ガイドピン、３２１・・・第２信号送受部材・付勢手段、３２２・・・スプリング・ブッシュ、３２３・・・スプリング（第２信号送受部材・付勢手段）、３３０・・・第２信号送受部材、３３０Ａ・・・第２信号送受部材の対向面、３３１・・・第２ガイドピン穴、３３２・・・第２信号送受部材・突起部、３３３・・・レンズユニット、３３４・・・第２信号送受部材・挿入孔、３３４Ｒ・・・第２信号送受部材・右側挿入孔、３３４Ｌ・・・第２信号送受部材・左側挿入孔、３３５・・・リブ、３４０・・・第２レンズ保護部材、３４１・・・貫通孔、３４２・・・突起部、３４３・・・凹部、３５０・・・レセプタクル保護部材、３５１・・・第２信号送受部材・ガイド部材、３５２・・・切欠部、３５３・・・ネジ、３５４・・・第２電極部・取付部材、３５５・・・レセプタクルカバー、３５６・・・レセプタクルカバーの開口部、３６０・・・第２電極部、３６１，３６２・・・第２電極部の接触片、３６３，３６４・・・第２電極部の後端部、３６５・・・第２電極部本体、３６６・・・支持点、３６７・・・第２電極部・係止部材、３６８・・・接触片・付勢手段、３７０・・・第２シャッター、３７０’・・・第２シャッターの先端部、３７１・・・第２シャッター・抑え部材、３７２・・・第２シャッター・抑え部材の後端部、３７３・・・第２シャッター・抑え部材の先端、３７４，３７５・・・レセプタクル筐体の第１側面及び第２側面に設けられた細孔、３７０・・・第２シャッター、３７０ａ・・・第２シャッターの取付部、３７０ｂ・・・第２シャッターの底部、３７０ｃ・・・第２シャッターの折曲げ部、３７０ｄ・・・第２シャッターの閉鎖部、３７６・・・第２シャッター・抑え部材、３７６Ａ・・・第２シャッター・抑え部材の端部、３７６Ｂ・・・第２シャッター・抑え部材の部分、３７６Ｃ・・・第２シャッター・抑え部材の端部、３８０・・・第２電極部、３８１・・・接触片（電源用接触片）、３８１’・・・接触片（電源用接触片）の後端部、３８２・・・接触片（接地用接触片）、３８２’・・・接触片（接地用接触片）の後端部、３８３・・・電源用接触片の後端部、３８４・・・接地用接触片の後端部、３８５，３９５・・・第２電極部の第１の部分、３８６，３９６第２電極部の第２の部分、３８６’・・・第２の部分の延在部、３８７，３８８・・・脚部、３８９・・・第２電極部・固定部材、３８６”・・・連結部材、４１１・・・第１信号線、４１１Ａ，４１１Ｂ，４１１Ｃ，４１１Ｄ，４１２Ａ，４１２Ｂ，４１２Ｃ，４１２Ｄ・・・テープ心線、４１２・・・第２信号線、４２１・・・第１電気配線、４２２・・・第２電気配線、４１３・・・光ファイバ、４２３・・・電線、５００・・・テープ心線、５０１・・・ベース樹脂シート、５０１Ａ・・・ベース樹脂シートの第１面、５０１Ｂ・・・ベース樹脂シートの第２面、５０２・・・コア材、５０３・・・被覆材、５１１，５２１，５３１，５４１，５５１，５６１，５７１，５８１・・・プリント基板、５１１Ａ，５１１Ｂ，５２１Ａ，５２１Ｂ，５５１Ａ，５５１Ｂ，５６１Ａ，５６１Ｂ・・・配線面、５３１Ａ，５４１Ａ，５７１Ａ，５８１Ｂ・・・第１の領域、５３１Ｂ，５４１Ｂ，５７１Ｂ，５８１Ｂ・・・第２の領域、５３１Ｃ，５４１Ｃ，５７１Ｃ，５８１Ｃ・・・第３の領域、５１２Ａ，５１２Ｂ，５２２Ａ，５２２Ｂ，５３２Ａ，５３２Ｂ，５４２Ａ，５４２Ｂ、５５２Ａ，５５２Ｂ，５６２Ａ，５６２Ｂ，５７２Ａ，５７２Ｂ，５８２Ａ，５８２Ｂ、・・・半導体チップ、５１３，５２３，５３３，５４３・・・発光素子及び受光素子、５１３Ａ，５１３Ｂ，５２３Ａ，５２３Ｂ，５３３Ａ，５３３Ｂ，５４３Ａ，５４３Ｂ・・・発光素子・受光素子群、５５３，５７３・・・受光素子、５６３，５８３・・・発光素子、５５３Ａ，５５３Ｂ，５７３Ａ，５７３Ｂ・・・受光素子群、５６３Ａ，５６３Ｂ，５８３Ａ，５８３Ｂ・・・発光素子群、５３４，５４４・・・基材、５１４・・・第１のミラー部、５１４ａ，５１４ｂ，５１４ｃ・・・ミラー、５２４・・・第２のミラー部
【図１】
2016203806.tif 000003
【図２】
2016203806.tif 000004
【図３】
2016203806.tif 000005
【図４】
2016203806.tif 000006
【図５】
2016203806.tif 000007
【図６】
2016203806.tif 000008
【図７】
2016203806.tif 000009
【図８】
2016203806.tif 000010
【図９】
2016203806.tif 000011
【図１０】
2016203806.tif 000012
【図１１】
2016203806.tif 000013
【図１２】
2016203806.tif 000014
【図１３】
2016203806.tif 000015
【図１４】
2016203806.tif 000016
【図１５】
2016203806.tif 000017
【図１６】
2016203806.tif 000018
【図１７】
2016203806.tif 000019
【図１８】
2016203806.tif 000020
【図１９】
2016203806.tif 000021
【図２０】
2016203806.tif 000022
【図２１】
2016203806.tif 000023
【図２２】
2016203806.tif 000024
【図２３】
2016203806.tif 000025
【図２４】
2016203806.tif 000026
【図２５】
2016203806.tif 000027
【図２６】
2016203806.tif 000028
【図２７】
2016203806.tif 000029
【図２８】
2016203806.tif 000030
【図２９】
2016203806.tif 000031
【図３０】
2016203806.tif 000032
【図３１】
2016203806.tif 000033
【図３２】
2016203806.tif 000034
【図３３】
2016203806.tif 000035
【図３４】
2016203806.tif 000036
【図３５】
2016203806.tif 000037
【図３６】
2016203806.tif 000038
【図３７】
2016203806.tif 000039
【図３８】
2016203806.tif 000040
【図３９】
2016203806.tif 000041
【図４０】
2016203806.tif 000042
【図４１】
2016203806.tif 000043
【図４２】
2016203806.tif 000044
【図４３】
2016203806.tif 000045
【図４４】
2016203806.tif 000046
【図４５】
2016203806.tif 000047
【図４６】
2016203806.tif 000048
【図４７】
2016203806.tif 000049
【図４８】
2016203806.tif 000050
【図４９】
2016203806.tif 000051
【図５０】
2016203806.tif 000052
【図５１】
2016203806.tif 000053
【図５２】
2016203806.tif 000054
【図５３】
2016203806.tif 000055
【図５４】
2016203806.tif 000056
【図５５】
2016203806.tif 000057
【図５６】
2016203806.tif 000058
【図５７】
2016203806.tif 000059
【図５８】
2016203806.tif 000060
【図５９】
2016203806.tif 000061
【図６０】
2016203806.tif 000062
【図６１】
2016203806.tif 000063
【図６２】
2016203806.tif 000064
【図６３】
2016203806.tif 000065
【図６４】
2016203806.tif 000066
【図６５】
2016203806.tif 000067
【図６６】
2016203806.tif 000068
【図６７】
2016203806.tif 000069
【図６８】
2016203806.tif 000070
【国際調査報告】
2016203806.tif 000071
2016203806.tif 000072
2016203806.tif 000073
2016203806.tif 000074
2016203806.tif 000075